(57)【要約】  第１の場合に、基地局（１１０）が、端末間通信に割り当てた第１範囲の無線リソースを示す第１割当情報を第１端末（１０１）へ送信し、第１端末（１０１）が、第１割当情報が示す無線リソースを用いて第２端末（１０２）へ信号を送信し、第２端末（１０２）が、基地局（１１０）によって送信された報知情報に基づいて第１端末（１０１）からの信号を受信する。第２の場合に、基地局（１１０）が、端末間通信に割り当てた第１範囲および第２範囲の無線リソースを示す第２割当情報を第１端末（１０１）へ送信し、第１端末（１０１）が、第２割当情報が示す第１範囲の無線リソースを用いて、第２範囲の無線リソースを示す制御情報を第２端末（１０２）へ送信し、第２範囲の無線リソースを用いて第２端末（１０２）との間で信号の送受信を行う。
2016035150.tif 000002
【特許請求の範囲】
【請求項１】
基地局が、無線リソースの第１範囲を報知する報知情報を送信し、
第１の場合に、
前記基地局が、第１端末と第２端末との間の端末間通信に割り当てた前記第１範囲の無線リソースを示す第１割当情報を前記第１端末へ送信し、
前記第１端末が、前記基地局によって送信された前記第１割当情報が示す無線リソースを用いて前記第２端末へ信号を送信し、
前記第２端末が、前記基地局によって送信された前記報知情報に基づいて前記第１端末からの前記信号を受信し、
前記第１の場合と異なる第２の場合に、
前記基地局が、前記端末間通信に割り当てた前記第１範囲の無線リソースおよび前記第１範囲と異なる第２範囲の無線リソースを示す第２割当情報を前記第１端末へ送信し、
前記第１端末が、前記基地局によって送信された前記第２割当情報が示す前記第１範囲の無線リソースを用いて、前記第２割当情報が示す前記第２範囲の無線リソースを示す制御情報を前記第２端末へ送信し、
前記第２端末が、前記基地局によって送信された前記報知情報に基づいて前記第１端末からの前記制御情報を受信し、受信した前記制御情報に基づいて、前記第２範囲の無線リソースを用いて前記第１端末からの信号の受信および前記第１端末への信号の送信の少なくとも一方を行う、
ことを特徴とする無線通信方法。
【請求項２】
前記第１の場合は、前記端末間通信に割り当てるべき無線リソースの量が所定量以下の場合であり、前記第２の場合は、前記端末間通信に割り当てるべき無線リソースの量が前記所定量より多い場合であることを特徴とする請求項１に記載の無線通信方法。
【請求項３】
前記第１割当情報は、前記第１割当情報が、前記基地局が前記端末間通信に割り当てた無線リソースを示す情報であることを示す情報を含むことを特徴とする請求項１または２に記載の無線通信方法。
【請求項４】
前記第１範囲は、前記基地局のセルに割り当てられた無線リソース範囲の一部であることを特徴とする請求項１〜３のいずれか一つに記載の無線通信方法。
【請求項５】
前記第２範囲は、前記基地局のセルに割り当てられた無線リソース範囲の一部あるいは全部であって、前記第１範囲より広い範囲であることを特徴とする請求項１〜４のいずれか一つに記載の無線通信方法。
【請求項６】
前記第１割当情報は、前記基地局が前記端末間通信に割り当てた前記第１範囲の無線リソースの前記第１範囲における相対的な位置を示す情報であり、
前記第１端末は、前記第１の場合に、前記報知情報および前記第１割当情報に基づいて、前記基地局が前記端末間通信に割り当てた前記第１範囲の無線リソースを特定する、
ことを特徴とする請求項１〜５のいずれか一つに記載の無線通信方法。
【請求項７】
前記基地局は、前記第２範囲を報知する報知情報を送信し、
前記第２割当情報は、前記基地局が前記端末間通信に割り当てた前記第２範囲の無線リソースの前記第２範囲における相対的な位置を示す情報であり、
前記第１端末は、前記第２の場合に、前記第２範囲を報知する報知情報および前記第２割当情報に基づいて、前記基地局が前記端末間通信に割り当てた前記第２範囲の無線リソースを特定する、
ことを特徴とする請求項１〜６のいずれか一つに記載の無線通信方法。
【請求項８】
前記制御情報は、前記第２範囲の無線リソースの前記第２範囲における相対的な位置を示す情報であり、
前記第２端末は、前記第２の場合に、前記第２範囲を報知する報知情報および前記制御情報に基づいて前記第２範囲の無線リソースを特定する、
ことを特徴とする請求項７に記載の無線通信方法。
【請求項９】
前記第２範囲は、前記第１範囲に基づいて特定可能な範囲であり、
前記第１端末および前記第２端末は、前記第１範囲を報知する報知情報が示す前記第１範囲に基づいて前記第２範囲を特定する、
ことを特徴とする請求項１〜８のいずれか一つに記載の無線通信方法。
【請求項１０】
前記制御情報は、前記制御情報が、前記第２範囲の無線リソースを示す情報であることを示す情報を含むことを特徴とする請求項１〜９のいずれか一つに記載の無線通信方法。
【請求項１１】
前記第１の場合に、
前記第１端末は、前記第１範囲の無線リソースのうちの第１リソースを用いて、前記第１範囲の無線リソースのうちの前記第１リソースと異なる第２リソースを示す前記信号を前記第２端末へ送信し、
前記第２端末は、受信した前記信号が示す前記第２リソースを用いて前記第１端末へ信号を送信する、
ことを特徴とする請求項１〜１０のいずれか一つに記載の無線通信方法。
【請求項１２】
前記第２の場合に、
前記第１端末は、前記第１範囲の無線リソースを用いて、前記第２範囲の無線リソースのうちの第１リソースおよび前記第１リソースと異なる第２リソースを示す制御情報を前記第２端末へ送信し、前記第１リソースを用いて前記第２端末へ信号を送信し、
前記第２端末は、受信した前記制御情報が示す前記第１リソースに基づいて前記第１端末からの前記信号を受信し、受信した前記制御情報が示す前記第２リソースを用いて前記第１端末へ信号を送信する、
ことを特徴とする請求項１〜１０のいずれか一つに記載の無線通信方法。
【請求項１３】
無線リソースの第１範囲を報知する報知情報を送信する基地局と、
互いに端末間通信を行う第１端末および第２端末と、
を含む無線通信システムであって、
前記基地局は、第１の場合に、前記端末間通信に割り当てた前記第１範囲の無線リソースを示す第１割当情報を前記第１端末へ送信し、前記第１の場合と異なる第２の場合に、前記端末間通信に割り当てた前記第１範囲の無線リソースおよび前記第１範囲と異なる第２範囲の無線リソースを示す第２割当情報を前記第１端末へ送信し、
前記第１端末は、前記第１の場合に、前記基地局によって送信された前記第１割当情報が示す無線リソースを用いて前記第２端末へ信号を送信し、前記第２の場合に、前記基地局によって送信された前記第２割当情報が示す前記第１範囲の無線リソースを用いて、前記第２割当情報が示す前記第２範囲の無線リソースを示す制御情報を前記第２端末へ送信し、
前記第２端末は、前記第１の場合に、前記基地局によって送信された前記報知情報に基づいて前記第１端末からの前記信号を受信し、前記第２の場合に、前記基地局によって送信された前記報知情報に基づいて前記第１端末からの前記制御情報を受信し、受信した前記制御情報に基づいて前記第２範囲の無線リソースを用いて前記第１端末からの信号の受信および前記第１端末への信号の送信の少なくとも一方を行う、
ことを特徴とする無線通信システム。
【請求項１４】
無線リソースの第１範囲を報知する報知情報を送信する報知部と、
第１の場合に、第１端末と第２端末との間の端末間通信に前記第１範囲の無線リソースを割り当て、前記第１の場合と異なる第２の場合に、前記端末間通信に前記第１範囲の無線リソースおよび前記第１範囲と異なる第２範囲の無線リソースを割り当てる割当部と、
前記割当部によって割り当てられた無線リソースを示す割当情報を前記第１端末へ送信する送信部と、
を備えることを特徴とする基地局。
【請求項１５】
無線リソースの第１範囲を報知する報知情報を送信する基地局と通信可能な端末であって、
第１の場合に、前記基地局が自端末と他端末との間の端末間通信に割り当てた前記第１範囲の無線リソースを示す第１割当情報を前記基地局から受信し、前記第１の場合と異なる第２の場合に、前記基地局が前記端末間通信に割り当てた前記第１範囲の無線リソースおよび前記第１範囲と異なる第２範囲の無線リソースを示す第２割当情報を前記基地局から受信する受信部と、
前記第１の場合に、前記受信部によって受信された前記第１割当情報が示す無線リソースを用いて前記他端末へ信号を送信し、前記第２の場合に、前記受信部によって受信された前記第２割当情報が示す前記第１範囲の無線リソースを用いて、前記第２割当情報が示す前記第２範囲の無線リソースを示す制御情報を前記他端末へ送信し、前記第２範囲の無線リソースを用いて前記他端末への信号の送信および前記他端末からの信号の受信の少なくとも一方を行う通信部と、
を備えることを特徴とする端末。
【請求項１６】
無線リソースの第１範囲を報知する報知情報を送信する基地局から前記報知情報を受信する受信部と、
第１の場合に、前記基地局が自端末と他端末との間の端末間通信に割り当てた前記第１範囲の無線リソースを用いて前記他端末が送信した信号を、前記受信部によって受信された前記報知情報に基づいて受信する通信部と、
を備え、前記通信部は、前記第１の場合と異なる第２の場合に、前記基地局が前記端末間通信に割り当てた前記第１範囲の無線リソースおよび前記第１範囲と異なる第２範囲の無線リソースのうちの前記第１範囲の無線リソースを用いて前記他端末が送信した制御情報であって前記第２範囲の無線リソースを示す制御情報を前記報知情報に基づいて受信し、受信した前記制御情報に基づいて、前記第２範囲の無線リソースを用いて前記他端末からの信号の受信および前記他端末への信号の送信の少なくとも一方を行う、
ことを特徴とする端末。
【発明の詳細な説明】
【技術分野】
【０００１】
本発明は、無線通信方法、無線通信システム、基地局および端末に関する。
【背景技術】
【０００２】
従来、端末間で直接無線通信を行うＤ２Ｄ（Ｄｅｖｉｃｅ  ｔｏ  Ｄｅｖｉｃｅ：デバイス間）において、基地局が端末に対してＤ２Ｄのための無線リソースを割り当てる技術が知られている（たとえば、下記特許文献１，２参照。）。
【先行技術文献】
【特許文献】
【０００３】
【特許文献１】米国特許出願公開第２０１３／０１５００６１号明細書
【特許文献２】米国特許出願公開第２０１３／０３２２４１３号明細書
【発明の概要】
【発明が解決しようとする課題】
【０００４】
しかしながら、上述した従来技術では、端末間通信に対して割り当て可能な無線リソースを多く設定すると、端末間通信に対して割り当てられた無線リソースを端末へ通知する制御信号の情報量が多くなる場合がある。【０００５】
１つの側面では、本発明は、無線リソースを通知する制御信号の情報量の削減を図ることができる無線通信方法、無線通信システム、基地局および端末を提供することを目的とする。
【課題を解決するための手段】
【０００６】
上述した課題を解決し、目的を達成するため、本発明の一側面によれば、基地局が、無線リソースの第１範囲を報知する報知情報を送信し、第１の場合に、前記基地局が、第１端末と第２端末との間の端末間通信に割り当てた前記第１範囲の無線リソースを示す第１割当情報を前記第１端末へ送信し、前記第１端末が、前記基地局によって送信された前記第１割当情報が示す無線リソースを用いて前記第２端末へ信号を送信し、前記第２端末が、前記基地局によって送信された前記報知情報に基づいて前記第１端末からの前記信号を受信し、前記第１の場合と異なる第２の場合に、前記基地局が、前記端末間通信に割り当てた前記第１範囲の無線リソースおよび前記第１範囲と異なる第２範囲の無線リソースを示す第２割当情報を前記第１端末へ送信し、前記第１端末が、前記基地局によって送信された前記第２割当情報が示す前記第１範囲の無線リソースを用いて、前記第２割当情報が示す前記第２範囲の無線リソースを示す制御情報を前記第２端末へ送信し、前記第２端末が、前記基地局によって送信された前記報知情報に基づいて前記第１端末からの前記制御情報を受信し、受信した前記制御情報に基づいて、前記第２範囲の無線リソースを用いて前記第１端末からの信号の受信および前記第１端末への信号の送信の少なくとも一方を行う無線通信方法、無線通信システム、基地局および端末が提案される。
【発明の効果】
【０００７】
本発明の一側面によれば、無線リソースを通知する制御信号の情報量の削減を図ることができるという効果を奏する。
【図面の簡単な説明】
【０００８】
【図１】図１は、実施の形態にかかる無線通信システムの一例を示す図である。
【図２Ａ】図２Ａは、第１の場合における無線通信システムの動作例１を示す図である。
【図２Ｂ】図２Ｂは、第２の場合における無線通信システムの動作例１を示す図である。
【図３Ａ】図３Ａは、第１の場合における無線通信システムの動作例２を示す図である。
【図３Ｂ】図３Ｂは、第２の場合における無線通信システムの動作例２を示す図である。
【図４Ａ】図４Ａは、第１の場合における無線通信システムの動作例３を示す図である。
【図４Ｂ】図４Ｂは、第２の場合における無線通信システムの動作例３を示す図である。
【図５】図５は、無線フレームの一例を示す図である。
【図６Ａ】図６Ａは、基地局が送信する第１無線リソース範囲情報のフォーマットの一例を示す図である。
【図６Ｂ】図６Ｂは、基地局が送信する割当情報のフォーマットの一例を示す図である。
【図６Ｃ】図６Ｃは、第１端末が第２端末へ送信する信号の一例を示す図である。
【図６Ｄ】図６Ｄは、第１端末が第２端末へ送信する信号の他の例を示す図である。
【図７】図７は、基地局による処理の一例を示すフローチャートである。
【図８】図８は、第１端末による処理の一例を示すフローチャートである。
【図９】図９は、第２端末による処理の一例を示すフローチャートである。
【図１０Ａ】図１０Ａは、基地局の構成の一例を示す図である。
【図１０Ｂ】図１０Ｂは、図１０Ａに示した基地局の構成における信号の流れの一例を示す図である。
【図１１Ａ】図１１Ａは、基地局のハードウェア構成の一例を示す図である。
【図１１Ｂ】図１１Ｂは、図１１Ａに示した基地局のハードウェア構成における信号の流れの一例を示す図である。
【図１２Ａ】図１２Ａは、端末の構成の一例を示す図である。
【図１２Ｂ】図１２Ｂは、図１２Ａに示した端末の構成における信号の流れの一例を示す図である。
【図１３Ａ】図１３Ａは、端末のハードウェア構成の一例を示す図である。
【図１３Ｂ】図１３Ｂは、図１３Ａに示した端末のハードウェア構成における信号の流れの一例を示す図である。
【発明を実施するための形態】
【０００９】
以下に図面を参照して、本発明にかかる無線通信方法、無線通信システム、基地局および端末の実施の形態を詳細に説明する。
【００１０】
（実施の形態）
図１は、実施の形態にかかる無線通信システムの一例を示す図である。図１に示すように、実施の形態にかかる無線通信システム１００は、基地局１１０と、第１端末１０１と、第２端末１０２と、を含む。
【００１１】
セル１１１は、基地局１１０が形成するセルである。第１端末１０１および第２端末１０２は、セル１１１に位置しており、基地局１１０との間で無線により通信可能である。また、第１端末１０１および第２端末１０２は、互いに直接、無線により端末間通信（Ｄ２Ｄ通信）を行うことができる。
【００１２】
基地局１１０は、第１端末１０１と第２端末１０２との間の端末間通信に使用可能な無線リソースの範囲として、第１無線リソース範囲および第２無線リソース範囲を設定する。第１無線リソース範囲および第２無線リソース範囲の設定例については後述する（たとえば図５参照）。
【００１３】
そして、基地局１１０は、第１の場合に、第１端末１０１と第２端末１０２との間の端末間通信に第１無線リソース範囲の無線リソースを割り当てる。第１の場合は、たとえば、第１端末１０１と第２端末１０２との間の端末間通信に割り当てるべき無線リソースの量が所定量以下である場合である。
【００１４】
また、基地局１１０は、第２の場合に、第１端末１０１と第２端末１０２との間の端末間通信に第１無線リソース範囲および第２無線リソース範囲の各無線リソースを割り当てる。第２の場合は、たとえば、第１端末１０１と第２端末１０２との間の端末間通信に割り当てるべき無線リソースの量が所定量より多い場合である。
【００１５】
第１端末１０１は、たとえば無線通信機能を有するスマートフォンである。ただし、第１端末１０１は、スマートフォンに限らず、各種の無線通信端末とすることができる。第２端末１０２は、たとえば無線通信機能を有するタブレットである。ただし、第２端末１０２は、タブレットに限らず、各種の無線通信端末とすることができる。
【００１６】
本実施の形態においては、第１端末１０１と第２端末１０２との間で端末間通信を行う場合に、第１端末１０１が基地局１１０に対して端末間通信のための無線リソースを要求する場合について説明する。
【００１７】
なお、第２端末１０２は、たとえば基地局１１０とオペレータが異なる端末など、基地局１１０との間でデータ通信を行うことができない端末であってもよい。この場合も、第２端末１０２は、基地局１１０から送信される報知情報を傍受することは可能である。
【００１８】
（第１の場合における無線通信システムの動作例１）
図２Ａは、第１の場合における無線通信システムの動作例１を示す図である。図２Ａにおいては、第１の場合において第１端末１０１から第２端末１０２へのデータ送信を行う動作について説明する。図２Ａに示すように、まず、基地局１１０は、設定した第１無線リソース範囲を示す第１無線リソース範囲情報を送信する（ステップＳ２１１）。第１端末１０１および第２端末１０２は、ステップＳ２１１によって送信される第１無線リソース範囲情報を受信する。
【００１９】
第１無線リソース範囲情報は、たとえばブロードキャストによって送信される報知情報である。ステップＳ２１１による第１無線リソース範囲情報の送信は、たとえばＰＤＳＣＨ（Ｐｈｙｓｉｃａｌ  Ｄｏｗｎｌｉｎｋ  Ｓｈａｒｅｄ  ＣＨａｎｎｅｌ：物理下りリンク共有チャネル）を使用して行うことができる。また、ステップＳ２１１による第１無線リソース範囲情報の送信は、ＰＢＣＨ（Ｐｈｙｓｉｃａｌ  Ｂｒｏａｄｃａｓｔ  Ｃｈａｎｎｅｌ：物理報知チャネル）を使用して行うこともできる。
【００２０】
つぎに、第１端末１０１において、第２端末１０２との間の端末間通信の実行要求が発生したとする。一例としては、第１端末１０１および第２端末１０２のそれぞれが、ユーザから端末間通信の実行操作を受け付けたとする。
【００２１】
これに対して、第１端末１０１が、第２端末１０２との間の端末間通信に使用するための無線リソースを要求するリソース要求信号を基地局１１０へ送信する（ステップＳ２１２）。なお、第１端末１０１および第２端末１０２のうちのいずれの端末がリソース要求信号を送信するかは、一例としてはユーザによる操作によって決定される。
【００２２】
ステップＳ２１２において、第１端末１０１は、たとえばＲＡＣＨ（Ｒａｎｄｏｍ  Ａｃｃｅｓｓ  Ｃｈａｎｎｅｌ：ランダムアクセスチャネル）を使用してリソース要求信号を基地局１１０へ送信することができる。ただし、リソース要求信号の送信方法はこれに限らない。たとえば、第１端末１０１は、まずＵＬ信号の送信用の無線リソースの割り当てを基地局１１０に要求し、基地局１１０から割り当てられた無線リソースを用いてリソース要求信号を基地局１１０へ送信してもよい。
【００２３】
リソース要求信号には、第１端末１０１と第２端末１０２との間の端末間通信のために要求する無線リソースの割当量を示す情報が含まれていてもよい。この無線リソースの割当量は、一例としては、ユーザ操作によって決定されてもよいし、発生した実行要求にかかる端末間通信で送受信すべきデータの量に応じて第１端末１０１が決定してもよい。
【００２４】
また、リソース要求信号には、たとえば第１端末１０１の送信バッファに滞留しているデータ量を示すバッファステータスレポート（ＢＳＲ：Ｂｕｆｆｅｒ  Ｓｔａｔｕｓ  Ｒｅｐｏｒｔ）が含まれていてもよい。また、第１端末１０１がリソース要求信号を基地局１１０へ送信した後に、基地局１１０が第１端末１０１にバッファステータスレポートを要求し、第１端末１０１がバッファステータスレポートを基地局１１０へ送信するようにしてもよい。
【００２５】
第１端末１０１からのリソース要求信号に対して、基地局１１０は、第１無線リソース範囲のみの無線リソースを割り当てるか、第１無線リソース範囲および第２無線リソース範囲の各無線リソースを割り当てるかを判断する。この判断は、第１端末１０１と第２端末１０２との間の端末間通信に要する無線リソースの割当量に基づいて行われる。第１端末１０１と第２端末１０２との間の端末間通信に要する無線リソースの割当量は、たとえば、第１端末１０１からのリソース要求信号やバッファステータスレポートから判定することができる。
【００２６】
図２Ａに示す例では、基地局１１０は、第１端末１０１と第２端末１０２との間の端末間通信に割り当てるべき無線リソースの量が所定量以下であると判断したとする（第１の場合）。この場合は、基地局１１０は、第１無線リソース範囲のみの無線リソースを割り当てる。所定量は、一例としては、たとえば第１無線リソース範囲の総量である。または、所定量は、たとえば、第１無線リソース範囲のうちの現在使用可能な空き無線リソースの総量としてもよい。
【００２７】
つぎに、基地局１１０は、割り当てた第１無線リソース範囲の無線リソースを示す割当情報を第１端末１０１へ送信する（ステップＳ２１３）。これにより、第１端末１０１は、第２端末１０２との間の端末間通信のための無線リソースが基地局１１０によって割り当てられたことを認識することができる。ステップＳ２１３の送信には、たとえばＰＤＣＣＨ（Ｐｈｙｓｉｃａｌ  Ｄｏｗｎｌｉｎｋ  Ｃｏｎｔｒｏｌ  Ｃｈａｎｎｅｌ：物理下りリンク制御チャネル）などのＤＬの個別制御信号を用いることができる。
【００２８】
つぎに、第１端末１０１は、ステップＳ２１３によって送信された割当情報が示す第１無線リソース範囲の無線リソースを使用して、第２端末１０２へユーザデータを直接送信する（ステップＳ２１４）。ステップＳ２１４によって送信されるユーザデータには、第２端末１０２を識別する符号が含まれていてもよい。これにより、第２端末１０２は、たとえば上位レイヤの処理において受信データの解釈を行う前に、自端末宛の受信データを特定し、他端末宛の受信データを破棄することができる。
【００２９】
第２端末１０２は、ステップＳ２１４によって第１端末１０１から送信されたユーザデータを受信する。たとえば、第２端末１０２は、ユーザから端末間通信の実行操作を受け付けると、ステップＳ２１１によってブロードキャストにより送信された第１無線リソース範囲情報に基づいて第１無線リソース範囲の受信動作を行う。これにより、第２端末１０２は、ステップＳ２１４によって第１端末１０１から送信されたユーザデータを受信することができる。
【００３０】
なお、基地局１１０は、ステップＳ２１３において送信する割当情報に、端末間通信のための無線リソースを通知する割当情報であることを表すフィールドを設けてもよい（たとえば図６Ｂ参照）。または、第１端末１０１は、第１端末１０１から基地局１１０へのＵＬ送信に割り当てた無線リソースを通知する制御信号と、端末間通信のための無線リソースを通知する割当情報とで、制御信号に使われる個別の識別符号として異なる識別符号を用いてもよい。これにより、第１端末１０１は、第１端末１０１から基地局１１０へのＵＬ送信に割り当てた無線リソースを通知する制御信号と、端末間通信のための無線リソースを通知する割当情報と、を区別することができる。
【００３１】
また、第１端末１０１は、受信した割当情報が示す無線リソースが第１無線リソース範囲の無線リソースか否かを、ステップＳ２１１によって送信された第１無線リソース範囲情報に基づいて判断することができる。このため、割当情報には、割当情報が示す無線リソースが第１無線リソース範囲の無線リソースか否かを示す情報を付加しなくてもよい。
【００３２】
（第２の場合における無線通信システムの動作例１）
図２Ｂは、第２の場合における無線通信システムの動作例１を示す図である。図２Ｂにおいては、第２の場合において第１端末１０１から第２端末１０２へのデータ送信を行う動作について説明する。図２Ｂに示すステップＳ２２１〜Ｓ２２３は、図２Ａに示したステップＳ２１１〜Ｓ２１３と同様である。ただし、図２Ｂに示す例では、基地局１１０が、第１端末１０１と第２端末１０２との間の端末間通信に割り当てるべき無線リソースの量が所定量より多いと判断したとする（第２の場合）。
【００３３】
この場合は、基地局１１０は、第１無線リソース範囲および第２無線リソース範囲の各無線リソースを割り当てる。そして、基地局１１０は、ステップＳ２２３において、割り当てた第１無線リソース範囲および第２無線リソース範囲の各無線リソースを示す割当情報を第１端末１０１へ送信する。
【００３４】
つぎに、第１端末１０１は、ステップＳ２２３によって送信された割当情報が示す第２無線リソース範囲の無線リソースを示す制御情報を第２端末１０２へ送信する（ステップＳ２２４）。ステップＳ２２４による制御情報の送信は、ステップＳ２２３によって送信された割当情報が示す第１無線リソース範囲の無線リソースを使用して行われる。
【００３５】
これに対して、第２端末１０２は、ステップＳ２２４によって第１端末１０１から送信された制御情報を受信する。たとえば、第２端末１０２は、ステップＳ２２１によってブロードキャストにより送信された第１無線リソース範囲情報に基づいて第１無線リソース範囲の受信動作を行うことで、第１端末１０１から送信された制御情報を受信することができる。
【００３６】
つぎに、第１端末１０１は、ステップＳ２２１〜Ｓ２２３によって送信された割当情報が示す第２無線リソース範囲の無線リソースを使用して、第２端末１０２へユーザデータを直接送信する（ステップＳ２２５）。ステップＳ２２５によって送信されるユーザデータには、第２端末１０２を識別する符号が含まれていてもよい。これにより、第２端末１０２は、たとえば上位レイヤの処理において受信データの解釈を行う前に、自端末宛の受信データを特定し、他端末宛の受信データを破棄することができる。
【００３７】
第２端末１０２は、ステップＳ２２５によって第１端末１０１から送信されたユーザデータを受信する。たとえば、第２端末１０２は、ステップＳ２２４によって第１端末１０１から受信した制御情報に基づいて第２無線リソース範囲の受信動作を行う。これにより、第２端末１０２は、ステップＳ２２５によって第１端末１０１から送信されたユーザデータを受信することができる。
【００３８】
ステップＳ２２５において、第２無線リソース範囲の無線リソースを使用してユーザデータの送信を行う場合について説明したが、基地局１１０によって割り当てられた第１無線リソース範囲の無線リソースも併用してユーザデータの送信を行ってもよい。たとえば、第１端末１０１は、割り当てられた第１無線リソース範囲の無線リソースにおいて、ステップＳ２２４による制御情報の送信に用いる無線リソースの他に余りがある場合は、余りの無線リソースも併用してユーザデータの送信を行ってもよい。
【００３９】
この場合は、第２端末１０２は、第１無線リソース範囲および第２無線リソース範囲の受信動作を行う。これにより、第２端末１０２は、ステップＳ２２５によって第１端末１０１から送信されたユーザデータを受信することができる。
【００４０】
（第１の場合における無線通信システムの動作例２）
図３Ａは、第１の場合における無線通信システムの動作例２を示す図である。図３Ａにおいては、第１の場合において第２端末１０２から第１端末１０１へのデータ送信を行う動作について説明する。図３Ａに示すステップＳ３１１〜Ｓ３１３は、図２Ａに示したステップＳ２１１〜Ｓ２１３と同様である。
【００４１】
ステップＳ３１３の後に、ステップＳ３１４へ移行する。すなわち、第１端末１０１は、基地局１１０からの割当情報が示す第１無線リソース範囲の無線リソースのうちの第１リソースを使用して、第２端末１０２の送信用の無線リソースを示す制御情報を第２端末１０２へ直接送信する（ステップＳ３１４）。第２端末１０２の送信用の無線リソースは、第１リソースと異なる第２リソースである。
【００４２】
これに対して、第２端末１０２は、ステップＳ３１１によってブロードキャストにより送信された第１無線リソース範囲情報に基づいて第１無線リソース範囲の受信動作を行う。これにより、ステップＳ３１４によって第１端末１０１から送信された制御情報を受信することができる。
【００４３】
第２端末１０２の送信用の無線リソースは、ステップＳ３１３によって送信された割当情報が示す第１無線リソース範囲の無線リソースに含まれる無線リソースである。また、第２端末１０２の送信用の無線リソースは、第１端末１０１が決定してもよいし、基地局１１０が決定してステップＳ３１３において第１端末１０１に通知してもよい。
【００４４】
つぎに、第２端末１０２は、ステップＳ３１４によって送信された制御情報が示す、第２端末１０２の送信用の無線リソースを使用して、第１端末１０１へユーザデータを直接送信する（ステップＳ３１５）。
【００４５】
（第２の場合における無線通信システムの動作例２）
図３Ｂは、第２の場合における無線通信システムの動作例２を示す図である。図３Ｂにおいては、第２の場合において第２端末１０２から第１端末１０１へのデータ送信を行う動作について説明する。図３Ｂに示すステップＳ３２１〜Ｓ３２４は、図２Ｂに示したステップＳ２２１〜Ｓ２２４と同様である。
【００４６】
ステップＳ３２４のつぎに、第２端末１０２は、ステップＳ３２４によって送信された制御情報が示す第２無線リソース範囲の無線リソースを使用して、第１端末１０１へユーザデータを直接送信する（ステップＳ３２５）。
【００４７】
（第１の場合における無線通信システムの動作例３）
図４Ａは、第１の場合における無線通信システムの動作例３を示す図である。図４Ａにおいては、第１の場合において第１端末１０１と第２端末１０２との間で双方向にデータ送信を行う動作について説明する。図４Ａに示すステップＳ４１１〜Ｓ４１４は、図２Ａに示したステップＳ２１１〜Ｓ２１４と同様である。
【００４８】
ステップＳ４１４のつぎのステップＳ４１５，Ｓ４１６は、図３Ａに示したステップＳ３１４，Ｓ３１５と同様である。また、ステップＳ４１４による第１端末１０１から第２端末１０２へのデータ送信は、ステップＳ４１５，Ｓ４１６による第２端末１０２から第１端末１０１へのデータ送信の後に実行されてもよい。
【００４９】
（第２の場合における無線通信システムの動作例３）
図４Ｂは、第２の場合における無線通信システムの動作例３を示す図である。図４Ｂにおいては、第２の場合において第１端末１０１と第２端末１０２との間で双方向にデータ送信を行う動作について説明する。図４Ｂに示すステップＳ４２１〜Ｓ４２５は、図２Ｂに示したステップＳ２２１〜Ｓ２２５と同様である。
【００５０】
ただし、ステップＳ４２５においては、第１端末１０１から第２端末１０２へのデータ送信とともに、第２端末１０２から第１端末１０１へのデータ送信も行われる。第２端末１０２は、ステップＳ４２５において、ステップＳ４２４によって第１端末１０１から送信された制御情報が示す第２無線リソース範囲の無線リソースを使用して、第１端末１０１へユーザデータを直接送信する（ステップＳ４２５）。
【００５１】
たとえば、第１端末１０１は、ステップＳ４２４において、第２無線リソース範囲の無線リソースのうちの第１リソースおよび第２リソースを示す制御情報を第２端末１０２へ送信する。そして、第１端末１０１は、ステップＳ４２５において、第１リソースを用いて第２端末１０２へユーザデータ（信号）を送信する。
【００５２】
これに対して、第２端末１０２は、ステップＳ４２４において受信した制御情報が示す第１リソースに基づいて、ステップＳ４２５において第１端末１０１からのユーザデータ（信号）を受信する。また、第２端末１０２は、ステップＳ４２４において受信した制御情報が示す第２リソースを用いて、ステップＳ４２５において第１端末１０１へユーザデータ（信号）を送信する。
【００５３】
図２Ａ，図３Ａ，図４Ａに示したように、第１の場合においては、基地局１１０が、第１端末１０１と第２端末１０２との間の端末間通信に割り当てた第１無線リソース範囲（第１範囲）の無線リソースを示す第１割当情報を第１端末１０１へ送信する。そして、第１端末１０１が、基地局１１０によって送信された第１割当情報が示す無線リソースを用いて第２端末１０２へユーザデータや制御信号などの信号を送信する。これに対して、第２端末１０２は、基地局１１０によって送信された第１無線リソース範囲情報（報知情報）に基づいて第１端末１０１からの信号を受信することができる。
【００５４】
また、図２Ｂ，図３Ｂ，図４Ｂに示したように、第２の場合においては、基地局１１０が、第１端末１０１と第２端末１０２との間の端末間通信に、第１無線リソース範囲の無線リソースおよび第２無線リソース範囲の無線リソースを割り当てる。そして、基地局１１０は、割り当てた無線リソースを示す第２割当情報を第１端末１０１へ送信する。第１端末１０１は、基地局１１０によって送信された第２割当情報が示す第１無線リソース範囲の無線リソースを用いて、第２割当情報が示す第２無線リソース範囲の無線リソースを示す制御情報を第２端末１０２へ送信する。これに対して、第２端末１０２は、基地局１１０によって送信された報知情報に基づいて第１端末１０１からの制御情報を受信することができる。また、第２端末１０２は、受信した制御情報に基づいて、第２無線リソース範囲の無線リソースを用いて第１端末１０１からの信号の受信および第１端末１０１への信号の送信の少なくとも一方を行うことができる。
【００５５】
図２Ａ〜図４Ｂに示した例では、第１の場合は、端末間通信に割り当てるべき無線リソースの量が所定量以下の場合であり、第２の場合は、端末間通信に割り当てるべき無線リソースの量が所定量より多い場合である例について説明した。ただし、第１の場合および第２の場合はこれに限らず、たとえば、第１無線リソース範囲の無線リソースの空き状態や、第１端末１０１および第２端末１０２の種別などに応じた場合であってもよい。
【００５６】
（割当情報の情報量の低減について）
たとえば、第１無線リソース範囲が、時間軸上にｎシンボル、周波数軸上にｍブロックの範囲であるとする。ｎは、たとえば無線フレーム全体（基地局１１０のセル１１１に割り当てられた無線リソース範囲）の時間軸のシンボル数Ｎより小さい。ｍは、たとえば無線フレーム全体の周波数軸のブロック数Ｍより小さい。
【００５７】
無線フレーム全体における無線リソースの割当結果を第１端末１０１へ通知するためには、割当情報にＮ×Ｍ通りの情報を格納することになる。たとえばＮ＝１４、Ｍ＝５０とすると、時間軸上の位置を示すための４［ｂｉｔ］と、周波数軸上の位置を示すための６［ｂｉｔ］と、の合計１０［ｂｉｔ］を要する。
【００５８】
これに対して、無線フレーム全体の一部である第１無線リソース範囲における無線リソースの割当結果を第１端末１０１へ通知する場合は、割当情報にｎ×ｍ通りの情報を格納すればよい。たとえば、基地局１１０は、割り当てた第１無線リソース範囲の無線リソースの第１無線リソース範囲における相対的な位置を示す割当情報を第１端末１０１へ送信する。
【００５９】
これに対して、第１端末１０１は、基地局１１０からの第１無線リソース範囲情報が示す第１無線リソース範囲と、割当情報が示す相対的な位置と、に基づいて、基地局１１０が割り当てた第１無線リソース範囲の無線リソースを特定することができる。
【００６０】
一例としては、ｎ＝２、ｍ＝２５とすると、時間軸上の位置を示すための１［ｂｉｔ］と、周波数軸上の位置を示すための５［ｂｉｔ］と、の合計６［ｂｉｔ］を要する。このため、割当情報の情報量が少なくなる。
【００６１】
また、第１端末１０１は、第１無線リソース範囲の無線リソースの第１無線リソース範囲における相対的な位置を示す制御信号を第２端末１０２へ送信してもよい。これに対して、第２端末１０２は、基地局１１０からの第１無線リソース範囲情報が示す第１無線リソース範囲と、制御信号が示す相対的な位置と、に基づいて、第１無線リソース範囲の無線リソースを特定することができる。これにより、制御信号の情報量を少なくすることができる。
【００６２】
基地局１１０は、第１の場合は第１無線リソース範囲のみの無線リソースを割り当て、第２の場合は第１無線リソース範囲および第２無線リソース範囲の各無線リソースを割り当てる。これにより、たとえば第１無線リソース範囲および第２無線リソース範囲の合計に相当する量の無線リソース範囲の中から常に無線リソースの割当を行う構成に比べて、割当結果を第１端末１０１へ通知する割当情報の情報量を少なくすることができる。
【００６３】
また、図２Ａ〜図４Ｂにおいて、基地局１１０が第１無線リソース範囲情報をブロードキャストにより送信する場合について説明したが、基地局１１０は、第１無線リソース範囲情報に加えて第２無線リソース範囲情報をブロードキャストにより送信してもよい。第２無線リソース範囲情報は、第２無線リソース範囲を示す報知情報である。または、第２無線リソース範囲は、あらかじめ仕様として第１端末１０１や第２端末１０２に設定されていてもよい。
【００６４】
また、第２無線リソース範囲は、第１端末１０１や第２端末１０２が第１無線リソース範囲から特定可能な無線リソースの範囲であってもよい。たとえば、第２無線リソース範囲は、第１無線リソース範囲と隣接する範囲（たとえば図５参照）、または第１無線リソース範囲と所定の間隔を設けて設定された範囲などとすることができる。
【００６５】
この場合の第２無線リソース範囲の大きさは、第１無線リソース範囲の大きさの２倍または３倍など、第１無線リソース範囲の大きさから特定されるものであってもよいし、仕様としてあらかじめ設定された一定の大きさであってもよい。この場合は、たとえば、第１端末１０１や第２端末１０２は、報知情報から特定した第１無線リソース範囲から第２無線リソース範囲を特定することができる。これにより、第２無線リソース範囲を示す情報を報知しなくても、第１端末１０１や第２端末１０２において第２無線リソース範囲が特定可能になり、報知信号の情報量を低減することができる。
【００６６】
また、第２無線リソース範囲は無線フレーム全体であることもできるし、第１無線リソース範囲と同様に、無線フレーム全体の一部の範囲とすることもできる。後者の場合は、たとえば図２Ｂ，図３Ｂ，図４Ｂに示したように第２無線リソース範囲の無線リソースを割り当てる場合に、第２無線リソース範囲の無線リソースについても、割当結果を第１端末１０１へ通知する割当情報の情報量を少なくすることができる。
【００６７】
また、基地局１１０は、第１無線リソース範囲とともに第２無線リソース範囲も報知してもよい。この場合に、たとえば、基地局１１０は、割り当てた第２無線リソース範囲の無線リソースの第２無線リソース範囲における相対的な位置を示す割当情報を第１端末１０１へ送信する。
【００６８】
これに対して、第１端末１０１は、基地局１１０から報知された第２無線リソース範囲と、割当情報が示す相対的な位置と、に基づいて、基地局１１０が割り当てた第２無線リソース範囲の無線リソースを特定することができる。これにより、割当情報の情報量を少なくすることができる。
【００６９】
また、第１端末１０１は、第２無線リソース範囲の無線リソースの第２無線リソース範囲における相対的な位置を示す制御信号を第２端末１０２へ送信してもよい。これに対して、第２端末１０２は、基地局１１０から報知された第２無線リソース範囲と、制御信号が示す相対的な位置と、に基づいて、第２無線リソース範囲の無線リソースを特定することができる。これにより、制御信号の情報量を少なくすることができる。
【００７０】
（無線フレーム）
図５は、無線フレームの一例を示す図である。図５に示す無線フレーム５００は、一例として、ＦＤＤ（Ｆｒｅｑｕｅｎｃｙ  Ｄｉｖｉｓｉｏｎ  Ｄｕｐｌｅｘ：周波数分割複信）におけるＵＬ（Ｕｐｌｉｎｋ：上りリンク）の周波数の無線リソースを示している。無線フレーム５００において、横方向は時間を示し、縦方向は周波数を示す。
【００７１】
無線フレーム５００には、たとえばＵＬ制御情報用リソース５０１（ＵＬ制御情報）、ＵＬデータ用リソース５０２（ＵＬデータ）およびＲＡＣＨ５０３が含まれる。ＵＬ制御情報用リソース５０１は、第１端末１０１や第２端末１０２が基地局１１０へ制御信号を送信するための無線リソースである。ＵＬデータ用リソース５０２は、第１端末１０１や第２端末１０２が基地局１１０へデータを送信するための無線リソースである。ＲＡＣＨ５０３は、第１端末１０１や第２端末１０２が基地局１１０へのランダムアクセスを行うための無線リソースである。
【００７２】
また、無線フレーム５００には、第１無線リソース範囲５０４や第２無線リソース範囲５０５が含まれる。第１無線リソース範囲５０４は、第１端末１０１と第２端末１０２との間の端末間通信の開始時に使用される無線リソースの範囲である。第１無線リソース範囲５０４は、たとえば基地局１１０がＤＬの報知情報によって第１端末１０１や第２端末１０２へ通知する無線リソースの範囲である。
【００７３】
第２無線リソース範囲５０５は、第１端末１０１と第２端末１０２との間の端末間通信に要する無線リソースが多い場合に、第１端末１０１と第２端末１０２との間の端末間通信に使用される無線リソースの範囲である。第２無線リソース範囲５０５は、たとえば第１無線リソース範囲５０４より広い範囲とすることができる。
【００７４】
ＦＤＤにおいては、基地局１１０から各端末（第１端末１０１や第２端末１０２）へのＤＬ（Ｄｏｗｎｌｉｎｋ：下りリンク）と、各端末から基地局１１０へのＵＬと、において異なる周波数の電波が使用される。
【００７５】
また、第１端末１０１と第２端末１０２との間の端末間通信には、たとえば、ＤＬの周波数リソースの一部、ＵＬの周波数リソースの一部、またはＤＬおよびＵＬの周波数リソースとは異なる第３の周波数リソースを用いることができる。ここでは、図５に示すように、ＵＬの周波数リソース（第１無線リソース範囲５０４および第２無線リソース範囲５０５）を用いて端末間通信が行われる場合について説明する。
【００７６】
ＤＬの周波数においては、基地局１１０から各端末へフレーム同期シンボルや報知情報を含む各種制御情報と、基地局１１０から各端末へ宛てられるユーザデータと、の送信が行われる。
【００７７】
基地局１１０からの報知情報には、ＤＬの無線フレームのうちのあらかじめ決まった位置で送信されるものと、データチャネルの一部として全端末へ宛てて送信されるものとがある。３ＧＰＰによって規定されているセルラ無線の仕様では、前者の報知情報はＭＩＢ（Ｍａｓｔｅｒ  Ｉｎｆｏｒｍａｔｉｏｎ  Ｂｌｏｃｋ）と呼ばれる。ＭＩＢは、ＤＬの無線フレーム５００において定義されるＰＢＣＨ領域にて送信される。また、後者の報知情報はＳＩＢ（Ｓｙｓｔｅｍ  Ｉｎｆｏｒｍａｔｉｏｎ  Ｂｌｏｃｋ）と呼ばれる。ＳＩＢは、全端末が受信する制御情報によって示されたＰＤＳＣＨにて送信される。
【００７８】
ＵＬの周波数では、無線フレーム５００のように、無線リソースが分割され、基地局１１０から分割された無線リソースの割り当てを受けた各端末が基地局１１０へ制御情報やユーザデータの送信を行う。分割された無線リソースのうちの一部には、ＲＡＣＨ５０３として特定の端末へ割り当てない無線リソースが確保されている。
【００７９】
ＲＡＣＨ５０３は、たとえば各端末が新たな通信のための無線リソースを要求するための要求信号を送信するために使用される。たとえば、各端末は、電源がオフからオンになった場合や、他エリアから移動してきて基地局１１０へ接続を要求する場合に、ＲＡＣＨ５０３を使用して基地局１１０へ要求信号を送信する。
【００８０】
たとえば、端末間通信を行わない従来の端末は、制御情報やユーザデータを受送信するために割り当てられた無線リソースや、各種要求信号を送信するランダムアクセスチャネルとして設定されている無線リソース以外は、受信をすることが不要であった。
【００８１】
これに対して、ＵＬの周波数を用いた端末間通信を行う場合は、基地局１１０から各端末に、端末間通信のための受信を行う第１無線リソース範囲５０４が第１無線リソース範囲情報により通知される。この第１無線リソース範囲情報の送信は、たとえばＤＬの周波数で各端末へ送信される報知情報によって行われる。たとえば、第１無線リソース範囲情報は、ＳＩＢの一部として各端末が受信するＰＤＳＣＨや、ＭＩＢの一部として各端末が受信するＰＢＣＨなどを使用して送信することができる。
【００８２】
端末間通信を行う各端末は、第１無線リソース範囲情報を受信すると、他端末からの無線信号を直接受信するために、第１無線リソース範囲情報が示す第１無線リソース範囲についての受信動作を有効にし、他端末からの信号を待ち受ける。
【００８３】
なお、基地局１１０が割り当てる第１無線リソース範囲の無線リソースは、干渉を避けるため、第１端末１０１や第２端末１０２あるいはそれ以外の端末が基地局１１０に信号を送信するために割り当てられる無線リソースと排他的であることが望ましい。ただし、基地局１１０は、端末間通信を行うために設定する第１無線リソース範囲の中の無線リソースであっても、従来同様に基地局１１０に信号を送信するための無線リソースとして他端末に割り当てることが可能である。
【００８４】
また、第２無線リソース範囲の無線リソースは、第１無線リソース範囲の無線リソースと同様に、端末間通信に排他的に使用しなくてもよく、基地局１１０に信号を送信するための通常の無線リソースとして他端末に割り当てることも可能である。この場合は、総無線リソース数が限られるという条件はあるが、第２無線リソース範囲の設定によって、無線通信システム１００と第１端末１０１や第２端末１０２との間の通信への無線リソース割り当ての自由度は制限されるものではない。
【００８５】
図５に示した例では、第１無線リソース範囲５０４および第２無線リソース範囲５０５が時間方向に分割された無線リソース範囲である場合について説明したが、第１無線リソース範囲５０４および第２無線リソース範囲５０５はこれに限らない。たとえば、第１無線リソース範囲５０４および第２無線リソース範囲５０５は、周波数方向、あるいは時間方向および周波数方向の組み合わせにより分割された無線リソース範囲としてもよい。
【００８６】
また、第１無線リソース範囲５０４および第２無線リソース範囲５０５をＦＤＤのＵＬの無線リソース範囲に設定する場合について説明したが、第１無線リソース範囲５０４および第２無線リソース範囲５０５をＦＤＤのＤＬに設定してもよい。また、第１無線リソース範囲５０４および第２無線リソース範囲５０５の一方をＦＤＤのＤＬ、他方をＦＤＤのＵＬに設定してもよい。第１無線リソース範囲５０４および第２無線リソース範囲５０５の一方あるいは両方を、基地局１１０と第１端末１０１や第２端末１０２との間の通信に用いる周波数帯と異なる周波数帯の無線リソース範囲に設定してもよい。
【００８７】
また、ＴＤＤ（Ｔｉｍｅ  Ｄｉｖｉｓｉｏｎ  Ｄｕｐｌｅｘ：時分割複信）において、第１無線リソース範囲５０４および第２無線リソース範囲５０５を無線リソース範囲一部に設定してもよい。また、第１無線リソース範囲５０４および第２無線リソース範囲５０５の一方あるいは両方を、基地局１１０と第１端末１０１や第２端末１０２との間の通信に用いる周波数帯と異なる周波数帯の無線リソース範囲に設定してもよい。
【００８８】
（基地局が送信する第１無線リソース範囲情報のフォーマット）
図６Ａは、基地局が送信する第１無線リソース範囲情報のフォーマットの一例を示す図である。基地局１１０は、たとえば図２ＡのステップＳ２１１において、第１無線リソース範囲情報として、たとえば図６Ａに示すメッセージ６１０を送信する。
【００８９】
メッセージ６１０は、ＳＩＢ識別子領域６１１と、無線リソース範囲情報識別子領域６１２と、シンボル領域６１３と、ＰＲＢ番号領域６１４と、ＰＲＢ数領域６１５と、を含むデータブロックである。
【００９０】
ＳＩＢ識別子領域６１１には、メッセージ６１０がＳＩＢであることを示す識別子が格納される。無線リソース範囲情報識別子領域６１２には、メッセージ６１０が第１無線リソース範囲を示す第１無線リソース範囲情報であることを示す識別子が格納される。
【００９１】
シンボル領域６１３には、第１無線リソース範囲の開始位置のシンボル番号が格納される。ＰＲＢ番号領域６１４には、第１無線リソース範囲の開始位置のＰＲＢ（Ｐｈｙｓｉｃａｌ  Ｒｅｓｏｕｒｃｅ  Ｂｌｏｃｋ）番号が格納される。ＰＲＢ数領域６１５には、第１無線リソース範囲のＰＲＢの数が格納される。
【００９２】
基地局１１０は、メッセージ６１０を送信することにより、第１無線リソース範囲を第１端末１０１や第２端末１０２に報知することができる。たとえば、第１端末１０１や第２端末１０２は、シンボル領域６１３やＰＲＢ番号領域６１４が示す第１無線リソース範囲の開始位置と、ＰＲＢ数領域６１５が示す第１無線リソース範囲のＰＲＢの数と、に基づいて第１無線リソース範囲を特定することができる。
【００９３】
（基地局が送信する第２無線リソース範囲情報のフォーマット）
また、基地局１１０は、第２無線リソース範囲を示す第２無線リソース範囲情報を送信する場合に、第２無線リソース範囲情報としてメッセージ６１０を送信してもよい。この場合は、無線リソース範囲情報識別子領域６１２には、メッセージ６１０が第２無線リソース範囲を示す第２無線リソース範囲情報であることを示す識別子が格納される。
【００９４】
また、シンボル領域６１３には、第２無線リソース範囲の開始位置のシンボル番号が格納される。また、ＰＲＢ番号領域６１４には、第２無線リソース範囲の開始位置のＰＲＢ番号が格納される。また、ＰＲＢ数領域６１５には、第２無線リソース範囲のＰＲＢの数が格納される。
【００９５】
（基地局が送信する割当情報のフォーマット）
図６Ｂは、基地局が送信する割当情報のフォーマットの一例を示す図である。基地局１１０は、たとえば図２ＡのステップＳ２１３において、割当情報としてたとえば図６Ｂに示すメッセージ６２０を第１端末１０１へ個別送信する。
【００９６】
メッセージ６２０は、リソース割当情報識別子領域６２１と、ＰＲＢビットマップ領域６２２と、追加無線リソース有無領域６２３と、シンボル領域６２４と、ＰＲＢ番号領域６２５と、ＰＲＢ数領域６２６と、ＰＲＢビットマップ領域６２７と、を含む。
【００９７】
リソース割当情報識別子領域６２１には、メッセージ６２０が端末間通信用の無線リソースの割当結果を示す割当情報であることを示す識別子が格納される。すなわち、リソース割当情報識別子領域６２１は、メッセージ６２０が、基地局１１０が端末間通信に割り当てた無線リソースを示す情報であることを示す情報である。
【００９８】
ＰＲＢビットマップ領域６２２には、図６Ａに示したＰＲＢ数領域６１５が示すビット数のテーブルであって、第１無線リソース範囲のリソース割当の有無をＰＲＢ単位で示すテーブルが格納される。すなわち、ＰＲＢビットマップ領域６２２は、基地局１１０が割り当てた第１無線リソース範囲の無線リソースの第１無線リソース範囲における相対的な位置を示す情報である。
【００９９】
追加無線リソース有無領域６２３には、第２無線リソース範囲のリソース割当の有無を示す情報が格納される。シンボル領域６２４には、第２無線リソース範囲の開始位置のシンボル番号が格納される。ＰＲＢ番号領域６２５には、第２無線リソース範囲の開始位置のＰＲＢ番号が格納される。
【０１００】
ＰＲＢ数領域６２６には、第２無線リソース範囲のＰＲＢの数が格納される。ＰＲＢビットマップ領域６２７には、ＰＲＢ数領域６２６が示すビット数のテーブルであって、第２無線リソース範囲内のリソース割当の有無をＰＲＢ単位で示すテーブルが格納される。すなわち、ＰＲＢビットマップ領域６２７は、基地局１１０が割り当てた第２無線リソース範囲の無線リソースの第２無線リソース範囲における相対的な位置を示す情報である。
【０１０１】
なお、第２無線リソース範囲のリソース割当がないことを示す情報が追加無線リソース有無領域６２３に格納されている場合は、シンボル領域６２４、ＰＲＢ番号領域６２５およびＰＲＢ数領域６２６の情報はなくてもよい。
【０１０２】
基地局１１０は、メッセージ６２０により、割り当てた第１無線リソース範囲の無線リソースを第１端末１０１へ通知することができる。たとえば、第１端末１０１は、図６Ａに示したメッセージ６１０により特定した第１無線リソース範囲と、ＰＲＢビットマップ領域６２２と、に基づいて、基地局１１０から割り当てられた第１無線リソース範囲の無線リソースを特定することができる。たとえば、第１端末１０１は、第１無線リソース範囲に含まれる各ＰＲＢのうちの、ＰＲＢビットマップ領域６２２が割当有りを示しているＰＲＢが、基地局１１０から割り当てられた第１無線リソース範囲の無線リソースであると判断することができる。
【０１０３】
また、基地局１１０は、第２無線リソース範囲の無線リソースを割り当てた場合に、メッセージ６２０により、割り当てた第２無線リソース範囲の無線リソースを第１端末１０１へ通知することができる。たとえば、第１端末１０１は、シンボル領域６２４やＰＲＢ番号領域６２５が示す第２無線リソース範囲の開始位置と、ＰＲＢ数領域６２６が示す第２無線リソース範囲のＰＲＢの数と、に基づいて第２無線リソース範囲を特定することができる。そして、第１端末１０１は、特定した第２無線リソース範囲と、ＰＲＢビットマップ領域６２７と、に基づいて、基地局１１０から割り当てられた第２無線リソース範囲の無線リソースを特定することができる。たとえば、第１端末１０１は、第２無線リソース範囲に含まれる各ＰＲＢのうちの、ＰＲＢビットマップ領域６２７が割当有りを示しているＰＲＢが、基地局１１０から割り当てられた第２無線リソース範囲の無線リソースであると判断することができる。
【０１０４】
なお、基地局１１０が図６Ａに示したメッセージ６１０によって第２無線リソース範囲を報知している場合は、第１端末１０１はメッセージ６１０によって第２無線リソース範囲を特定することができる。このため、この場合は、メッセージ６２０からシンボル領域６２４、ＰＲＢ番号領域６２５およびＰＲＢ数領域６２６を省いてもよい。
【０１０５】
（第１端末が第２端末へ送信する信号）
図６Ｃは、第１端末が第２端末へ送信する信号の一例を示す図である。第１端末１０１は、基地局１１０から第２無線リソース範囲の無線リソースが割り当てられず、第２端末１０２へのデータ送信を行う場合、たとえば図２Ａに示したステップＳ２１４において、たとえば図６Ｃに示すメッセージ６３０を第２端末１０２へ送信する。
【０１０６】
メッセージ６３０は、送信元端末識別子領域６３１と、送信先端末識別子領域６３２と、追加無線リソース情報有無領域６３３と、ユーザデータ領域６３４と、を含むデータブロックである。
【０１０７】
送信元端末識別子領域６３１には、メッセージ６３０の送信元である第１端末１０１の識別子が格納される。送信先端末識別子領域６３２には、メッセージ６３０の送信先の端末である第２端末１０２の識別子が格納される。
【０１０８】
追加無線リソース情報有無領域６３３には、第２無線リソース範囲の無線リソース情報の有無が格納される。たとえば、追加無線リソース情報有無領域６３３に“０”が格納された場合は、第２無線リソース範囲の無線リソース情報がないことを示す。また、追加無線リソース情報有無領域６３３に“１”が格納された場合は、第２無線リソース範囲の無線リソース情報があることを示す。
【０１０９】
図６Ｃに示す例では、第１端末１０１と第２端末１０２との間の端末間通信に第２無線リソース範囲の無線リソースは割り当てられていないため（図２Ａ参照）、追加無線リソース情報有無領域６３３には“０”が格納される。
【０１１０】
ユーザデータ領域６３４には、第１端末１０１から第２端末１０２へのユーザデータ（通信内容データ）が格納される。
【０１１１】
図６Ｄは、第１端末が第２端末へ送信する信号の他の例を示す図である。第１端末１０１は、基地局１１０によって第２無線リソース範囲の無線リソースが割り当てられ、第２端末１０２へのデータ送信を行う場合、たとえば図２Ｂに示したステップＳ２２４において、たとえば図６Ｄに示すメッセージ６４０を第２端末１０２へ送信する。メッセージ６４０のうちの図６Ｃに示したメッセージ６３０と同一の部分については説明を省略する。
【０１１２】
メッセージ６４０は、送信元端末識別子領域６３１と、送信先端末識別子領域６３２と、追加無線リソース情報有無領域６３３と、を含む。また、メッセージ６４０は、シンボル領域６４１と、ＰＲＢ番号領域６４２と、ＰＲＢ数領域６４３と、ＰＲＢビットマップ領域６４４と、Ｔ／Ｒテーブル領域６４５と、ユーザデータ領域６３４と、を含む。
【０１１３】
図６Ｄに示す例では、第１端末１０１と第２端末１０２との間の端末間通信に第２無線リソース範囲の無線リソースは割り当てられているため（図２Ｂ参照）、追加無線リソース情報有無領域６３３には“１”が格納される。この場合の追加無線リソース情報有無領域６３３は、メッセージ６３０が、第２無線リソース範囲の無線リソースを示す情報であることを示す情報である。
【０１１４】
シンボル領域６４１には、第２無線リソース範囲の開始位置のシンボル番号が格納される。ＰＲＢ番号領域６４２には、第２無線リソース範囲の開始位置のＰＲＢ番号が格納される。ＰＲＢ数領域６４３には、第２無線リソース範囲のＰＲＢの数が格納される。
【０１１５】
ＰＲＢビットマップ領域６４４には、ＰＲＢ数領域６４３が示すビット数のテーブルであって、第２無線リソース範囲内のリソース割当の有無をＰＲＢ単位で示すテーブルが格納される。すなわち、ＰＲＢビットマップ領域６４４は、基地局１１０が割り当てた第２無線リソース範囲の無線リソースの第２無線リソース範囲における相対的な位置を示す情報である。
【０１１６】
Ｔ／Ｒテーブル領域６４５には、ＰＲＢビットマップ領域６４４によって割り当てが示されたＰＲＢ数のテーブルが格納される。Ｔ／Ｒテーブル領域６４５に格納されるテーブルは、割り当てのある各ＰＲＢについて、第１端末１０１の送信（Ｔ）に使うか、第１端末１０１の受信（Ｒ）すなわち第２端末１０２の送信に使うかを示すテーブルである。
【０１１７】
たとえば、第２端末１０２は、シンボル領域６４１やＰＲＢ番号領域６４２が示す第２無線リソース範囲の開始位置と、ＰＲＢ数領域６４３が示す第２無線リソース範囲のＰＲＢの数と、に基づいて第２無線リソース範囲を特定することができる。
【０１１８】
そして、第２端末１０２は、特定した第２無線リソース範囲と、ＰＲＢビットマップ領域６４４と、に基づいて、基地局１１０から割り当てられた第２無線リソース範囲の無線リソースを特定することができる。たとえば、第２端末１０２は、第２無線リソース範囲に含まれる各ＰＲＢのうちの、ＰＲＢビットマップ領域６４４が割当有りを示しているＰＲＢが、基地局１１０から割り当てられた第２無線リソース範囲の無線リソースであると判断することができる。
【０１１９】
また、第２端末１０２は、割り当てられた第２無線リソース範囲の無線リソースのうちの、第１端末１０１の送信に使う無線リソースと、第２端末１０２の送信に使う無線リソースと、をＴ／Ｒテーブル領域６４５に基づいて判定することができる。
【０１２０】
なお、基地局１１０が図６Ａに示したメッセージ６１０によって第２無線リソース範囲を報知している場合は、第２端末１０２はメッセージ６１０によって第２無線リソース範囲を特定することができる。このため、この場合は、メッセージ６４０からシンボル領域６４１、ＰＲＢ番号領域６４２およびＰＲＢ数領域６４３を省いてもよい。
【０１２１】
（基地局による処理）
図７は、基地局による処理の一例を示すフローチャートである。図７においては、たとえば図２Ａ，図２Ｂに示した動作に対応する基地局１１０の処理について説明する。基地局１１０は、たとえば図７に示す各ステップを実行する。
【０１２２】
まず、基地局１１０は、無線フレームを構成することにより、第１無線リソース範囲および第２無線リソース範囲を設定する（ステップＳ７０１）。ステップＳ７０１において構成される無線フレームは、たとえば図５に示した無線フレーム５００を含む。
【０１２３】
つぎに、基地局１１０は、ステップＳ７０１によって設定した第１無線リソース範囲を示す第１無線リソース範囲情報を端末（たとえば第１端末１０１や第２端末１０２）への報知情報として送信する（ステップＳ７０２）。
【０１２４】
つぎに、基地局１１０は、第１端末１０１からのリソース要求信号を受信したか否かを判断し（ステップＳ７０３）、リソース要求信号を受信するまで待つ（ステップＳ７０３：Ｎｏのループ）。リソース要求信号は、第１端末１０１と第２端末１０２との間の端末間通信に使用するための無線リソースの割当を基地局１１０に要求する信号である。
【０１２５】
ステップＳ７０３において、リソース要求信号を受信すると（ステップＳ７０３：Ｙｅｓ）、基地局１１０は、第１端末１０１からのリソース要求信号に対して、第１無線リソース範囲の無線リソースで足りるか否かを判断する（ステップＳ７０４）。たとえば、基地局１１０は、第１端末１０１と第２端末１０２との間の端末間通信に要する無線リソースの量が所定量を下回るか否かによってステップＳ７０４の判断を行うことができる。所定量は、一例としては、現在の第１無線リソース範囲における空きリソースの量とすることができる。
【０１２６】
ステップＳ７０４において、第１無線リソース範囲の無線リソースで足りる場合（ステップＳ７０４：Ｙｅｓ）は、基地局１１０は、第１無線リソース範囲の無線リソースを第１端末１０１に割り当てる（ステップＳ７０５）。つぎに、基地局１１０は、第１端末１０１への無線リソースの割り当て結果を示す割当情報を第１端末１０１へ送信し（ステップＳ７０６）、ステップＳ７０３へ戻る。
【０１２７】
ステップＳ７０４において、第１無線リソース範囲の無線リソースで足りない場合（ステップＳ７０４：Ｎｏ）は、基地局１１０は、第１無線リソース範囲および第２無線リソース範囲の各無線リソースを第１端末１０１に割り当てる（ステップＳ７０７）。そして、基地局１１０は、ステップＳ７０６へ移行し、第１端末１０１への無線リソースの割り当て結果を示す割当情報を第１端末１０１へ送信する。
【０１２８】
（第１端末による処理）
図８は、第１端末による処理の一例を示すフローチャートである。図８においては、たとえば図２Ａ，図２Ｂに示した動作に対応する第１端末１０１の処理について説明する。第１端末１０１は、たとえば図８に示す各ステップを実行する。
【０１２９】
まず、第１端末１０１は、基地局１１０からの報知情報を受信する（ステップＳ８０１）。つぎに、第１端末１０１は、ステップＳ８０１によって受信した報知情報から、第１無線リソース範囲を示す第１無線リソース範囲情報を取得する（ステップＳ８０２）。
【０１３０】
つぎに、第１端末１０１は、第２端末１０２との端末間通信を開始する事象が発生したか否かを判断し（ステップＳ８０３）、端末間通信を開始する事象が発生するまで待つ（ステップＳ８０３：Ｎｏのループ）。端末間通信を開始する事象は、たとえば、第１端末１０１のユーザによる第１端末１０１に対する端末間通信の開始指示操作などである。第１端末１０１のユーザが直接に端末間通信の開始指示操作をする場合だけでなく、端末で実行されるアプリケーションプログラムが端末間通信の開始を要求する場合もある。
【０１３１】
ステップＳ８０３において、端末間通信を開始する事象が発生すると（ステップＳ８０３：Ｙｅｓ）、第１端末１０１は、端末間通信に使用するための無線リソースの割当を要求するリソース要求信号を基地局１１０へ送信する（ステップＳ８０４）。
【０１３２】
つぎに、第１端末１０１は、基地局１１０からの割当情報を受信したか否かを判断し（ステップＳ８０５）、割当情報を受信するまで待つ（ステップＳ８０５：Ｎｏのループ）。また、第１端末１０１は、図８には明示的に表示していないが所定時間経過しても割当情報を受信しない場合は、ステップＳ８０４へ戻ってリソース要求信号を再送してもよい。このような異常状態の処理は他のステップにおいても別途追加しうる。
【０１３３】
ステップＳ８０５において、割当情報を受信すると（ステップＳ８０５：Ｙｅｓ）、第１端末１０１は、受信した割当情報に基づいて、基地局１１０によって第１無線リソース範囲の無線リソースのみが割り当てられたか否かを判断する（ステップＳ８０６）。
【０１３４】
ステップＳ８０６において、第１無線リソース範囲の無線リソースのみが割り当てられた場合（ステップＳ８０６：Ｙｅｓ）は、第１端末１０１は、ステップＳ８０７へ移行する。すなわち、第１端末１０１は、受信した割当情報が示す第１無線リソース範囲の無線リソースを用いて第２端末１０２へユーザデータを送信する（ステップＳ８０７）。
【０１３５】
つぎに、第１端末１０１は、第２端末１０２へ送信すべき全てのユーザデータを送信したか否かを判断する（ステップＳ８０８）。全てのユーザデータを送信していない場合（ステップＳ８０８：Ｎｏ）は、第１端末１０１は、ステップＳ８０４へ戻る。全てのユーザデータを送信した場合（ステップＳ８０８：Ｙｅｓ）は、第１端末１０１は、ステップＳ８０３へ戻る。
【０１３６】
ステップＳ８０６において、第１無線リソース範囲および第２無線リソース範囲の各無線リソースが割り当てられている場合（ステップＳ８０６：Ｎｏ）は、第１端末１０１は、ステップＳ８０９へ移行する。すなわち、第１端末１０１は、受信した割当情報が示す第１無線リソース範囲の無線リソースを用いて、第２無線リソース範囲の無線リソースを示す制御情報を第２端末１０２へ送信する（ステップＳ８０９）。
【０１３７】
つぎに、第１端末１０１は、ステップＳ８０９によって送信した制御情報が示す第２無線リソース範囲の無線リソースを用いて第２端末１０２へユーザデータを送信し（ステップＳ８１０）、ステップＳ８０８へ移行する。
【０１３８】
（第２端末による処理）
図９は、第２端末による処理の一例を示すフローチャートである。図９においては、たとえば図２Ａ，図２Ｂに示した動作に対応する第２端末１０２の処理について説明する。第２端末１０２は、たとえば図９に示す各ステップを実行する。
【０１３９】
まず、第２端末１０２は、基地局１１０からの報知情報を受信する（ステップＳ９０１）。つぎに、第２端末１０２は、ステップＳ９０１によって受信した報知情報から、第１無線リソース範囲を示す第１無線リソース範囲情報を取得する（ステップＳ９０２）。
【０１４０】
つぎに、第２端末１０２は、ステップＳ９０２によって取得した第１無線リソース範囲情報が示す第１無線リソース範囲の受信動作を行う（ステップＳ９０３）。なお、第２端末１０２は、第１端末１０１との間の端末間通信を開始する事象が発生してからステップＳ９０３の処理を実行してもよい。端末間通信を開始する事象は、たとえば、第２端末１０２のユーザによる第２端末１０２に対する端末間通信の開始指示操作などである。第２端末１０２で実行されるアプリケーションプログラムが端末間通信の開始を要求する場合もある。
【０１４１】
つぎに、第２端末１０２は、ステップＳ９０３による受信動作によって、第１端末１０１からの自端末宛の信号を受信したか否かを判断する（ステップＳ９０４）。第１端末１０１からの信号を受信していない場合（ステップＳ９０４：Ｎｏ）は、第２端末１０２は、ステップＳ９０３へ戻る。
【０１４２】
ステップＳ９０４において、第１端末１０１からの信号を受信した場合（ステップＳ９０４：Ｙｅｓ）は、第２端末１０２は、受信した信号に、第２無線リソース範囲の無線リソースを示す制御情報が含まれていたか否かを判断する（ステップＳ９０５）。
【０１４３】
ステップＳ９０５において、第２無線リソース範囲の無線リソースを示す制御情報が含まれていない場合（ステップＳ９０５：Ｎｏ）は、受信した信号は第１端末１０１からのユーザデータであると判断することができる。この場合は、第２端末１０２は、たとえば上位層の処理部において、受信した信号をユーザデータとして処理し（ステップＳ９０６）、ステップＳ９０３へ戻る。
【０１４４】
ステップＳ９０５において、第２無線リソース範囲の無線リソースを示す制御情報が含まれていた場合（ステップＳ９０５：Ｙｅｓ）は、第２端末１０２は、受信した制御情報が示す第２無線リソース範囲の無線リソースの受信動作を行う（ステップＳ９０７）。
【０１４５】
つぎに、第２端末１０２は、ステップＳ９０７による受信動作によって、第１端末１０１からの自端末宛の信号を受信したか否かを判断する（ステップＳ９０８）。第１端末１０１からの信号を受信していない場合（ステップＳ９０８：Ｎｏ）は、第２端末１０２は、ステップＳ９０７へ戻る。
【０１４６】
ステップＳ９０８において、第１端末１０１からの信号を受信した場合（ステップＳ９０８：Ｙｅｓ）は、第２端末１０２は、たとえば上位層の処理部において、受信した信号をユーザデータとして処理し（ステップＳ９０９）、ステップＳ９０３へ戻る。
【０１４７】
（基地局の構成）
図１０Ａは、基地局の構成の一例を示す図である。図１０Ｂは、図１０Ａに示した基地局の構成における信号の流れの一例を示す図である。基地局１１０は、たとえば、図１０Ａ，図１０Ｂに示すように、アンテナ１００１と、無線信号処理部１００２と、受信信号分解部１００３と、リソース割当要求解析部１００４と、リソース割当制御部１００５と、ユーザ受信データ解析部１００６と、を備える。また、基地局１１０は、制御信号解析部１００７と、基地局機能制御部１００８と、コアネットワークインタフェース１００９と、フレーム構成設定部１０１０と、を備える。また、基地局１１０は、データ信号生成部１０１１と、報知情報生成部１０１２と、制御情報生成部１０１３と、送信信号作成部１０１４と、無線信号制御部１０１５と、を備える。
【０１４８】
アンテナ１００１は、基地局１１０とは異なる通信装置から無線送信された信号を受信し、受信した信号を無線信号処理部１００２へ出力する。また、アンテナ１００１は、無線信号処理部１００２から出力された信号を、基地局１１０とは異なる通信装置へ無線送信する。基地局１１０とは異なる通信装置は、たとえば第１端末１０１や第２端末１０２などの端末である。
【０１４９】
無線信号処理部１００２は、無線信号制御部１０１５からの制御に従って、アンテナ１００１から出力された信号の受信処理を行う。無線信号処理部１００２による受信処理には、たとえば、増幅、ＲＦ（Ｒａｄｉｏ  Ｆｒｅｑｕｅｎｃｙ：高周波）帯からベースバンド帯への周波数変換、アナログ信号からデジタル信号への変換などが含まれる。無線信号処理部１００２は、受信処理を行った信号を受信信号分解部１００３へ出力する。
【０１５０】
また、無線信号処理部１００２は、無線信号制御部１０１５からの制御に従って、送信信号作成部１０１４から出力された信号の送信処理を行う。無線信号処理部１００２による送信処理には、たとえば、デジタル信号からアナログ信号への変換、ベースバンド帯からＲＦ帯への周波数変換、増幅などが含まれる。無線信号処理部１００２は、送信処理を行った信号をアンテナ１００１へ出力する。
【０１５１】
受信信号分解部１００３は、フレーム構成設定部１０１０から出力されたフレーム構成の設定結果に基づいて、無線信号処理部１００２から出力された信号の分解処理を行う。そして、受信信号分解部１００３は、分解処理により得られたリソース要求信号をリソース割当要求解析部１００４へ出力する。
【０１５２】
また、受信信号分解部１００３は、分解処理により得られたユーザデータをユーザ受信データ解析部１００６へ出力する。また、受信信号分解部１００３は、分解処理により得られた制御信号を制御信号解析部１００７へ出力する。
【０１５３】
リソース割当要求解析部１００４は、受信信号分解部１００３から出力されたリソース要求信号の解析を行い、解析結果をリソース割当制御部１００５へ出力する。
【０１５４】
リソース割当制御部１００５は、基地局機能制御部１００８からの制御に従って、リソース割当要求解析部１００４から出力された解析結果に基づいて、第１端末１０１と第２端末１０２との間の端末間通信に要する無線リソースの割当量を判定する。たとえば、リソース割当制御部１００５は、第１端末１０１と第２端末１０２との間の端末間通信に要する無線リソースの割当量をリソース要求信号の解析結果から判定する。
【０１５５】
そして、リソース割当制御部１００５は、判定した割当量が所定量以下である場合は、第１端末１０１と第２端末１０２との間の端末間通信に、第１無線リソース範囲の無線リソースのみを割り当てる。また、リソース割当制御部１００５は、判定した割当量が所定量を超える場合は、第１端末１０１と第２端末１０２との間の端末間通信に、第１無線リソースおよび第２無線リソースの各無線リソースを割り当てる。そして、リソース割当制御部１００５は、第１端末１０１と第２端末１０２との間の端末間通信に割り当てた無線リソースを示す割当情報を制御情報生成部１０１３へ出力する。
【０１５６】
ユーザ受信データ解析部１００６は、受信信号分解部１００３から出力されたユーザデータを解析し、解析したユーザデータをコアネットワークインタフェース１００９へ出力する。ユーザデータには、たとえば、第１端末１０１や第２端末１０２から送信されたユーザデータが含まれる。
【０１５７】
制御信号解析部１００７は、受信信号分解部１００３から出力された制御信号を解析し、解析結果を基地局機能制御部１００８へ通知する。制御信号解析部１００７が解析する制御信号には、たとえば第１端末１０１や第２端末１０２から送信された制御信号などが含まれる。
【０１５８】
基地局機能制御部１００８は、制御信号解析部１００７からの通知結果に基づいて、リソース割当制御部１００５、フレーム構成設定部１０１０、報知情報生成部１０１２、制御情報生成部１０１３および無線信号制御部１０１５の各制御を行う。また、基地局機能制御部１００８による制御の処理は、たとえば、コアネットワークの上位システムからコアネットワークインタフェース１００９を介して受信される制御信号により制御される。
【０１５９】
コアネットワークインタフェース１００９は、コアネットワークとの間で通信を行うためのインタフェースである。コアネットワークは、基地局１１０が属する移動体通信網のコアネットワークである。たとえば、コアネットワークインタフェース１００９は、コアネットワークの上位システムから受信した基地局機能制御部１００８に対する制御信号を基地局機能制御部１００８へ出力する。
【０１６０】
また、コアネットワークインタフェース１００９は、ユーザ受信データ解析部１００６から出力されたユーザデータをコアネットワークへ送信する。また、コアネットワークインタフェース１００９は、コアネットワークから受信した信号をデータ信号生成部１０１１へ出力する。コアネットワークインタフェース１００９がデータ信号生成部１０１１に出力する信号には、第１端末１０１や第２端末１０２へのユーザデータが含まれる。
【０１６１】
フレーム構成設定部１０１０は、基地局機能制御部１００８からの制御に従って、セル１１１におけるフレーム構成の設定を行う。フレーム構成は、たとえば図５に示した無線フレーム５００を含むフレーム構成である。フレーム構成設定部１０１０は、フレーム構成の設定結果を受信信号分解部１００３および送信信号作成部１０１４へ出力する。
【０１６２】
データ信号生成部１０１１は、コアネットワークインタフェース１００９から出力されたユーザデータを含むデータ信号を生成し、生成したデータ信号を送信信号作成部１０１４へ出力する。報知情報生成部１０１２は、基地局機能制御部１００８からの制御に従って、基地局１１０が送信する報知情報を生成し、生成した報知情報を送信信号作成部１０１４へ出力する。
【０１６３】
制御情報生成部１０１３は、基地局機能制御部１００８からの制御に従って、基地局１１０から第１端末１０１や第２端末１０２へ送信すべき制御情報を生成し、生成した制御情報を送信信号作成部１０１４へ出力する。制御情報生成部１０１３が出力する制御情報には、リソース割当制御部１００５から出力された割当情報が含まれる。
【０１６４】
送信信号作成部１０１４は、データ信号生成部１０１１から出力されたデータ信号と、報知情報生成部１０１２から出力された報知情報と、制御情報生成部１０１３から出力された制御情報と、を含む信号を作成する。また、送信信号作成部１０１４は、フレーム構成設定部１０１０から出力されたフレーム構成の設定結果に基づいて各情報の信号への割り当てを行うことで信号を作成する。
【０１６５】
また、送信信号作成部１０１４は、フレーム構成設定部１０１０から出力されたフレーム構成の設定結果に含まれる第１無線リソース範囲を示す第１無線リソース範囲情報を、作成する信号の報知情報に格納する。そして、送信信号作成部１０１４は、作成した信号を無線信号処理部１００２へ出力する。
【０１６６】
無線信号制御部１０１５は、基地局機能制御部１００８からの制御に従って、無線信号処理部１００２における受信処理を制御する。たとえば、無線信号制御部１０１５は、無線信号処理部１００２によって受信される信号の周波数や増幅器のゲインなどの制御を行う。
【０１６７】
また、無線信号制御部１０１５は、基地局機能制御部１００８からの制御に従って、無線信号処理部１００２における送信処理を制御する。たとえば、無線信号制御部１０１５は、無線信号処理部１００２によって送信される信号の周波数や電力などの制御を行う。
【０１６８】
図１０Ａ，図１０Ｂに示した基地局１１０において、無線リソースの第１範囲を報知する報知情報を送信する報知部は、アンテナ１００１、無線信号処理部１００２、報知情報生成部１０１２および送信信号作成部１０１４により実現することができる。また、第１端末１０１と第２端末１０２との間の端末間通信に無線リソースを割り当てる割当部は、リソース割当制御部１００５および基地局機能制御部１００８により実現することができる。また、割当部によって割り当てられた無線リソースを示す割当情報を第１端末１０１へ送信する送信部は、アンテナ１００１、無線信号処理部１００２、制御情報生成部１０１３および送信信号作成部１０１４により実現することができる。
【０１６９】
（基地局のハードウェア構成）
図１１Ａは、基地局のハードウェア構成の一例を示す図である。図１１Ｂは、図１１Ａに示した基地局のハードウェア構成における信号の流れの一例を示す図である。図１１Ａ，図１１Ｂにおいて、図１０Ａ，図１０Ｂに示した部分と同様の部分については同一の符号を付して説明を省略する。基地局１１０は、たとえば図１１Ａ，図１１Ｂに示すように、アンテナ１００１と、送受信号分離器１１０１と、受信ＲＦ回路１１０２と、受信ＢＢ回路１１０３と、セルラ無線基地局動作制御プロセッサ１１０４と、を備える。また、基地局１１０は、コアネットワークインタフェース１００９と、送信ＢＢ回路１１０５と、送信ＲＦ回路１１０６と、を備える。
【０１７０】
送受信号分離器１１０１は、アンテナ１００１から出力された信号を受信ＲＦ回路１１０２へ出力するとともに、送信ＲＦ回路１１０６から出力された信号をアンテナ１００１へ出力することにより、アンテナ１００１が送受信する各信号を分離する。
【０１７１】
受信ＲＦ回路１１０２は、送受信号分離器１１０１から出力された信号のＲＦ帯での受信処理を行い、ＲＦ帯での受信処理を行った信号を受信ＢＢ回路１１０３へ出力する。受信ＢＢ回路１１０３は、送受信号分離器１１０１から出力された信号のＢＢ（Ｂａｓｅ  Ｂａｎｄ：ベースバンド）帯での受信処理を行い、ＢＢ帯での受信処理を行った信号（受信信号）をセルラ無線基地局動作制御プロセッサ１１０４へ出力する。
【０１７２】
セルラ無線基地局動作制御プロセッサ１１０４は、基地局１１０の全体の制御を司るプロセッサである。たとえば、セルラ無線基地局動作制御プロセッサ１１０４は、制御信号を送信することにより、受信ＲＦ回路１１０２、受信ＢＢ回路１１０３、送信ＢＢ回路１１０５および送信ＲＦ回路１１０６をそれぞれ制御する。
【０１７３】
また、セルラ無線基地局動作制御プロセッサ１１０４は、受信ＢＢ回路１１０３から出力された受信データを、コアネットワークインタフェース１００９を介してコアネットワークへ送信する。また、セルラ無線基地局動作制御プロセッサ１１０４は、コアネットワークインタフェース１００９を介してコアネットワークから受信した信号のうちの基地局１１０が送信すべき信号（送信信号）を送信ＢＢ回路１１０５へ出力する。
【０１７４】
セルラ無線基地局動作制御プロセッサ１１０４は、たとえばＣＰＵ（Ｃｅｎｔｒａｌ  Ｐｒｏｃｅｓｓｉｎｇ  Ｕｎｉｔ：中央処理装置）やＤＳＰ（Ｄｉｇｉｔａｌ  Ｓｉｇｎａｌ  Ｐｒｏｃｅｓｓｏｒ）などのプロセッサによって実現することができる。
【０１７５】
送信ＢＢ回路１１０５は、セルラ無線基地局動作制御プロセッサ１１０４から出力された信号のＢＢ帯での送信処理を行い、ＢＢ帯での送信処理を行った信号を送信ＲＦ回路１１０６へ出力する。送信ＲＦ回路１１０６は、送信ＢＢ回路１１０５から出力された信号のＲＦ帯での送信処理を行い、ＲＦ帯での送信処理を行った信号を送受信号分離器１１０１へ出力する。
【０１７６】
図１０Ａ，図１０Ｂに示した無線信号処理部１００２は、たとえば受信ＲＦ回路１１０２、受信ＢＢ回路１１０３、送信ＢＢ回路１１０５および送信ＲＦ回路１１０６により実現することができる。図１０Ａ，図１０Ｂに示した受信信号分解部１００３、リソース割当要求解析部１００４、リソース割当制御部１００５およびユーザ受信データ解析部１００６は、たとえばセルラ無線基地局動作制御プロセッサ１１０４により実現することができる。
【０１７７】
図１０Ａ，図１０Ｂに示した制御信号解析部１００７、基地局機能制御部１００８、フレーム構成設定部１０１０およびデータ信号生成部１０１１は、たとえばセルラ無線基地局動作制御プロセッサ１１０４により実現することができる。図１０Ａ，図１０Ｂに示した報知情報生成部１０１２、制御情報生成部１０１３、送信信号作成部１０１４および無線信号制御部１０１５は、たとえばセルラ無線基地局動作制御プロセッサ１１０４により実現することができる。
【０１７８】
（端末の構成）
図１２Ａは、端末の構成の一例を示す図である。図１２Ｂは、図１２Ａに示した端末の構成における信号の流れの一例を示す図である。第１端末１０１および第２端末１０２のそれぞれは、たとえば図１２Ａ，図１２Ｂに示す端末１２００により実現することができる。端末１２００は、アンテナ１２０１と、無線信号処理部１２０２と、受信信号分解部１２０３と、ユーザ受信データ解析部１２０４と、報知情報解析部１２０５と、制御信号解析部１２０６と、端末機能制御部１２０７と、を備える。また、端末１２００は、端末制御上位プログラム実行部１２０８と、データ信号生成部１２０９と、制御情報生成部１２１０と、送信信号作成部１２１１と、無線信号制御部１２１２と、を備える。
【０１７９】
アンテナ１２０１は、端末１２００とは異なる通信装置から無線送信された信号を受信し、受信した信号を無線信号処理部１２０２へ出力する。また、アンテナ１２０１は、無線信号処理部１２０２から出力された信号を、端末１２００とは異なる通信装置へ無線送信する。端末１２００とは異なる通信装置は、たとえば他端末や基地局１１０である。
【０１８０】
無線信号処理部１２０２は、無線信号制御部１２１２からの制御に従って、アンテナ１２０１から出力された信号の受信処理を行う。無線信号処理部１２０２による受信処理には、たとえば、増幅、ＲＦ帯からベースバンド帯への周波数変換、アナログ信号からデジタル信号への変換などが含まれる。無線信号処理部１２０２は、受信処理を行った信号を受信信号分解部１２０３へ出力する。
【０１８１】
また、無線信号処理部１２０２は、無線信号制御部１２１２からの制御に従って、送信信号作成部１２１１から出力された信号の送信処理を行う。無線信号処理部１２０２による送信処理には、たとえば、デジタル信号からアナログ信号への変換、ベースバンド帯からＲＦ帯への周波数変換、増幅などが含まれる。無線信号処理部１２０２は、送信処理を行った信号をアンテナ１２０１へ出力する。
【０１８２】
受信信号分解部１２０３は、端末機能制御部１２０７からの制御に従って、無線信号処理部１２０２から出力された信号の分解処理を行う。たとえば、受信信号分解部１２０３は、端末機能制御部１２０７から通知されたＤＬのフレーム構成などに基づいて分解処理を行う。そして、受信信号分解部１２０３は、分解処理により得られたユーザデータをユーザ受信データ解析部１２０４へ出力する。また、受信信号分解部１２０３は、分解処理により得られた報知情報を報知情報解析部１２０５へ出力する。また、受信信号分解部１２０３は、分解処理により得られた制御信号を制御信号解析部１２０６へ出力する。
【０１８３】
ユーザ受信データ解析部１２０４は、受信信号分解部１２０３から出力された各信号からユーザデータを解析し、解析を行ったユーザデータを端末制御上位プログラム実行部１２０８へ出力する。ユーザデータには、たとえば、基地局１１０から送信されたユーザデータや、他端末から端末間通信により送信されたユーザデータが含まれる。
【０１８４】
報知情報解析部１２０５は、受信信号分解部１２０３から出力された各信号から報知情報を解析し、解析結果を端末機能制御部１２０７へ通知する。たとえば、報知情報解析部１２０５は、報知情報に含まれる第１無線リソース範囲情報を取得し、取得した第１無線リソース範囲情報が示す第１無線リソース範囲を端末機能制御部１２０７へ通知する。
【０１８５】
制御信号解析部１２０６は、受信信号分解部１２０３から出力された各信号から制御信号の解析を行い、解析結果を端末機能制御部１２０７へ通知する。たとえば、制御信号解析部１２０６は、制御信号に含まれる割当情報や制御情報を取得し、取得した割当情報や制御情報が示す無線リソースを端末機能制御部１２０７へ通知する。
【０１８６】
端末機能制御部１２０７は、報知情報解析部１２０５および制御信号解析部１２０６からの通知結果に基づいて、受信信号分解部１２０３、制御情報生成部１２１０、送信信号作成部１２１１および無線信号制御部１２１２の制御を行う。また、端末機能制御部１２０７による制御の処理は端末制御上位プログラム実行部１２０８によって制御される。端末機能制御部１２０７は、制御の処理結果を端末制御上位プログラム実行部１２０８へ通知する。
【０１８７】
端末制御上位プログラム実行部１２０８は、端末１２００における通信の上位層の処理を行う。たとえば、端末制御上位プログラム実行部１２０８は、ユーザ受信データ解析部１２０４から出力されたユーザデータに基づく処理を行う。また、端末制御上位プログラム実行部１２０８は、端末１２００が他の通信装置へ送信すべきユーザデータをデータ信号生成部１２０９へ出力する。
【０１８８】
データ信号生成部１２０９は、端末制御上位プログラム実行部１２０８から出力されたユーザデータを含むデータ信号を生成し、生成したデータ信号を送信信号作成部１２１１へ出力する。制御情報生成部１２１０は、端末機能制御部１２０７からの制御に従って、端末１２００が他の通信装置へ送信すべき制御情報を生成し、生成した制御情報を送信信号作成部１２１１へ出力する。制御情報生成部１２１０が生成する制御信号には、たとえば上述したリソース要求信号が含まれる。
【０１８９】
送信信号作成部１２１１は、端末機能制御部１２０７からの制御に従って、データ信号生成部１２０９から出力されたデータ信号と、制御情報生成部１２１０から出力された制御情報と、を含む、端末１２００が送信すべき信号を作成する。たとえば、送信信号作成部１２１１は、端末機能制御部１２０７から通知されたＵＬのフレーム構成などに基づいて信号を作成する。そして、送信信号作成部１２１１は、作成した信号を無線信号処理部１２０２へ出力する。
【０１９０】
無線信号制御部１２１２は、端末機能制御部１２０７からの制御に従って、無線信号処理部１２０２における受信処理を制御する。たとえば、無線信号制御部１２１２は、無線信号処理部１２０２によって受信される信号の周波数や増幅器のゲインなどの制御を行う。
【０１９１】
また、無線信号制御部１２１２は、無線信号処理部１２０２における、上述した特定の無線リソース範囲の受信動作を制御する。たとえば、無線信号制御部１２１２は、第１無線リソース範囲または第２無線リソース範囲の周波数成分のみを復調するように無線信号処理部１２０２を制御する。
【０１９２】
また、無線信号制御部１２１２は、端末機能制御部１２０７からの制御に従って、無線信号処理部１２０２における送信処理を制御する。たとえば、無線信号制御部１２１２は、無線信号処理部１２０２によって送信される信号の周波数や電力などの制御を行う。
【０１９３】
端末１２００を第１端末１０１に適用する場合に、基地局１１０からの各割当情報を受信する受信部は、たとえばアンテナ１２０１、無線信号処理部１２０２、受信信号分解部１２０３および制御信号解析部１２０６により実現することができる。また、第２端末１０２との間で信号の受信を行う通信部は、たとえばアンテナ１２０１、無線信号処理部１２０２、受信信号分解部１２０３、ユーザ受信データ解析部１２０４および制御信号解析部１２０６により実現することができる。また、第２端末１０２との間で信号の送信を行う通信部は、たとえばアンテナ１２０１、無線信号処理部１２０２、データ信号生成部１２０９、制御情報生成部１２１０および送信信号作成部１２１１により実現することができる。
【０１９４】
端末１２００を第２端末１０２に適用する場合に、基地局からの報知情報を受信する受信部は、たとえばアンテナ１２０１、無線信号処理部１２０２、受信信号分解部１２０３および報知情報解析部１２０５により実現することができる。また、第１端末１０１との間で信号の送信を行う通信部は、たとえばアンテナ１２０１、無線信号処理部１２０２、データ信号生成部１２０９、制御情報生成部１２１０および送信信号作成部１２１１により実現することができる。
【０１９５】
（端末のハードウェア構成）
図１３Ａは、端末のハードウェア構成の一例を示す図である。図１３Ｂは、図１３Ａに示した端末のハードウェア構成における信号の流れの一例を示す図である。図１３Ａ，図１３Ｂにおいて、図１２Ａ，図１２Ｂに示した部分と同様の部分については同一の符号を付して説明を省略する。図１２Ａ，図１２Ｂに示した端末１２００は、たとえば図１３Ａ，図１３Ｂに示すように、アンテナ１２０１と、送受信号分離器１３０１と、受信ＲＦ回路１３０２と、受信ＢＢ回路１３０３と、セルラ無線端末動作制御プロセッサ１３０４と、を備える。また、端末１２００は、端末動作全体制御親プロセッサ１３０５と、送信ＢＢ回路１３０６と、送信ＲＦ回路１３０７と、を備える。
【０１９６】
送受信号分離器１３０１は、アンテナ１２０１から出力された信号を受信ＲＦ回路１３０２へ出力するとともに、送信ＲＦ回路１３０７から出力された信号をアンテナ１２０１へ出力することにより、アンテナ１２０１が送受信する各信号を分離する。
【０１９７】
受信ＲＦ回路１３０２は、送受信号分離器１３０１から出力された信号のＲＦ帯での受信処理を行い、ＲＦ帯での受信処理を行った信号を受信ＢＢ回路１３０３へ出力する。受信ＢＢ回路１３０３は、送受信号分離器１３０１から出力された信号のＢＢ帯での受信処理を行い、ＢＢ帯での受信処理を行った信号（受信信号）をセルラ無線端末動作制御プロセッサ１３０４へ出力する。
【０１９８】
セルラ無線端末動作制御プロセッサ１３０４は、端末１２００による通信の制御を司るプロセッサである。たとえば、セルラ無線端末動作制御プロセッサ１３０４は、制御信号を送信することにより、受信ＲＦ回路１３０２、受信ＢＢ回路１３０３、送信ＢＢ回路１３０６および送信ＲＦ回路１３０７をそれぞれ制御する。
【０１９９】
また、セルラ無線端末動作制御プロセッサ１３０４は、受信ＢＢ回路１３０３から出力された受信データに基づく処理を行う。また、セルラ無線端末動作制御プロセッサ１３０４は、端末１２００が送信すべき信号（送信信号）を送信ＢＢ回路１３０６へ出力する。
【０２００】
端末動作全体制御親プロセッサ１３０５は、セルラ無線端末動作制御プロセッサ１３０４を制御する上位層（たとえばアプリケーション層）の処理を行うプロセッサである。セルラ無線端末動作制御プロセッサ１３０４および端末動作全体制御親プロセッサ１３０５は、たとえばＣＰＵやＤＳＰなどのプロセッサによって実現することができる。
【０２０１】
送信ＢＢ回路１３０６は、セルラ無線端末動作制御プロセッサ１３０４から出力された信号のＢＢ帯での送信処理を行い、ＢＢ帯での送信処理を行った信号を送信ＲＦ回路１３０７へ出力する。送信ＲＦ回路１３０７は、送信ＢＢ回路１３０６から出力された信号のＲＦ帯での送信処理を行い、ＲＦ帯での送信処理を行った信号を送受信号分離器１３０１へ出力する。
【０２０２】
図１２Ａ，図１２Ｂに示した無線信号処理部１２０２は、たとえば受信ＲＦ回路１３０２、受信ＢＢ回路１３０３、送信ＢＢ回路１３０６および送信ＲＦ回路１３０７により実現することができる。図１２Ａ，図１２Ｂした受信信号分解部１２０３、ユーザ受信データ解析部１２０４、報知情報解析部１２０５、制御信号解析部１２０６および端末機能制御部１２０７は、たとえばセルラ無線端末動作制御プロセッサ１３０４により実現することができる。
【０２０３】
図１２Ａ，図１２Ｂに示した端末制御上位プログラム実行部１２０８、データ信号生成部１２０９および制御情報生成部１２１０は、たとえばセルラ無線端末動作制御プロセッサ１３０４により実現することができる。また、図１２Ａ，図１２Ｂに示した送信信号作成部１２１１および無線信号制御部１２１２は、たとえばセルラ無線端末動作制御プロセッサ１３０４により実現することができる。
【０２０４】
このように、実施の形態によれば、第１端末１０１と第２端末１０２との間の端末間通信に第１無線リソース範囲および第２無線リソース範囲が設定される。そして、第１の場合は第１無線リソース範囲のみの無線リソースを端末間通信に割り当て、第２の場合は第１無線リソース範囲および第２無線リソースの各無線リソースを端末間通信に割り当てることができる。
【０２０５】
これにより、第１の場合は限定された第１範囲の中から無線リソースを指定することができる。また、第１，第２範囲の中から無線リソースを指定するのは第２の場合に限定することができる。このため、第１の場合および第２の場合の両方が生じる状況であれば、たとえば第１無線リソース範囲および第２無線リソース範囲の合計に相当する量の無線リソース範囲の中から常に無線リソースの割当を行う構成に比べて、割当結果を第１端末１０１へ通知する信号の情報量を少なくすることができる。
【０２０６】
たとえば、従来、セルラ無線通信システムにおいては、通信サービスが供給される地域が多数の区画（セル）に区切られ、セルごとに基地局が設置される。ユーザ端末は自端末が属するセルの基地局と通信を行う。区画ごとに設置されている各基地局は、セルラ無線通信システムのコアネットワークに接続されており、コアネットワークはインターネットや別のセルラ通信事業者が経営するセルラ無線通信システムのコアネットワークに接続されている。
【０２０７】
端末が直接通信を行うのはセルラ無線通信システムの基地局であるが、コアネットワークを通じてインターネットや別の基地局と通信をする別の端末、あるいは別のセルラ通信事業者と契約する別の端末との通信を行うことができる。セルラ無線通信システムでの端末と基地局との通信は、たとえば以下の手順で行われる。
【０２０８】
まず、端末が、基地局が常時送信している同期信号を受信して、基地局が送信する無線フレームのタイミングを得る。そして、端末は、基地局が送信する報知情報を受信して、そのセルラ無線通信システムで使用されている設定パラメータの情報を得る。
【０２０９】
つぎに、端末は、基地局に接続要求信号を送信する。端末からの接続要求信号を受け取った基地局は、端末の認証、位置登録、端末識別コードの交付など、接続状態を確立するために要する情報交換をするための無線リソースを確保し、その無線リソースを使って基地局と端末が情報交換を行って接続状態を確立する。
【０２１０】
つぎに、送信すべきデータが発生した端末は、基地局に上り帯域割り当て要求信号を送信する。基地局は、端末に対して上り無線リソースを割り当て、端末はその無線リソースを用いて基地局にデータを送信する。
【０２１１】
また、端末は、基地局からの下り制御信号を常時受信しており、自分宛の下りデータが送られてくる無線リソース情報を検知すると、その無線リソースで下りデータ受信動作を行い、基地局から送られてくるデータを受信する。
【０２１２】
セルラ無線通信システムが端末と基地局の間で通信を行うためのこれらの手順は３ＧＰＰ（３ｒｄ  Ｇｅｎｅｒａｔｉｏｎ  Ｐａｒｔｎｅｒｓｈｉｐ  Ｐｒｏｊｅｃｔ）などで詳細に決められている。
【０２１３】
しかしながら、これらの手順においては、端末同士が直接通信することが想定されていない。たとえば第１端末と第２端末が通信を行うとすると、まず、第１端末と、第１端末が属する基地局と、が通信を行い、コアネットワークを介して第２端末が属する基地局につながり、そこから第２端末に接続される。第１端末と第２端末が同じ基地局に属する場合でも、基地局内で両者を接続する機能がなく、いったんコアネットワークを経由してそこで接続してから再び同じ基地局を介して通信を行うことが一般的になっている。
【０２１４】
第１端末と第２端末が異なるセルラ通信事業者と契約している場合は、第１端末が契約するセルラ通信事業者のコアネットワーク、第２端末が契約するセルラ通信事業者のコアネットワークを順次経由した接続となる。
【０２１５】
近年、セルラ無線通信システムの端末同士に、基地局やコアネットワークを介さずに直接通信させる端末間通信が検討されている。この端末間通信は、災害などで基地局やコアネットワークが一時的に利用できなくなっている場合にも端末同士の通信を確保することを可能にする。また、この端末間通信は、自動販売機やゲーム機といった端末が直接通信を行うことができるにも関わらず基地局やコアネットワークを介した通信を行わざるを得ないことにより基地局やコアネットワークの処理負荷が増えることを軽減することができる。
【０２１６】
また、近接する端末同士がそれぞれの基地局と通信を行うよりも少ない送信電力で直接通信ができるとすると、端末が通信のために使用する電力を軽減することもできる。ここで、セルラ無線通信システムの端末同士が通信を行う場合でも、基地局と通信を行う場合に準じた制御が必要となる。
【０２１７】
第１に、端末が直接通信のために使用する無線リソースの情報を得なければならない。この情報がなければ端末はいつどこで送信をし、いつどこで受信をしてよいのかが定まらない。この情報は、端末の通信相手が必ず基地局であった通常のセルラ無線通信システムでは制御情報として基地局より与えられた。
【０２１８】
第２に、その無線リソースは基本的には基地局で管理されるものでなければ、端末間直接通信のために端末が送信する信号が従来の手法に従い行われる基地局と端末の間の通信に干渉を与えたり、逆に端末間通信が従来の基地局端末間通信に干渉を受けたりする。
【０２１９】
３ＧＰＰ  ＲＡＮ  ＷＧ１（たとえばＲ１−１４０７７１）においては、端末間のデータ通信に使われる無線リソースの情報を、ＳＡ  ｐｏｏｌ（ｓｃｈｅｄｕｌｅ  ａｓｓｉｇｎｍｅｎｔ  ｐｏｏｌ）と呼ばれる無線リソースを使って端末間通信を行う端末に通知する方法が検討されている。
【０２２０】
基地局は、端末から端末間データ通信に使用する無線リソースの要求があった場合に、割り当てる無線リソースをこのＳＡ  ｐｏｏｌ内の無線リソースを使って通知する。ＳＡ  ｐｏｏｌ自身に使われる無線リソースの情報は、基地局から報知情報として通知されるか、端末にあらかじめ設定しておくことが検討されている。
【０２２１】
端末はＳＡ  ｐｏｏｌ内の無線リソースにおいて受信動作をし、そこで端末間データ通信に使用する無線リソース情報を得て端末間データ通信を実行する。端末間通信を行わない場合には、ＳＡ  ｐｏｏｌ以外の無線リソースにおける受信動作を停止することができ、消費電力の低減を図ることができる。
【０２２２】
ここで、基地局が無線リソースを管理できる場合に、基地局が端末間通信に使用可能な無線リソースを端末に通知し、端末間通信を行う端末はその無線リソースを使って端末間通信を行うことが望ましい。これにより、端末間通信と、端末と基地局の間の通信と、の間の相互の干渉や、２つ以上の異なる端末間通信の間の干渉を抑制することができる。
【０２２３】
この場合に、端末間通信に使う無線リソース情報が基地局から端末間通信を行う端末に通知される。無線リソースの情報は、たとえば無線フレーム上の時間軸上の場所と周波数軸上の場所の組み合わせで指定される。時間軸上にＮシンボル、周波数軸上においてＭブロックで構成される無線フレームでは、無線リソース割り当て単位があるとすると、Ｎ×Ｍ通りの場所の中から指定することを要する。
【０２２４】
端末間通信を行う端末のうち、基地局に無線リソースを要求した端末へは、その応答として許可される無線リソース情報が通知されうる。一方、相手方の端末への無線リソース情報の通知は、基地局が相手方の端末にも通知する方法の他、基地局から無線リソース情報を得た端末が端末間通信により相手方の端末に通知する方法がある。
【０２２５】
いずれの方法にせよ、効率のよい通知方法が望まれる。通知する無線リソースが無線フレーム上のＮ×Ｍ通りの場所のいずれであっても通知できるように無線リソース情報伝達の方法を構成することは、フレーム構成上の柔軟性を確保するが、通知に必要な情報量が増大する場合がある。
【０２２６】
これに対して、上述した実施の形態によれば、端末間通信に要する無線リソース量が少ない場合は第１範囲のみの無線リソースを端末間通信に割り当てることができる。また、端末間通信に要するリソース量が多い場合は第１，第２範囲の各無線リソースを端末間通信に割り当てることができる。これにより、端末間通信に要する無線リソース量が少ない場合は限定された第１範囲の中から無線リソースを指定することができる。また、端末間通信に要する無線リソース量が多い場合に限って第１，第２範囲の中から無線リソースを指定することができる。このため、割当リソースを端末へ通知する信号の情報量を減らすことが可能になる。
【０２２７】
以上説明したように、無線通信方法、無線通信システム、基地局および端末によれば、無線リソースを通知する制御信号の情報量の削減を図ることができる。
【符号の説明】
【０２２８】
１００  無線通信システム
１０１  第１端末
１０２  第２端末
１１０  基地局
１１１  セル
５００  無線フレーム
５０１  ＵＬ制御情報用リソース
５０２  ＵＬデータ用リソース
５０３  ＲＡＣＨ
５０４  第１無線リソース範囲
５０５  第２無線リソース範囲
６１０，６２０，６３０，６４０  メッセージ
６１１  ＳＩＢ識別子領域
６１２  無線リソース範囲情報識別子領域
６１３，６２４，６４１  シンボル領域
６１４，６２５，６４２  ＰＲＢ番号領域
６１５，６２６，６４３  ＰＲＢ数領域
６２１  リソース割当情報識別子領域
６２２，６２７，６４４  ＰＲＢビットマップ領域
６２３  追加無線リソース有無領域
６３１  送信元端末識別子領域
６３２  送信先端末識別子領域
６３３  追加無線リソース情報有無領域
６３４  ユーザデータ領域
６４５  Ｔ／Ｒテーブル領域
１００１，１２０１  アンテナ
１００２，１２０２  無線信号処理部
１００３，１２０３  受信信号分解部
１００４  リソース割当要求解析部
１００５  リソース割当制御部
１００６，１２０４  ユーザ受信データ解析部
１００７，１２０６  制御信号解析部
１００８  基地局機能制御部
１００９  コアネットワークインタフェース
１０１０  フレーム構成設定部
１０１１，１２０９  データ信号生成部
１０１２  報知情報生成部
１０１３，１２１０  制御情報生成部
１０１４，１２１１  送信信号作成部
１０１５，１２１２  無線信号制御部
１１０１，１３０１  送受信号分離器
１１０２，１３０２  受信ＲＦ回路
１１０３，１３０３  受信ＢＢ回路
１１０４  セルラ無線基地局動作制御プロセッサ
１１０５，１３０６  送信ＢＢ回路
１１０６，１３０７  送信ＲＦ回路
１２００  端末
１２０５  報知情報解析部
１２０７  端末機能制御部
１２０８  端末制御上位プログラム実行部
１３０４  セルラ無線端末動作制御プロセッサ
１３０５  端末動作全体制御親プロセッサ
【図１】
2016035150.tif 000003
【図２Ａ】
2016035150.tif 000004
【図２Ｂ】
2016035150.tif 000005
【図３Ａ】
2016035150.tif 000006
【図３Ｂ】
2016035150.tif 000007
【図４Ａ】
2016035150.tif 000008
【図４Ｂ】
2016035150.tif 000009
【図５】
2016035150.tif 000010
【図６Ａ】
2016035150.tif 000011
【図６Ｂ】
2016035150.tif 000012
【図６Ｃ】
2016035150.tif 000013
【図６Ｄ】
2016035150.tif 000014
【図７】
2016035150.tif 000015
【図８】
2016035150.tif 000016
【図９】
2016035150.tif 000017
【図１０Ａ】
2016035150.tif 000018
【図１０Ｂ】
2016035150.tif 000019
【図１１Ａ】
2016035150.tif 000020
【図１１Ｂ】
2016035150.tif 000021
【図１２Ａ】
2016035150.tif 000022
【図１２Ｂ】
2016035150.tif 000023
【図１３Ａ】
2016035150.tif 000024
【図１３Ｂ】
2016035150.tif 000025
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
基地局が、無線リソースの第１範囲を報知する報知情報を送信し、
第１の場合に、
前記基地局が、第１端末と第２端末との間の端末間通信に割り当てた前記第１範囲の無線リソースを示す第１割当情報を前記第１端末へ送信し、
前記第１端末が、前記基地局によって送信された前記第１割当情報が示す無線リソースを用いて前記第２端末へ信号を送信し、
前記第２端末が、前記基地局によって送信された前記報知情報に基づいて前記第１端末からの前記信号を受信し、
前記第１の場合と異なる第２の場合に、
前記基地局が、前記端末間通信に割り当てた前記第１範囲の無線リソースおよび前記第１範囲と異なる第２範囲の無線リソースを示す第２割当情報を前記第１端末へ送信し、
前記第１端末が、前記基地局によって送信された前記第２割当情報が示す前記第１範囲の無線リソースを用いて、前記第２割当情報が示す前記第２範囲の無線リソースを示す制御情報を前記第２端末へ送信し、
前記第２端末が、前記基地局によって送信された前記報知情報に基づいて前記第１端末からの前記制御情報を受信し、受信した前記制御情報に基づいて、前記第２範囲の無線リソースを用いて前記第１端末からの信号の受信および前記第１端末への信号の送信の少なくとも一方を行う、
ことを特徴とする無線通信方法。
【請求項２】
前記第１の場合は、前記端末間通信に割り当てるべき無線リソースの量が所定量以下の場合であり、前記第２の場合は、前記端末間通信に割り当てるべき無線リソースの量が前記所定量より多い場合であることを特徴とする請求項１に記載の無線通信方法。
【請求項３】
前記第２範囲は、前記第１範囲に基づいて特定可能な範囲であり、
前記第１端末および前記第２端末は、前記第１範囲を報知する報知情報が示す前記第１範囲に基づいて前記第２範囲を特定する、
ことを特徴とする請求項１または２に記載の無線通信方法。
【請求項４】
無線リソースの第１範囲を報知する報知情報を送信する基地局と、
互いに端末間通信を行う第１端末および第２端末と、
を含む無線通信システムであって、
前記基地局は、第１の場合に、前記端末間通信に割り当てた前記第１範囲の無線リソースを示す第１割当情報を前記第１端末へ送信し、前記第１の場合と異なる第２の場合に、前記端末間通信に割り当てた前記第１範囲の無線リソースおよび前記第１範囲と異なる第２範囲の無線リソースを示す第２割当情報を前記第１端末へ送信し、
前記第１端末は、前記第１の場合に、前記基地局によって送信された前記第１割当情報が示す無線リソースを用いて前記第２端末へ信号を送信し、前記第２の場合に、前記基地局によって送信された前記第２割当情報が示す前記第１範囲の無線リソースを用いて、前記第２割当情報が示す前記第２範囲の無線リソースを示す制御情報を前記第２端末へ送信し、
前記第２端末は、前記第１の場合に、前記基地局によって送信された前記報知情報に基づいて前記第１端末からの前記信号を受信し、前記第２の場合に、前記基地局によって送信された前記報知情報に基づいて前記第１端末からの前記制御情報を受信し、受信した前記制御情報に基づいて前記第２範囲の無線リソースを用いて前記第１端末からの信号の受信および前記第１端末への信号の送信の少なくとも一方を行う、
ことを特徴とする無線通信システム。
【請求項５】
無線リソースの第１範囲を報知する報知情報を送信する報知部と、
第１の場合に、第１端末と第２端末との間の端末間通信に前記第１範囲の無線リソースを割り当て、前記第１の場合と異なる第２の場合に、前記端末間通信に前記第１範囲の無線リソースおよび前記第１範囲と異なる第２範囲の無線リソースを割り当てる割当部と、
前記割当部によって割り当てられた無線リソースを示す割当情報を前記第１端末へ送信する送信部と、
を備えることを特徴とする基地局。
【請求項６】
無線リソースの第１範囲を報知する報知情報を送信する基地局と通信可能な端末であって、
第１の場合に、前記基地局が自端末と他端末との間の端末間通信に割り当てた前記第１範囲の無線リソースを示す第１割当情報を前記基地局から受信し、前記第１の場合と異なる第２の場合に、前記基地局が前記端末間通信に割り当てた前記第１範囲の無線リソースおよび前記第１範囲と異なる第２範囲の無線リソースを示す第２割当情報を前記基地局から受信する受信部と、
前記第１の場合に、前記受信部によって受信された前記第１割当情報が示す無線リソースを用いて前記他端末へ信号を送信し、前記第２の場合に、前記受信部によって受信された前記第２割当情報が示す前記第１範囲の無線リソースを用いて、前記第２割当情報が示す前記第２範囲の無線リソースを示す制御情報を前記他端末へ送信し、前記第２範囲の無線リソースを用いて前記他端末への信号の送信および前記他端末からの信号の受信の少なくとも一方を行う通信部と、
を備えることを特徴とする端末。
【請求項７】
無線リソースの第１範囲を報知する報知情報を送信する基地局から前記報知情報を受信する受信部と、
第１の場合に、前記基地局が自端末と他端末との間の端末間通信に割り当てた前記第１範囲の無線リソースを用いて前記他端末が送信した信号を、前記受信部によって受信された前記報知情報に基づいて受信する通信部と、
を備え、前記通信部は、前記第１の場合と異なる第２の場合に、前記基地局が前記端末間通信に割り当てた前記第１範囲の無線リソースおよび前記第１範囲と異なる第２範囲の無線リソースのうちの前記第１範囲の無線リソースを用いて前記他端末が送信した制御情報であって前記第２範囲の無線リソースを示す制御情報を前記報知情報に基づいて受信し、受信した前記制御情報に基づいて、前記第２範囲の無線リソースを用いて前記他端末からの信号の受信および前記他端末への信号の送信の少なくとも一方を行う、
ことを特徴とする端末。
【手続補正２】
【補正対象書類名】明細書
【補正対象項目名】全文
【補正方法】変更
【補正の内容】
【発明の詳細な説明】
【技術分野】
【０００１】
本発明は、無線通信方法、無線通信システム、基地局および端末に関する。
【背景技術】
【０００２】
従来、端末間で直接無線通信を行うＤ２Ｄ（Ｄｅｖｉｃｅ  ｔｏ  Ｄｅｖｉｃｅ：デバイス間）において、基地局が端末に対してＤ２Ｄのための無線リソースを割り当てる技術が知られている（たとえば、下記特許文献１，２参照。）。
【先行技術文献】
【特許文献】
【０００３】
【特許文献１】米国特許出願公開第２０１３／０１５００６１号明細書
【特許文献２】米国特許出願公開第２０１３／０３２２４１３号明細書
【発明の概要】
【発明が解決しようとする課題】
【０００４】
しかしながら、上述した従来技術では、端末間通信に対して割り当て可能な無線リソースを多く設定すると、端末間通信に対して割り当てられた無線リソースを端末へ通知する制御信号の情報量が多くなる場合がある。
【０００５】
１つの側面では、本発明は、無線リソースを通知する制御信号の情報量の削減を図ることができる無線通信方法、無線通信システム、基地局および端末を提供することを目的とする。
【課題を解決するための手段】
【０００６】
上述した課題を解決し、目的を達成するため、本発明の一側面によれば、基地局が、無線リソースの第１範囲を報知する報知情報を送信し、第１の場合に、前記基地局が、第１端末と第２端末との間の端末間通信に割り当てた前記第１範囲の無線リソースを示す第１割当情報を前記第１端末へ送信し、前記第１端末が、前記基地局によって送信された前記第１割当情報が示す無線リソースを用いて前記第２端末へ信号を送信し、前記第２端末が、前記基地局によって送信された前記報知情報に基づいて前記第１端末からの前記信号を受信し、前記第１の場合と異なる第２の場合に、前記基地局が、前記端末間通信に割り当てた前記第１範囲の無線リソースおよび前記第１範囲と異なる第２範囲の無線リソースを示す第２割当情報を前記第１端末へ送信し、前記第１端末が、前記基地局によって送信された前記第２割当情報が示す前記第１範囲の無線リソースを用いて、前記第２割当情報が示す前記第２範囲の無線リソースを示す制御情報を前記第２端末へ送信し、前記第２端末が、前記基地局によって送信された前記報知情報に基づいて前記第１端末からの前記制御情報を受信し、受信した前記制御情報に基づいて、前記第２範囲の無線リソースを用いて前記第１端末からの信号の受信および前記第１端末への信号の送信の少なくとも一方を行う無線通信方法、無線通信システム、基地局および端末が提案される。
【発明の効果】
【０００７】
本発明の一側面によれば、無線リソースを通知する制御信号の情報量の削減を図ることができるという効果を奏する。
【図面の簡単な説明】
【０００８】
【図１】図１は、実施の形態にかかる無線通信システムの一例を示す図である。
【図２Ａ】図２Ａは、第１の場合における無線通信システムの動作例１を示す図である。
【図２Ｂ】図２Ｂは、第２の場合における無線通信システムの動作例１を示す図である。
【図３Ａ】図３Ａは、第１の場合における無線通信システムの動作例２を示す図である。
【図３Ｂ】図３Ｂは、第２の場合における無線通信システムの動作例２を示す図である。
【図４Ａ】図４Ａは、第１の場合における無線通信システムの動作例３を示す図である。
【図４Ｂ】図４Ｂは、第２の場合における無線通信システムの動作例３を示す図である。
【図５】図５は、無線フレームの一例を示す図である。
【図６Ａ】図６Ａは、基地局が送信する第１無線リソース範囲情報のフォーマットの一例を示す図である。
【図６Ｂ】図６Ｂは、基地局が送信する割当情報のフォーマットの一例を示す図である。
【図６Ｃ】図６Ｃは、第１端末が第２端末へ送信する信号の一例を示す図である。
【図６Ｄ】図６Ｄは、第１端末が第２端末へ送信する信号の他の例を示す図である。
【図７】図７は、基地局による処理の一例を示すフローチャートである。
【図８】図８は、第１端末による処理の一例を示すフローチャートである。
【図９】図９は、第２端末による処理の一例を示すフローチャートである。
【図１０Ａ】図１０Ａは、基地局の構成の一例を示す図である。
【図１０Ｂ】図１０Ｂは、図１０Ａに示した基地局の構成における信号の流れの一例を示す図である。
【図１１Ａ】図１１Ａは、基地局のハードウェア構成の一例を示す図である。
【図１１Ｂ】図１１Ｂは、図１１Ａに示した基地局のハードウェア構成における信号の流れの一例を示す図である。
【図１２Ａ】図１２Ａは、端末の構成の一例を示す図である。
【図１２Ｂ】図１２Ｂは、図１２Ａに示した端末の構成における信号の流れの一例を示す図である。
【図１３Ａ】図１３Ａは、端末のハードウェア構成の一例を示す図である。
【図１３Ｂ】図１３Ｂは、図１３Ａに示した端末のハードウェア構成における信号の流れの一例を示す図である。
【発明を実施するための形態】
【０００９】
以下に図面を参照して、本発明にかかる無線通信方法、無線通信システム、基地局および端末の実施の形態を詳細に説明する。
【００１０】
（実施の形態）
図１は、実施の形態にかかる無線通信システムの一例を示す図である。図１に示すように、実施の形態にかかる無線通信システム１００は、基地局１１０と、第１端末１０１と、第２端末１０２と、を含む。
【００１１】
セル１１１は、基地局１１０が形成するセルである。第１端末１０１および第２端末１０２は、セル１１１に位置しており、基地局１１０との間で無線により通信可能である。また、第１端末１０１および第２端末１０２は、互いに直接、無線により端末間通信（Ｄ２Ｄ通信）を行うことができる。
【００１２】
基地局１１０は、第１端末１０１と第２端末１０２との間の端末間通信に使用可能な無線リソースの範囲として、第１無線リソース範囲および第２無線リソース範囲を設定する。第１無線リソース範囲および第２無線リソース範囲の設定例については後述する（たとえば図５参照）。
【００１３】
そして、基地局１１０は、第１の場合に、第１端末１０１と第２端末１０２との間の端末間通信に第１無線リソース範囲の無線リソースを割り当てる。第１の場合は、たとえば、第１端末１０１と第２端末１０２との間の端末間通信に割り当てるべき無線リソースの量が所定量以下である場合である。
【００１４】
また、基地局１１０は、第２の場合に、第１端末１０１と第２端末１０２との間の端末間通信に第１無線リソース範囲および第２無線リソース範囲の各無線リソースを割り当てる。第２の場合は、たとえば、第１端末１０１と第２端末１０２との間の端末間通信に割り当てるべき無線リソースの量が所定量より多い場合である。
【００１５】
第１端末１０１は、たとえば無線通信機能を有するスマートフォンである。ただし、第１端末１０１は、スマートフォンに限らず、各種の無線通信端末とすることができる。第２端末１０２は、たとえば無線通信機能を有するタブレットである。ただし、第２端末１０２は、タブレットに限らず、各種の無線通信端末とすることができる。
【００１６】
本実施の形態においては、第１端末１０１と第２端末１０２との間で端末間通信を行う場合に、第１端末１０１が基地局１１０に対して端末間通信のための無線リソースを要求する場合について説明する。
【００１７】
なお、第２端末１０２は、たとえば基地局１１０とオペレータが異なる端末など、基地局１１０との間でデータ通信を行うことができない端末であってもよい。この場合も、第２端末１０２は、基地局１１０から送信される報知情報を傍受することは可能である。
【００１８】
（第１の場合における無線通信システムの動作例１）
図２Ａは、第１の場合における無線通信システムの動作例１を示す図である。図２Ａにおいては、第１の場合において第１端末１０１から第２端末１０２へのデータ送信を行う動作について説明する。図２Ａに示すように、まず、基地局１１０は、設定した第１無線リソース範囲を示す第１無線リソース範囲情報を送信する（ステップＳ２１１）。第１端末１０１および第２端末１０２は、ステップＳ２１１によって送信される第１無線リソース範囲情報を受信する。
【００１９】
第１無線リソース範囲情報は、たとえばブロードキャストによって送信される報知情報である。ステップＳ２１１による第１無線リソース範囲情報の送信は、たとえばＰＤＳＣＨ（Ｐｈｙｓｉｃａｌ  Ｄｏｗｎｌｉｎｋ  Ｓｈａｒｅｄ  ＣＨａｎｎｅｌ：物理下りリンク共有チャネル）を使用して行うことができる。また、ステップＳ２１１による第１無線リソース範囲情報の送信は、ＰＢＣＨ（Ｐｈｙｓｉｃａｌ  Ｂｒｏａｄｃａｓｔ  Ｃｈａｎｎｅｌ：物理報知チャネル）を使用して行うこともできる。
【００２０】
つぎに、第１端末１０１において、第２端末１０２との間の端末間通信の実行要求が発生したとする。一例としては、第１端末１０１および第２端末１０２のそれぞれが、ユーザから端末間通信の実行操作を受け付けたとする。
【００２１】
これに対して、第１端末１０１が、第２端末１０２との間の端末間通信に使用するための無線リソースを要求するリソース要求信号を基地局１１０へ送信する（ステップＳ２１２）。なお、第１端末１０１および第２端末１０２のうちのいずれの端末がリソース要求信号を送信するかは、一例としてはユーザによる操作によって決定される。
【００２２】
ステップＳ２１２において、第１端末１０１は、たとえばＲＡＣＨ（Ｒａｎｄｏｍ  Ａｃｃｅｓｓ  Ｃｈａｎｎｅｌ：ランダムアクセスチャネル）を使用してリソース要求信号を基地局１１０へ送信することができる。ただし、リソース要求信号の送信方法はこれに限らない。たとえば、第１端末１０１は、まずＵＬ信号の送信用の無線リソースの割り当てを基地局１１０に要求し、基地局１１０から割り当てられた無線リソースを用いてリソース要求信号を基地局１１０へ送信してもよい。
【００２３】
リソース要求信号には、第１端末１０１と第２端末１０２との間の端末間通信のために要求する無線リソースの割当量を示す情報が含まれていてもよい。この無線リソースの割当量は、一例としては、ユーザ操作によって決定されてもよいし、発生した実行要求にかかる端末間通信で送受信すべきデータの量に応じて第１端末１０１が決定してもよい。
【００２４】
また、リソース要求信号には、たとえば第１端末１０１の送信バッファに滞留しているデータ量を示すバッファステータスレポート（ＢＳＲ：Ｂｕｆｆｅｒ  Ｓｔａｔｕｓ  Ｒｅｐｏｒｔ）が含まれていてもよい。また、第１端末１０１がリソース要求信号を基地局１１０へ送信した後に、基地局１１０が第１端末１０１にバッファステータスレポートを要求し、第１端末１０１がバッファステータスレポートを基地局１１０へ送信するようにしてもよい。
【００２５】
第１端末１０１からのリソース要求信号に対して、基地局１１０は、第１無線リソース範囲のみの無線リソースを割り当てるか、第１無線リソース範囲および第２無線リソース範囲の各無線リソースを割り当てるかを判断する。この判断は、第１端末１０１と第２端末１０２との間の端末間通信に要する無線リソースの割当量に基づいて行われる。第１端末１０１と第２端末１０２との間の端末間通信に要する無線リソースの割当量は、たとえば、第１端末１０１からのリソース要求信号やバッファステータスレポートから判定することができる。
【００２６】
図２Ａに示す例では、基地局１１０は、第１端末１０１と第２端末１０２との間の端末間通信に割り当てるべき無線リソースの量が所定量以下であると判断したとする（第１の場合）。この場合は、基地局１１０は、第１無線リソース範囲のみの無線リソースを割り当てる。所定量は、一例としては、たとえば第１無線リソース範囲の総量である。または、所定量は、たとえば、第１無線リソース範囲のうちの現在使用可能な空き無線リソースの総量としてもよい。
【００２７】
つぎに、基地局１１０は、割り当てた第１無線リソース範囲の無線リソースを示す割当情報を第１端末１０１へ送信する（ステップＳ２１３）。これにより、第１端末１０１は、第２端末１０２との間の端末間通信のための無線リソースが基地局１１０によって割り当てられたことを認識することができる。ステップＳ２１３の送信には、たとえばＰＤＣＣＨ（Ｐｈｙｓｉｃａｌ  Ｄｏｗｎｌｉｎｋ  Ｃｏｎｔｒｏｌ  Ｃｈａｎｎｅｌ：物理下りリンク制御チャネル）などのＤＬの個別制御信号を用いることができる。
【００２８】
つぎに、第１端末１０１は、ステップＳ２１３によって送信された割当情報が示す第１無線リソース範囲の無線リソースを使用して、第２端末１０２へユーザデータを直接送信する（ステップＳ２１４）。ステップＳ２１４によって送信されるユーザデータには、第２端末１０２を識別する符号が含まれていてもよい。これにより、第２端末１０２は、たとえば上位レイヤの処理において受信データの解釈を行う前に、自端末宛の受信データを特定し、他端末宛の受信データを破棄することができる。
【００２９】
第２端末１０２は、ステップＳ２１４によって第１端末１０１から送信されたユーザデータを受信する。たとえば、第２端末１０２は、ユーザから端末間通信の実行操作を受け付けると、ステップＳ２１１によってブロードキャストにより送信された第１無線リソース範囲情報に基づいて第１無線リソース範囲の受信動作を行う。これにより、第２端末１０２は、ステップＳ２１４によって第１端末１０１から送信されたユーザデータを受信することができる。
【００３０】
なお、基地局１１０は、ステップＳ２１３において送信する割当情報に、端末間通信のための無線リソースを通知する割当情報であることを表すフィールドを設けてもよい（たとえば図６Ｂ参照）。または、第１端末１０１は、第１端末１０１から基地局１１０へのＵＬ送信に割り当てた無線リソースを通知する制御信号と、端末間通信のための無線リソースを通知する割当情報とで、制御信号に使われる個別の識別符号として異なる識別符号を用いてもよい。これにより、第１端末１０１は、第１端末１０１から基地局１１０へのＵＬ送信に割り当てた無線リソースを通知する制御信号と、端末間通信のための無線リソースを通知する割当情報と、を区別することができる。
【００３１】
また、第１端末１０１は、受信した割当情報が示す無線リソースが第１無線リソース範囲の無線リソースか否かを、ステップＳ２１１によって送信された第１無線リソース範囲情報に基づいて判断することができる。このため、割当情報には、割当情報が示す無線リソースが第１無線リソース範囲の無線リソースか否かを示す情報を付加しなくてもよい。
【００３２】
（第２の場合における無線通信システムの動作例１）
図２Ｂは、第２の場合における無線通信システムの動作例１を示す図である。図２Ｂにおいては、第２の場合において第１端末１０１から第２端末１０２へのデータ送信を行う動作について説明する。図２Ｂに示すステップＳ２２１〜Ｓ２２３は、図２Ａに示したステップＳ２１１〜Ｓ２１３と同様である。ただし、図２Ｂに示す例では、基地局１１０が、第１端末１０１と第２端末１０２との間の端末間通信に割り当てるべき無線リソースの量が所定量より多いと判断したとする（第２の場合）。
【００３３】
この場合は、基地局１１０は、第１無線リソース範囲および第２無線リソース範囲の各無線リソースを割り当てる。そして、基地局１１０は、ステップＳ２２３において、割り当てた第１無線リソース範囲および第２無線リソース範囲の各無線リソースを示す割当情報を第１端末１０１へ送信する。
【００３４】
つぎに、第１端末１０１は、ステップＳ２２３によって送信された割当情報が示す第２無線リソース範囲の無線リソースを示す制御情報を第２端末１０２へ送信する（ステップＳ２２４）。ステップＳ２２４による制御情報の送信は、ステップＳ２２３によって送信された割当情報が示す第１無線リソース範囲の無線リソースを使用して行われる。
【００３５】
これに対して、第２端末１０２は、ステップＳ２２４によって第１端末１０１から送信された制御情報を受信する。たとえば、第２端末１０２は、ステップＳ２２１によってブロードキャストにより送信された第１無線リソース範囲情報に基づいて第１無線リソース範囲の受信動作を行うことで、第１端末１０１から送信された制御情報を受信することができる。
【００３６】
つぎに、第１端末１０１は、ステップＳ２２１〜Ｓ２２３によって送信された割当情報が示す第２無線リソース範囲の無線リソースを使用して、第２端末１０２へユーザデータを直接送信する（ステップＳ２２５）。ステップＳ２２５によって送信されるユーザデータには、第２端末１０２を識別する符号が含まれていてもよい。これにより、第２端末１０２は、たとえば上位レイヤの処理において受信データの解釈を行う前に、自端末宛の受信データを特定し、他端末宛の受信データを破棄することができる。
【００３７】
第２端末１０２は、ステップＳ２２５によって第１端末１０１から送信されたユーザデータを受信する。たとえば、第２端末１０２は、ステップＳ２２４によって第１端末１０１から受信した制御情報に基づいて第２無線リソース範囲の受信動作を行う。これにより、第２端末１０２は、ステップＳ２２５によって第１端末１０１から送信されたユーザデータを受信することができる。
【００３８】
ステップＳ２２５において、第２無線リソース範囲の無線リソースを使用してユーザデータの送信を行う場合について説明したが、基地局１１０によって割り当てられた第１無線リソース範囲の無線リソースも併用してユーザデータの送信を行ってもよい。たとえば、第１端末１０１は、割り当てられた第１無線リソース範囲の無線リソースにおいて、ステップＳ２２４による制御情報の送信に用いる無線リソースの他に余りがある場合は、余りの無線リソースも併用してユーザデータの送信を行ってもよい。
【００３９】
この場合は、第２端末１０２は、第１無線リソース範囲および第２無線リソース範囲の受信動作を行う。これにより、第２端末１０２は、ステップＳ２２５によって第１端末１０１から送信されたユーザデータを受信することができる。
【００４０】
（第１の場合における無線通信システムの動作例２）
図３Ａは、第１の場合における無線通信システムの動作例２を示す図である。図３Ａにおいては、第１の場合において第２端末１０２から第１端末１０１へのデータ送信を行う動作について説明する。図３Ａに示すステップＳ３１１〜Ｓ３１３は、図２Ａに示したステップＳ２１１〜Ｓ２１３と同様である。
【００４１】
ステップＳ３１３の後に、ステップＳ３１４へ移行する。すなわち、第１端末１０１は、基地局１１０からの割当情報が示す第１無線リソース範囲の無線リソースのうちの第１リソースを使用して、第２端末１０２の送信用の無線リソースを示す制御情報を第２端末１０２へ直接送信する（ステップＳ３１４）。第２端末１０２の送信用の無線リソースは、第１リソースと異なる第２リソースである。
【００４２】
これに対して、第２端末１０２は、ステップＳ３１１によってブロードキャストにより送信された第１無線リソース範囲情報に基づいて第１無線リソース範囲の受信動作を行う。これにより、ステップＳ３１４によって第１端末１０１から送信された制御情報を受信することができる。
【００４３】
第２端末１０２の送信用の無線リソースは、ステップＳ３１３によって送信された割当情報が示す第１無線リソース範囲の無線リソースに含まれる無線リソースである。また、第２端末１０２の送信用の無線リソースは、第１端末１０１が決定してもよいし、基地局１１０が決定してステップＳ３１３において第１端末１０１に通知してもよい。
【００４４】
つぎに、第２端末１０２は、ステップＳ３１４によって送信された制御情報が示す、第２端末１０２の送信用の無線リソースを使用して、第１端末１０１へユーザデータを直接送信する（ステップＳ３１５）。
【００４５】
（第２の場合における無線通信システムの動作例２）
図３Ｂは、第２の場合における無線通信システムの動作例２を示す図である。図３Ｂにおいては、第２の場合において第２端末１０２から第１端末１０１へのデータ送信を行う動作について説明する。図３Ｂに示すステップＳ３２１〜Ｓ３２４は、図２Ｂに示したステップＳ２２１〜Ｓ２２４と同様である。
【００４６】
ステップＳ３２４のつぎに、第２端末１０２は、ステップＳ３２４によって送信された制御情報が示す第２無線リソース範囲の無線リソースを使用して、第１端末１０１へユーザデータを直接送信する（ステップＳ３２５）。
【００４７】
（第１の場合における無線通信システムの動作例３）
図４Ａは、第１の場合における無線通信システムの動作例３を示す図である。図４Ａにおいては、第１の場合において第１端末１０１と第２端末１０２との間で双方向にデータ送信を行う動作について説明する。図４Ａに示すステップＳ４１１〜Ｓ４１４は、図２Ａに示したステップＳ２１１〜Ｓ２１４と同様である。
【００４８】
ステップＳ４１４のつぎのステップＳ４１５，Ｓ４１６は、図３Ａに示したステップＳ３１４，Ｓ３１５と同様である。また、ステップＳ４１４による第１端末１０１から第２端末１０２へのデータ送信は、ステップＳ４１５，Ｓ４１６による第２端末１０２から第１端末１０１へのデータ送信の後に実行されてもよい。
【００４９】
（第２の場合における無線通信システムの動作例３）
図４Ｂは、第２の場合における無線通信システムの動作例３を示す図である。図４Ｂにおいては、第２の場合において第１端末１０１と第２端末１０２との間で双方向にデータ送信を行う動作について説明する。図４Ｂに示すステップＳ４２１〜Ｓ４２５は、図２Ｂに示したステップＳ２２１〜Ｓ２２５と同様である。
【００５０】
ただし、ステップＳ４２５においては、第１端末１０１から第２端末１０２へのデータ送信とともに、第２端末１０２から第１端末１０１へのデータ送信も行われる。第２端末１０２は、ステップＳ４２５において、ステップＳ４２４によって第１端末１０１から送信された制御情報が示す第２無線リソース範囲の無線リソースを使用して、第１端末１０１へユーザデータを直接送信する（ステップＳ４２５）。
【００５１】
たとえば、第１端末１０１は、ステップＳ４２４において、第２無線リソース範囲の無線リソースのうちの第１リソースおよび第２リソースを示す制御情報を第２端末１０２へ送信する。そして、第１端末１０１は、ステップＳ４２５において、第１リソースを用いて第２端末１０２へユーザデータ（信号）を送信する。
【００５２】
これに対して、第２端末１０２は、ステップＳ４２４において受信した制御情報が示す第１リソースに基づいて、ステップＳ４２５において第１端末１０１からのユーザデータ（信号）を受信する。また、第２端末１０２は、ステップＳ４２４において受信した制御情報が示す第２リソースを用いて、ステップＳ４２５において第１端末１０１へユーザデータ（信号）を送信する。
【００５３】
図２Ａ，図３Ａ，図４Ａに示したように、第１の場合においては、基地局１１０が、第１端末１０１と第２端末１０２との間の端末間通信に割り当てた第１無線リソース範囲（第１範囲）の無線リソースを示す第１割当情報を第１端末１０１へ送信する。そして、第１端末１０１が、基地局１１０によって送信された第１割当情報が示す無線リソースを用いて第２端末１０２へユーザデータや制御信号などの信号を送信する。これに対して、第２端末１０２は、基地局１１０によって送信された第１無線リソース範囲情報（報知情報）に基づいて第１端末１０１からの信号を受信することができる。
【００５４】
また、図２Ｂ，図３Ｂ，図４Ｂに示したように、第２の場合においては、基地局１１０が、第１端末１０１と第２端末１０２との間の端末間通信に、第１無線リソース範囲の無線リソースおよび第２無線リソース範囲の無線リソースを割り当てる。そして、基地局１１０は、割り当てた無線リソースを示す第２割当情報を第１端末１０１へ送信する。第１端末１０１は、基地局１１０によって送信された第２割当情報が示す第１無線リソース範囲の無線リソースを用いて、第２割当情報が示す第２無線リソース範囲の無線リソースを示す制御情報を第２端末１０２へ送信する。これに対して、第２端末１０２は、基地局１１０によって送信された報知情報に基づいて第１端末１０１からの制御情報を受信することができる。また、第２端末１０２は、受信した制御情報に基づいて、第２無線リソース範囲の無線リソースを用いて第１端末１０１からの信号の受信および第１端末１０１への信号の送信の少なくとも一方を行うことができる。
【００５５】
図２Ａ〜図４Ｂに示した例では、第１の場合は、端末間通信に割り当てるべき無線リソースの量が所定量以下の場合であり、第２の場合は、端末間通信に割り当てるべき無線リソースの量が所定量より多い場合である例について説明した。ただし、第１の場合および第２の場合はこれに限らず、たとえば、第１無線リソース範囲の無線リソースの空き状態や、第１端末１０１および第２端末１０２の種別などに応じた場合であってもよい。
【００５６】
（割当情報の情報量の低減について）
たとえば、第１無線リソース範囲が、時間軸上にｎシンボル、周波数軸上にｍブロックの範囲であるとする。ｎは、たとえば無線フレーム全体（基地局１１０のセル１１１に割り当てられた無線リソース範囲）の時間軸のシンボル数Ｎより小さい。ｍは、たとえば無線フレーム全体の周波数軸のブロック数Ｍより小さい。
【００５７】
無線フレーム全体における無線リソースの割当結果を第１端末１０１へ通知するためには、割当情報にＮ×Ｍ通りの情報を格納することになる。たとえばＮ＝１４、Ｍ＝５０とすると、時間軸上の位置を示すための４［ｂｉｔ］と、周波数軸上の位置を示すための６［ｂｉｔ］と、の合計１０［ｂｉｔ］を要する。
【００５８】
これに対して、無線フレーム全体の一部である第１無線リソース範囲における無線リソースの割当結果を第１端末１０１へ通知する場合は、割当情報にｎ×ｍ通りの情報を格納すればよい。たとえば、基地局１１０は、割り当てた第１無線リソース範囲の無線リソースの第１無線リソース範囲における相対的な位置を示す割当情報を第１端末１０１へ送信する。
【００５９】
これに対して、第１端末１０１は、基地局１１０からの第１無線リソース範囲情報が示す第１無線リソース範囲と、割当情報が示す相対的な位置と、に基づいて、基地局１１０が割り当てた第１無線リソース範囲の無線リソースを特定することができる。
【００６０】
一例としては、ｎ＝２、ｍ＝２５とすると、時間軸上の位置を示すための１［ｂｉｔ］と、周波数軸上の位置を示すための５［ｂｉｔ］と、の合計６［ｂｉｔ］を要する。このため、割当情報の情報量が少なくなる。
【００６１】
また、第１端末１０１は、第１無線リソース範囲の無線リソースの第１無線リソース範囲における相対的な位置を示す制御信号を第２端末１０２へ送信してもよい。これに対して、第２端末１０２は、基地局１１０からの第１無線リソース範囲情報が示す第１無線リソース範囲と、制御信号が示す相対的な位置と、に基づいて、第１無線リソース範囲の無線リソースを特定することができる。これにより、制御信号の情報量を少なくすることができる。
【００６２】
基地局１１０は、第１の場合は第１無線リソース範囲のみの無線リソースを割り当て、第２の場合は第１無線リソース範囲および第２無線リソース範囲の各無線リソースを割り当てる。これにより、たとえば第１無線リソース範囲および第２無線リソース範囲の合計に相当する量の無線リソース範囲の中から常に無線リソースの割当を行う構成に比べて、割当結果を第１端末１０１へ通知する割当情報の情報量を少なくすることができる。
【００６３】
また、図２Ａ〜図４Ｂにおいて、基地局１１０が第１無線リソース範囲情報をブロードキャストにより送信する場合について説明したが、基地局１１０は、第１無線リソース範囲情報に加えて第２無線リソース範囲情報をブロードキャストにより送信してもよい。第２無線リソース範囲情報は、第２無線リソース範囲を示す報知情報である。または、第２無線リソース範囲は、あらかじめ仕様として第１端末１０１や第２端末１０２に設定されていてもよい。
【００６４】
また、第２無線リソース範囲は、第１端末１０１や第２端末１０２が第１無線リソース範囲から特定可能な無線リソースの範囲であってもよい。たとえば、第２無線リソース範囲は、第１無線リソース範囲と隣接する範囲（たとえば図５参照）、または第１無線リソース範囲と所定の間隔を設けて設定された範囲などとすることができる。
【００６５】
この場合の第２無線リソース範囲の大きさは、第１無線リソース範囲の大きさの２倍または３倍など、第１無線リソース範囲の大きさから特定されるものであってもよいし、仕様としてあらかじめ設定された一定の大きさであってもよい。この場合は、たとえば、第１端末１０１や第２端末１０２は、報知情報から特定した第１無線リソース範囲から第２無線リソース範囲を特定することができる。これにより、第２無線リソース範囲を示す情報を報知しなくても、第１端末１０１や第２端末１０２において第２無線リソース範囲が特定可能になり、報知信号の情報量を低減することができる。
【００６６】
また、第２無線リソース範囲は無線フレーム全体であることもできるし、第１無線リソース範囲と同様に、無線フレーム全体の一部の範囲とすることもできる。後者の場合は、たとえば図２Ｂ，図３Ｂ，図４Ｂに示したように第２無線リソース範囲の無線リソースを割り当てる場合に、第２無線リソース範囲の無線リソースについても、割当結果を第１端末１０１へ通知する割当情報の情報量を少なくすることができる。
【００６７】
また、基地局１１０は、第１無線リソース範囲とともに第２無線リソース範囲も報知してもよい。この場合に、たとえば、基地局１１０は、割り当てた第２無線リソース範囲の無線リソースの第２無線リソース範囲における相対的な位置を示す割当情報を第１端末１０１へ送信する。
【００６８】
これに対して、第１端末１０１は、基地局１１０から報知された第２無線リソース範囲と、割当情報が示す相対的な位置と、に基づいて、基地局１１０が割り当てた第２無線リソース範囲の無線リソースを特定することができる。これにより、割当情報の情報量を少なくすることができる。
【００６９】
また、第１端末１０１は、第２無線リソース範囲の無線リソースの第２無線リソース範囲における相対的な位置を示す制御信号を第２端末１０２へ送信してもよい。これに対して、第２端末１０２は、基地局１１０から報知された第２無線リソース範囲と、制御信号が示す相対的な位置と、に基づいて、第２無線リソース範囲の無線リソースを特定することができる。これにより、制御信号の情報量を少なくすることができる。
【００７０】
（無線フレーム）
図５は、無線フレームの一例を示す図である。図５に示す無線フレーム５００は、一例として、ＦＤＤ（Ｆｒｅｑｕｅｎｃｙ  Ｄｉｖｉｓｉｏｎ  Ｄｕｐｌｅｘ：周波数分割複信）におけるＵＬ（Ｕｐｌｉｎｋ：上りリンク）の周波数の無線リソースを示している。無線フレーム５００において、横方向は時間を示し、縦方向は周波数を示す。
【００７１】
無線フレーム５００には、たとえばＵＬ制御情報用リソース５０１（ＵＬ制御情報）、ＵＬデータ用リソース５０２（ＵＬデータ）およびＲＡＣＨ５０３が含まれる。ＵＬ制御情報用リソース５０１は、第１端末１０１や第２端末１０２が基地局１１０へ制御信号を送信するための無線リソースである。ＵＬデータ用リソース５０２は、第１端末１０１や第２端末１０２が基地局１１０へデータを送信するための無線リソースである。ＲＡＣＨ５０３は、第１端末１０１や第２端末１０２が基地局１１０へのランダムアクセスを行うための無線リソースである。
【００７２】
また、無線フレーム５００には、第１無線リソース範囲５０４や第２無線リソース範囲５０５が含まれる。第１無線リソース範囲５０４は、第１端末１０１と第２端末１０２との間の端末間通信の開始時に使用される無線リソースの範囲である。第１無線リソース範囲５０４は、たとえば基地局１１０がＤＬの報知情報によって第１端末１０１や第２端末１０２へ通知する無線リソースの範囲である。
【００７３】
第２無線リソース範囲５０５は、第１端末１０１と第２端末１０２との間の端末間通信に要する無線リソースが多い場合に、第１端末１０１と第２端末１０２との間の端末間通信に使用される無線リソースの範囲である。第２無線リソース範囲５０５は、たとえば第１無線リソース範囲５０４より広い範囲とすることができる。
【００７４】
ＦＤＤにおいては、基地局１１０から各端末（第１端末１０１や第２端末１０２）へのＤＬ（Ｄｏｗｎｌｉｎｋ：下りリンク）と、各端末から基地局１１０へのＵＬと、において異なる周波数の電波が使用される。
【００７５】
また、第１端末１０１と第２端末１０２との間の端末間通信には、たとえば、ＤＬの周波数リソースの一部、ＵＬの周波数リソースの一部、またはＤＬおよびＵＬの周波数リソースとは異なる第３の周波数リソースを用いることができる。ここでは、図５に示すように、ＵＬの周波数リソース（第１無線リソース範囲５０４および第２無線リソース範囲５０５）を用いて端末間通信が行われる場合について説明する。
【００７６】
ＤＬの周波数においては、基地局１１０から各端末へフレーム同期シンボルや報知情報を含む各種制御情報と、基地局１１０から各端末へ宛てられるユーザデータと、の送信が行われる。
【００７７】
基地局１１０からの報知情報には、ＤＬの無線フレームのうちのあらかじめ決まった位置で送信されるものと、データチャネルの一部として全端末へ宛てて送信されるものとがある。３ＧＰＰによって規定されているセルラ無線の仕様では、前者の報知情報はＭＩＢ（Ｍａｓｔｅｒ  Ｉｎｆｏｒｍａｔｉｏｎ  Ｂｌｏｃｋ）と呼ばれる。ＭＩＢは、ＤＬの無線フレーム５００において定義されるＰＢＣＨ領域にて送信される。また、後者の報知情報はＳＩＢ（Ｓｙｓｔｅｍ  Ｉｎｆｏｒｍａｔｉｏｎ  Ｂｌｏｃｋ）と呼ばれる。ＳＩＢは、全端末が受信する制御情報によって示されたＰＤＳＣＨにて送信される。
【００７８】
ＵＬの周波数では、無線フレーム５００のように、無線リソースが分割され、基地局１１０から分割された無線リソースの割り当てを受けた各端末が基地局１１０へ制御情報やユーザデータの送信を行う。分割された無線リソースのうちの一部には、ＲＡＣＨ５０３として特定の端末へ割り当てない無線リソースが確保されている。
【００７９】
ＲＡＣＨ５０３は、たとえば各端末が新たな通信のための無線リソースを要求するための要求信号を送信するために使用される。たとえば、各端末は、電源がオフからオンになった場合や、他エリアから移動してきて基地局１１０へ接続を要求する場合に、ＲＡＣＨ５０３を使用して基地局１１０へ要求信号を送信する。
【００８０】
たとえば、端末間通信を行わない従来の端末は、制御情報やユーザデータを受送信するために割り当てられた無線リソースや、各種要求信号を送信するランダムアクセスチャネルとして設定されている無線リソース以外は、受信をすることが不要であった。
【００８１】
これに対して、ＵＬの周波数を用いた端末間通信を行う場合は、基地局１１０から各端末に、端末間通信のための受信を行う第１無線リソース範囲５０４が第１無線リソース範囲情報により通知される。この第１無線リソース範囲情報の送信は、たとえばＤＬの周波数で各端末へ送信される報知情報によって行われる。たとえば、第１無線リソース範囲情報は、ＳＩＢの一部として各端末が受信するＰＤＳＣＨや、ＭＩＢの一部として各端末が受信するＰＢＣＨなどを使用して送信することができる。
【００８２】
端末間通信を行う各端末は、第１無線リソース範囲情報を受信すると、他端末からの無線信号を直接受信するために、第１無線リソース範囲情報が示す第１無線リソース範囲についての受信動作を有効にし、他端末からの信号を待ち受ける。
【００８３】
なお、基地局１１０が割り当てる第１無線リソース範囲の無線リソースは、干渉を避けるため、第１端末１０１や第２端末１０２あるいはそれ以外の端末が基地局１１０に信号を送信するために割り当てられる無線リソースと排他的であることが望ましい。ただし、基地局１１０は、端末間通信を行うために設定する第１無線リソース範囲の中の無線リソースであっても、従来同様に基地局１１０に信号を送信するための無線リソースとして他端末に割り当てることが可能である。
【００８４】
また、第２無線リソース範囲の無線リソースは、第１無線リソース範囲の無線リソースと同様に、端末間通信に排他的に使用しなくてもよく、基地局１１０に信号を送信するための通常の無線リソースとして他端末に割り当てることも可能である。この場合は、総無線リソース数が限られるという条件はあるが、第２無線リソース範囲の設定によって、無線通信システム１００と第１端末１０１や第２端末１０２との間の通信への無線リソース割り当ての自由度は制限されるものではない。
【００８５】
図５に示した例では、第１無線リソース範囲５０４および第２無線リソース範囲５０５が時間方向に分割された無線リソース範囲である場合について説明したが、第１無線リソース範囲５０４および第２無線リソース範囲５０５はこれに限らない。たとえば、第１無線リソース範囲５０４および第２無線リソース範囲５０５は、周波数方向、あるいは時間方向および周波数方向の組み合わせにより分割された無線リソース範囲としてもよい。
【００８６】
また、第１無線リソース範囲５０４および第２無線リソース範囲５０５をＦＤＤのＵＬの無線リソース範囲に設定する場合について説明したが、第１無線リソース範囲５０４および第２無線リソース範囲５０５をＦＤＤのＤＬに設定してもよい。また、第１無線リソース範囲５０４および第２無線リソース範囲５０５の一方をＦＤＤのＤＬ、他方をＦＤＤのＵＬに設定してもよい。第１無線リソース範囲５０４および第２無線リソース範囲５０５の一方あるいは両方を、基地局１１０と第１端末１０１や第２端末１０２との間の通信に用いる周波数帯と異なる周波数帯の無線リソース範囲に設定してもよい。
【００８７】
また、ＴＤＤ（Ｔｉｍｅ  Ｄｉｖｉｓｉｏｎ  Ｄｕｐｌｅｘ：時分割複信）において、第１無線リソース範囲５０４および第２無線リソース範囲５０５を無線リソース範囲一部に設定してもよい。また、第１無線リソース範囲５０４および第２無線リソース範囲５０５の一方あるいは両方を、基地局１１０と第１端末１０１や第２端末１０２との間の通信に用いる周波数帯と異なる周波数帯の無線リソース範囲に設定してもよい。
【００８８】
（基地局が送信する第１無線リソース範囲情報のフォーマット）
図６Ａは、基地局が送信する第１無線リソース範囲情報のフォーマットの一例を示す図である。基地局１１０は、たとえば図２ＡのステップＳ２１１において、第１無線リソース範囲情報として、たとえば図６Ａに示すメッセージ６１０を送信する。
【００８９】
メッセージ６１０は、ＳＩＢ識別子領域６１１と、無線リソース範囲情報識別子領域６１２と、シンボル領域６１３と、ＰＲＢ番号領域６１４と、ＰＲＢ数領域６１５と、を含むデータブロックである。
【００９０】
ＳＩＢ識別子領域６１１には、メッセージ６１０がＳＩＢであることを示す識別子が格納される。無線リソース範囲情報識別子領域６１２には、メッセージ６１０が第１無線リソース範囲を示す第１無線リソース範囲情報であることを示す識別子が格納される。
【００９１】
シンボル領域６１３には、第１無線リソース範囲の開始位置のシンボル番号が格納される。ＰＲＢ番号領域６１４には、第１無線リソース範囲の開始位置のＰＲＢ（Ｐｈｙｓｉｃａｌ  Ｒｅｓｏｕｒｃｅ  Ｂｌｏｃｋ）番号が格納される。ＰＲＢ数領域６１５には、第１無線リソース範囲のＰＲＢの数が格納される。
【００９２】
基地局１１０は、メッセージ６１０を送信することにより、第１無線リソース範囲を第１端末１０１や第２端末１０２に報知することができる。たとえば、第１端末１０１や第２端末１０２は、シンボル領域６１３やＰＲＢ番号領域６１４が示す第１無線リソース範囲の開始位置と、ＰＲＢ数領域６１５が示す第１無線リソース範囲のＰＲＢの数と、に基づいて第１無線リソース範囲を特定することができる。
【００９３】
（基地局が送信する第２無線リソース範囲情報のフォーマット）
また、基地局１１０は、第２無線リソース範囲を示す第２無線リソース範囲情報を送信する場合に、第２無線リソース範囲情報としてメッセージ６１０を送信してもよい。この場合は、無線リソース範囲情報識別子領域６１２には、メッセージ６１０が第２無線リソース範囲を示す第２無線リソース範囲情報であることを示す識別子が格納される。
【００９４】
また、シンボル領域６１３には、第２無線リソース範囲の開始位置のシンボル番号が格納される。また、ＰＲＢ番号領域６１４には、第２無線リソース範囲の開始位置のＰＲＢ番号が格納される。また、ＰＲＢ数領域６１５には、第２無線リソース範囲のＰＲＢの数が格納される。
【００９５】
（基地局が送信する割当情報のフォーマット）
図６Ｂは、基地局が送信する割当情報のフォーマットの一例を示す図である。基地局１１０は、たとえば図２ＡのステップＳ２１３において、割当情報としてたとえば図６Ｂに示すメッセージ６２０を第１端末１０１へ個別送信する。
【００９６】
メッセージ６２０は、リソース割当情報識別子領域６２１と、ＰＲＢビットマップ領域６２２と、追加無線リソース有無領域６２３と、シンボル領域６２４と、ＰＲＢ番号領域６２５と、ＰＲＢ数領域６２６と、ＰＲＢビットマップ領域６２７と、を含む。
【００９７】
リソース割当情報識別子領域６２１には、メッセージ６２０が端末間通信用の無線リソースの割当結果を示す割当情報であることを示す識別子が格納される。すなわち、リソース割当情報識別子領域６２１は、メッセージ６２０が、基地局１１０が端末間通信に割り当てた無線リソースを示す情報であることを示す情報である。
【００９８】
ＰＲＢビットマップ領域６２２には、図６Ａに示したＰＲＢ数領域６１５が示すビット数のテーブルであって、第１無線リソース範囲のリソース割当の有無をＰＲＢ単位で示すテーブルが格納される。すなわち、ＰＲＢビットマップ領域６２２は、基地局１１０が割り当てた第１無線リソース範囲の無線リソースの第１無線リソース範囲における相対的な位置を示す情報である。
【００９９】
追加無線リソース有無領域６２３には、第２無線リソース範囲のリソース割当の有無を示す情報が格納される。シンボル領域６２４には、第２無線リソース範囲の開始位置のシンボル番号が格納される。ＰＲＢ番号領域６２５には、第２無線リソース範囲の開始位置のＰＲＢ番号が格納される。
【０１００】
ＰＲＢ数領域６２６には、第２無線リソース範囲のＰＲＢの数が格納される。ＰＲＢビットマップ領域６２７には、ＰＲＢ数領域６２６が示すビット数のテーブルであって、第２無線リソース範囲内のリソース割当の有無をＰＲＢ単位で示すテーブルが格納される。すなわち、ＰＲＢビットマップ領域６２７は、基地局１１０が割り当てた第２無線リソース範囲の無線リソースの第２無線リソース範囲における相対的な位置を示す情報である。
【０１０１】
なお、第２無線リソース範囲のリソース割当がないことを示す情報が追加無線リソース有無領域６２３に格納されている場合は、シンボル領域６２４、ＰＲＢ番号領域６２５およびＰＲＢ数領域６２６の情報はなくてもよい。
【０１０２】
基地局１１０は、メッセージ６２０により、割り当てた第１無線リソース範囲の無線リソースを第１端末１０１へ通知することができる。たとえば、第１端末１０１は、図６Ａに示したメッセージ６１０により特定した第１無線リソース範囲と、ＰＲＢビットマップ領域６２２と、に基づいて、基地局１１０から割り当てられた第１無線リソース範囲の無線リソースを特定することができる。たとえば、第１端末１０１は、第１無線リソース範囲に含まれる各ＰＲＢのうちの、ＰＲＢビットマップ領域６２２が割当有りを示しているＰＲＢが、基地局１１０から割り当てられた第１無線リソース範囲の無線リソースであると判断することができる。
【０１０３】
また、基地局１１０は、第２無線リソース範囲の無線リソースを割り当てた場合に、メッセージ６２０により、割り当てた第２無線リソース範囲の無線リソースを第１端末１０１へ通知することができる。たとえば、第１端末１０１は、シンボル領域６２４やＰＲＢ番号領域６２５が示す第２無線リソース範囲の開始位置と、ＰＲＢ数領域６２６が示す第２無線リソース範囲のＰＲＢの数と、に基づいて第２無線リソース範囲を特定することができる。そして、第１端末１０１は、特定した第２無線リソース範囲と、ＰＲＢビットマップ領域６２７と、に基づいて、基地局１１０から割り当てられた第２無線リソース範囲の無線リソースを特定することができる。たとえば、第１端末１０１は、第２無線リソース範囲に含まれる各ＰＲＢのうちの、ＰＲＢビットマップ領域６２７が割当有りを示しているＰＲＢが、基地局１１０から割り当てられた第２無線リソース範囲の無線リソースであると判断することができる。
【０１０４】
なお、基地局１１０が図６Ａに示したメッセージ６１０によって第２無線リソース範囲を報知している場合は、第１端末１０１はメッセージ６１０によって第２無線リソース範囲を特定することができる。このため、この場合は、メッセージ６２０からシンボル領域６２４、ＰＲＢ番号領域６２５およびＰＲＢ数領域６２６を省いてもよい。
【０１０５】
（第１端末が第２端末へ送信する信号）
図６Ｃは、第１端末が第２端末へ送信する信号の一例を示す図である。第１端末１０１は、基地局１１０から第２無線リソース範囲の無線リソースが割り当てられず、第２端末１０２へのデータ送信を行う場合、たとえば図２Ａに示したステップＳ２１４において、たとえば図６Ｃに示すメッセージ６３０を第２端末１０２へ送信する。
【０１０６】
メッセージ６３０は、送信元端末識別子領域６３１と、送信先端末識別子領域６３２と、追加無線リソース情報有無領域６３３と、ユーザデータ領域６３４と、を含むデータブロックである。
【０１０７】
送信元端末識別子領域６３１には、メッセージ６３０の送信元である第１端末１０１の識別子が格納される。送信先端末識別子領域６３２には、メッセージ６３０の送信先の端末である第２端末１０２の識別子が格納される。
【０１０８】
追加無線リソース情報有無領域６３３には、第２無線リソース範囲の無線リソース情報の有無が格納される。たとえば、追加無線リソース情報有無領域６３３に“０”が格納された場合は、第２無線リソース範囲の無線リソース情報がないことを示す。また、追加無線リソース情報有無領域６３３に“１”が格納された場合は、第２無線リソース範囲の無線リソース情報があることを示す。
【０１０９】
図６Ｃに示す例では、第１端末１０１と第２端末１０２との間の端末間通信に第２無線リソース範囲の無線リソースは割り当てられていないため（図２Ａ参照）、追加無線リソース情報有無領域６３３には“０”が格納される。
【０１１０】
ユーザデータ領域６３４には、第１端末１０１から第２端末１０２へのユーザデータ（通信内容データ）が格納される。
【０１１１】
図６Ｄは、第１端末が第２端末へ送信する信号の他の例を示す図である。第１端末１０１は、基地局１１０によって第２無線リソース範囲の無線リソースが割り当てられ、第２端末１０２へのデータ送信を行う場合、たとえば図２Ｂに示したステップＳ２２４において、たとえば図６Ｄに示すメッセージ６４０を第２端末１０２へ送信する。メッセージ６４０のうちの図６Ｃに示したメッセージ６３０と同一の部分については説明を省略する。
【０１１２】
メッセージ６４０は、送信元端末識別子領域６３１と、送信先端末識別子領域６３２と、追加無線リソース情報有無領域６３３と、を含む。また、メッセージ６４０は、シンボル領域６４１と、ＰＲＢ番号領域６４２と、ＰＲＢ数領域６４３と、ＰＲＢビットマップ領域６４４と、Ｔ／Ｒテーブル領域６４５と、ユーザデータ領域６３４と、を含む。
【０１１３】
図６Ｄに示す例では、第１端末１０１と第２端末１０２との間の端末間通信に第２無線リソース範囲の無線リソースは割り当てられているため（図２Ｂ参照）、追加無線リソース情報有無領域６３３には“１”が格納される。この場合の追加無線リソース情報有無領域６３３は、メッセージ６３０が、第２無線リソース範囲の無線リソースを示す情報であることを示す情報である。
【０１１４】
シンボル領域６４１には、第２無線リソース範囲の開始位置のシンボル番号が格納される。ＰＲＢ番号領域６４２には、第２無線リソース範囲の開始位置のＰＲＢ番号が格納される。ＰＲＢ数領域６４３には、第２無線リソース範囲のＰＲＢの数が格納される。
【０１１５】
ＰＲＢビットマップ領域６４４には、ＰＲＢ数領域６４３が示すビット数のテーブルであって、第２無線リソース範囲内のリソース割当の有無をＰＲＢ単位で示すテーブルが格納される。すなわち、ＰＲＢビットマップ領域６４４は、基地局１１０が割り当てた第２無線リソース範囲の無線リソースの第２無線リソース範囲における相対的な位置を示す情報である。
【０１１６】
Ｔ／Ｒテーブル領域６４５には、ＰＲＢビットマップ領域６４４によって割り当てが示されたＰＲＢ数のテーブルが格納される。Ｔ／Ｒテーブル領域６４５に格納されるテーブルは、割り当てのある各ＰＲＢについて、第１端末１０１の送信（Ｔ）に使うか、第１端末１０１の受信（Ｒ）すなわち第２端末１０２の送信に使うかを示すテーブルである。
【０１１７】
たとえば、第２端末１０２は、シンボル領域６４１やＰＲＢ番号領域６４２が示す第２無線リソース範囲の開始位置と、ＰＲＢ数領域６４３が示す第２無線リソース範囲のＰＲＢの数と、に基づいて第２無線リソース範囲を特定することができる。
【０１１８】
そして、第２端末１０２は、特定した第２無線リソース範囲と、ＰＲＢビットマップ領域６４４と、に基づいて、基地局１１０から割り当てられた第２無線リソース範囲の無線リソースを特定することができる。たとえば、第２端末１０２は、第２無線リソース範囲に含まれる各ＰＲＢのうちの、ＰＲＢビットマップ領域６４４が割当有りを示しているＰＲＢが、基地局１１０から割り当てられた第２無線リソース範囲の無線リソースであると判断することができる。
【０１１９】
また、第２端末１０２は、割り当てられた第２無線リソース範囲の無線リソースのうちの、第１端末１０１の送信に使う無線リソースと、第２端末１０２の送信に使う無線リソースと、をＴ／Ｒテーブル領域６４５に基づいて判定することができる。
【０１２０】
なお、基地局１１０が図６Ａに示したメッセージ６１０によって第２無線リソース範囲を報知している場合は、第２端末１０２はメッセージ６１０によって第２無線リソース範囲を特定することができる。このため、この場合は、メッセージ６４０からシンボル領域６４１、ＰＲＢ番号領域６４２およびＰＲＢ数領域６４３を省いてもよい。
【０１２１】
（基地局による処理）
図７は、基地局による処理の一例を示すフローチャートである。図７においては、たとえば図２Ａ，図２Ｂに示した動作に対応する基地局１１０の処理について説明する。基地局１１０は、たとえば図７に示す各ステップを実行する。
【０１２２】
まず、基地局１１０は、無線フレームを構成することにより、第１無線リソース範囲および第２無線リソース範囲を設定する（ステップＳ７０１）。ステップＳ７０１において構成される無線フレームは、たとえば図５に示した無線フレーム５００を含む。
【０１２３】
つぎに、基地局１１０は、ステップＳ７０１によって設定した第１無線リソース範囲を示す第１無線リソース範囲情報を端末（たとえば第１端末１０１や第２端末１０２）への報知情報として送信する（ステップＳ７０２）。
【０１２４】
つぎに、基地局１１０は、第１端末１０１からのリソース要求信号を受信したか否かを判断し（ステップＳ７０３）、リソース要求信号を受信するまで待つ（ステップＳ７０３：Ｎｏのループ）。リソース要求信号は、第１端末１０１と第２端末１０２との間の端末間通信に使用するための無線リソースの割当を基地局１１０に要求する信号である。
【０１２５】
ステップＳ７０３において、リソース要求信号を受信すると（ステップＳ７０３：Ｙｅｓ）、基地局１１０は、第１端末１０１からのリソース要求信号に対して、第１無線リソース範囲の無線リソースで足りるか否かを判断する（ステップＳ７０４）。たとえば、基地局１１０は、第１端末１０１と第２端末１０２との間の端末間通信に要する無線リソースの量が所定量を下回るか否かによってステップＳ７０４の判断を行うことができる。所定量は、一例としては、現在の第１無線リソース範囲における空きリソースの量とすることができる。
【０１２６】
ステップＳ７０４において、第１無線リソース範囲の無線リソースで足りる場合（ステップＳ７０４：Ｙｅｓ）は、基地局１１０は、第１無線リソース範囲の無線リソースを第１端末１０１に割り当てる（ステップＳ７０５）。つぎに、基地局１１０は、第１端末１０１への無線リソースの割り当て結果を示す割当情報を第１端末１０１へ送信し（ステップＳ７０６）、ステップＳ７０３へ戻る。
【０１２７】
ステップＳ７０４において、第１無線リソース範囲の無線リソースで足りない場合（ステップＳ７０４：Ｎｏ）は、基地局１１０は、第１無線リソース範囲および第２無線リソース範囲の各無線リソースを第１端末１０１に割り当てる（ステップＳ７０７）。そして、基地局１１０は、ステップＳ７０６へ移行し、第１端末１０１への無線リソースの割り当て結果を示す割当情報を第１端末１０１へ送信する。
【０１２８】
（第１端末による処理）
図８は、第１端末による処理の一例を示すフローチャートである。図８においては、たとえば図２Ａ，図２Ｂに示した動作に対応する第１端末１０１の処理について説明する。第１端末１０１は、たとえば図８に示す各ステップを実行する。
【０１２９】
まず、第１端末１０１は、基地局１１０からの報知情報を受信する（ステップＳ８０１）。つぎに、第１端末１０１は、ステップＳ８０１によって受信した報知情報から、第１無線リソース範囲を示す第１無線リソース範囲情報を取得する（ステップＳ８０２）。
【０１３０】
つぎに、第１端末１０１は、第２端末１０２との端末間通信を開始する事象が発生したか否かを判断し（ステップＳ８０３）、端末間通信を開始する事象が発生するまで待つ（ステップＳ８０３：Ｎｏのループ）。端末間通信を開始する事象は、たとえば、第１端末１０１のユーザによる第１端末１０１に対する端末間通信の開始指示操作などである。第１端末１０１のユーザが直接に端末間通信の開始指示操作をする場合だけでなく、端末で実行されるアプリケーションプログラムが端末間通信の開始を要求する場合もある。
【０１３１】
ステップＳ８０３において、端末間通信を開始する事象が発生すると（ステップＳ８０３：Ｙｅｓ）、第１端末１０１は、端末間通信に使用するための無線リソースの割当を要求するリソース要求信号を基地局１１０へ送信する（ステップＳ８０４）。
【０１３２】
つぎに、第１端末１０１は、基地局１１０からの割当情報を受信したか否かを判断し（ステップＳ８０５）、割当情報を受信するまで待つ（ステップＳ８０５：Ｎｏのループ）。また、第１端末１０１は、図８には明示的に表示していないが所定時間経過しても割当情報を受信しない場合は、ステップＳ８０４へ戻ってリソース要求信号を再送してもよい。このような異常状態の処理は他のステップにおいても別途追加しうる。
【０１３３】
ステップＳ８０５において、割当情報を受信すると（ステップＳ８０５：Ｙｅｓ）、第１端末１０１は、受信した割当情報に基づいて、基地局１１０によって第１無線リソース範囲の無線リソースのみが割り当てられたか否かを判断する（ステップＳ８０６）。
【０１３４】
ステップＳ８０６において、第１無線リソース範囲の無線リソースのみが割り当てられた場合（ステップＳ８０６：Ｙｅｓ）は、第１端末１０１は、ステップＳ８０７へ移行する。すなわち、第１端末１０１は、受信した割当情報が示す第１無線リソース範囲の無線リソースを用いて第２端末１０２へユーザデータを送信する（ステップＳ８０７）。
【０１３５】
つぎに、第１端末１０１は、第２端末１０２へ送信すべき全てのユーザデータを送信したか否かを判断する（ステップＳ８０８）。全てのユーザデータを送信していない場合（ステップＳ８０８：Ｎｏ）は、第１端末１０１は、ステップＳ８０４へ戻る。全てのユーザデータを送信した場合（ステップＳ８０８：Ｙｅｓ）は、第１端末１０１は、ステップＳ８０３へ戻る。
【０１３６】
ステップＳ８０６において、第１無線リソース範囲および第２無線リソース範囲の各無線リソースが割り当てられている場合（ステップＳ８０６：Ｎｏ）は、第１端末１０１は、ステップＳ８０９へ移行する。すなわち、第１端末１０１は、受信した割当情報が示す第１無線リソース範囲の無線リソースを用いて、第２無線リソース範囲の無線リソースを示す制御情報を第２端末１０２へ送信する（ステップＳ８０９）。
【０１３７】
つぎに、第１端末１０１は、ステップＳ８０９によって送信した制御情報が示す第２無線リソース範囲の無線リソースを用いて第２端末１０２へユーザデータを送信し（ステップＳ８１０）、ステップＳ８０８へ移行する。
【０１３８】
（第２端末による処理）
図９は、第２端末による処理の一例を示すフローチャートである。図９においては、たとえば図２Ａ，図２Ｂに示した動作に対応する第２端末１０２の処理について説明する。第２端末１０２は、たとえば図９に示す各ステップを実行する。
【０１３９】
まず、第２端末１０２は、基地局１１０からの報知情報を受信する（ステップＳ９０１）。つぎに、第２端末１０２は、ステップＳ９０１によって受信した報知情報から、第１無線リソース範囲を示す第１無線リソース範囲情報を取得する（ステップＳ９０２）。
【０１４０】
つぎに、第２端末１０２は、ステップＳ９０２によって取得した第１無線リソース範囲情報が示す第１無線リソース範囲の受信動作を行う（ステップＳ９０３）。なお、第２端末１０２は、第１端末１０１との間の端末間通信を開始する事象が発生してからステップＳ９０３の処理を実行してもよい。端末間通信を開始する事象は、たとえば、第２端末１０２のユーザによる第２端末１０２に対する端末間通信の開始指示操作などである。第２端末１０２で実行されるアプリケーションプログラムが端末間通信の開始を要求する場合もある。
【０１４１】
つぎに、第２端末１０２は、ステップＳ９０３による受信動作によって、第１端末１０１からの自端末宛の信号を受信したか否かを判断する（ステップＳ９０４）。第１端末１０１からの信号を受信していない場合（ステップＳ９０４：Ｎｏ）は、第２端末１０２は、ステップＳ９０３へ戻る。
【０１４２】
ステップＳ９０４において、第１端末１０１からの信号を受信した場合（ステップＳ９０４：Ｙｅｓ）は、第２端末１０２は、受信した信号に、第２無線リソース範囲の無線リソースを示す制御情報が含まれていたか否かを判断する（ステップＳ９０５）。
【０１４３】
ステップＳ９０５において、第２無線リソース範囲の無線リソースを示す制御情報が含まれていない場合（ステップＳ９０５：Ｎｏ）は、受信した信号は第１端末１０１からのユーザデータであると判断することができる。この場合は、第２端末１０２は、たとえば上位層の処理部において、受信した信号をユーザデータとして処理し（ステップＳ９０６）、ステップＳ９０３へ戻る。
【０１４４】
ステップＳ９０５において、第２無線リソース範囲の無線リソースを示す制御情報が含まれていた場合（ステップＳ９０５：Ｙｅｓ）は、第２端末１０２は、受信した制御情報が示す第２無線リソース範囲の無線リソースの受信動作を行う（ステップＳ９０７）。
【０１４５】
つぎに、第２端末１０２は、ステップＳ９０７による受信動作によって、第１端末１０１からの自端末宛の信号を受信したか否かを判断する（ステップＳ９０８）。第１端末１０１からの信号を受信していない場合（ステップＳ９０８：Ｎｏ）は、第２端末１０２は、ステップＳ９０７へ戻る。
【０１４６】
ステップＳ９０８において、第１端末１０１からの信号を受信した場合（ステップＳ９０８：Ｙｅｓ）は、第２端末１０２は、たとえば上位層の処理部において、受信した信号をユーザデータとして処理し（ステップＳ９０９）、ステップＳ９０３へ戻る。
【０１４７】
（基地局の構成）
図１０Ａは、基地局の構成の一例を示す図である。図１０Ｂは、図１０Ａに示した基地局の構成における信号の流れの一例を示す図である。基地局１１０は、たとえば、図１０Ａ，図１０Ｂに示すように、アンテナ１００１と、無線信号処理部１００２と、受信信号分解部１００３と、リソース割当要求解析部１００４と、リソース割当制御部１００５と、ユーザ受信データ解析部１００６と、を備える。また、基地局１１０は、制御信号解析部１００７と、基地局機能制御部１００８と、コアネットワークインタフェース１００９と、フレーム構成設定部１０１０と、を備える。また、基地局１１０は、データ信号生成部１０１１と、報知情報生成部１０１２と、制御情報生成部１０１３と、送信信号作成部１０１４と、無線信号制御部１０１５と、を備える。
【０１４８】
アンテナ１００１は、基地局１１０とは異なる通信装置から無線送信された信号を受信し、受信した信号を無線信号処理部１００２へ出力する。また、アンテナ１００１は、無線信号処理部１００２から出力された信号を、基地局１１０とは異なる通信装置へ無線送信する。基地局１１０とは異なる通信装置は、たとえば第１端末１０１や第２端末１０２などの端末である。
【０１４９】
無線信号処理部１００２は、無線信号制御部１０１５からの制御に従って、アンテナ１００１から出力された信号の受信処理を行う。無線信号処理部１００２による受信処理には、たとえば、増幅、ＲＦ（Ｒａｄｉｏ  Ｆｒｅｑｕｅｎｃｙ：高周波）帯からベースバンド帯への周波数変換、アナログ信号からデジタル信号への変換などが含まれる。無線信号処理部１００２は、受信処理を行った信号を受信信号分解部１００３へ出力する。
【０１５０】
また、無線信号処理部１００２は、無線信号制御部１０１５からの制御に従って、送信信号作成部１０１４から出力された信号の送信処理を行う。無線信号処理部１００２による送信処理には、たとえば、デジタル信号からアナログ信号への変換、ベースバンド帯からＲＦ帯への周波数変換、増幅などが含まれる。無線信号処理部１００２は、送信処理を行った信号をアンテナ１００１へ出力する。
【０１５１】
受信信号分解部１００３は、フレーム構成設定部１０１０から出力されたフレーム構成の設定結果に基づいて、無線信号処理部１００２から出力された信号の分解処理を行う。そして、受信信号分解部１００３は、分解処理により得られたリソース要求信号をリソース割当要求解析部１００４へ出力する。
【０１５２】
また、受信信号分解部１００３は、分解処理により得られたユーザデータをユーザ受信データ解析部１００６へ出力する。また、受信信号分解部１００３は、分解処理により得られた制御信号を制御信号解析部１００７へ出力する。
【０１５３】
リソース割当要求解析部１００４は、受信信号分解部１００３から出力されたリソース要求信号の解析を行い、解析結果をリソース割当制御部１００５へ出力する。
【０１５４】
リソース割当制御部１００５は、基地局機能制御部１００８からの制御に従って、リソース割当要求解析部１００４から出力された解析結果に基づいて、第１端末１０１と第２端末１０２との間の端末間通信に要する無線リソースの割当量を判定する。たとえば、リソース割当制御部１００５は、第１端末１０１と第２端末１０２との間の端末間通信に要する無線リソースの割当量をリソース要求信号の解析結果から判定する。
【０１５５】
そして、リソース割当制御部１００５は、判定した割当量が所定量以下である場合は、第１端末１０１と第２端末１０２との間の端末間通信に、第１無線リソース範囲の無線リソースのみを割り当てる。また、リソース割当制御部１００５は、判定した割当量が所定量を超える場合は、第１端末１０１と第２端末１０２との間の端末間通信に、第１無線リソースおよび第２無線リソースの各無線リソースを割り当てる。そして、リソース割当制御部１００５は、第１端末１０１と第２端末１０２との間の端末間通信に割り当てた無線リソースを示す割当情報を制御情報生成部１０１３へ出力する。
【０１５６】
ユーザ受信データ解析部１００６は、受信信号分解部１００３から出力されたユーザデータを解析し、解析したユーザデータをコアネットワークインタフェース１００９へ出力する。ユーザデータには、たとえば、第１端末１０１や第２端末１０２から送信されたユーザデータが含まれる。
【０１５７】
制御信号解析部１００７は、受信信号分解部１００３から出力された制御信号を解析し、解析結果を基地局機能制御部１００８へ通知する。制御信号解析部１００７が解析する制御信号には、たとえば第１端末１０１や第２端末１０２から送信された制御信号などが含まれる。
【０１５８】
基地局機能制御部１００８は、制御信号解析部１００７からの通知結果に基づいて、リソース割当制御部１００５、フレーム構成設定部１０１０、報知情報生成部１０１２、制御情報生成部１０１３および無線信号制御部１０１５の各制御を行う。また、基地局機能制御部１００８による制御の処理は、たとえば、コアネットワークの上位システムからコアネットワークインタフェース１００９を介して受信される制御信号により制御される。
【０１５９】
コアネットワークインタフェース１００９は、コアネットワークとの間で通信を行うためのインタフェースである。コアネットワークは、基地局１１０が属する移動体通信網のコアネットワークである。たとえば、コアネットワークインタフェース１００９は、コアネットワークの上位システムから受信した基地局機能制御部１００８に対する制御信号を基地局機能制御部１００８へ出力する。
【０１６０】
また、コアネットワークインタフェース１００９は、ユーザ受信データ解析部１００６から出力されたユーザデータをコアネットワークへ送信する。また、コアネットワークインタフェース１００９は、コアネットワークから受信した信号をデータ信号生成部１０１１へ出力する。コアネットワークインタフェース１００９がデータ信号生成部１０１１に出力する信号には、第１端末１０１や第２端末１０２へのユーザデータが含まれる。
【０１６１】
フレーム構成設定部１０１０は、基地局機能制御部１００８からの制御に従って、セル１１１におけるフレーム構成の設定を行う。フレーム構成は、たとえば図５に示した無線フレーム５００を含むフレーム構成である。フレーム構成設定部１０１０は、フレーム構成の設定結果を受信信号分解部１００３および送信信号作成部１０１４へ出力する。
【０１６２】
データ信号生成部１０１１は、コアネットワークインタフェース１００９から出力されたユーザデータを含むデータ信号を生成し、生成したデータ信号を送信信号作成部１０１４へ出力する。報知情報生成部１０１２は、基地局機能制御部１００８からの制御に従って、基地局１１０が送信する報知情報を生成し、生成した報知情報を送信信号作成部１０１４へ出力する。
【０１６３】
制御情報生成部１０１３は、基地局機能制御部１００８からの制御に従って、基地局１１０から第１端末１０１や第２端末１０２へ送信すべき制御情報を生成し、生成した制御情報を送信信号作成部１０１４へ出力する。制御情報生成部１０１３が出力する制御情報には、リソース割当制御部１００５から出力された割当情報が含まれる。
【０１６４】
送信信号作成部１０１４は、データ信号生成部１０１１から出力されたデータ信号と、報知情報生成部１０１２から出力された報知情報と、制御情報生成部１０１３から出力された制御情報と、を含む信号を作成する。また、送信信号作成部１０１４は、フレーム構成設定部１０１０から出力されたフレーム構成の設定結果に基づいて各情報の信号への割り当てを行うことで信号を作成する。
【０１６５】
また、送信信号作成部１０１４は、フレーム構成設定部１０１０から出力されたフレーム構成の設定結果に含まれる第１無線リソース範囲を示す第１無線リソース範囲情報を、作成する信号の報知情報に格納する。そして、送信信号作成部１０１４は、作成した信号を無線信号処理部１００２へ出力する。
【０１６６】
無線信号制御部１０１５は、基地局機能制御部１００８からの制御に従って、無線信号処理部１００２における受信処理を制御する。たとえば、無線信号制御部１０１５は、無線信号処理部１００２によって受信される信号の周波数や増幅器のゲインなどの制御を行う。
【０１６７】
また、無線信号制御部１０１５は、基地局機能制御部１００８からの制御に従って、無線信号処理部１００２における送信処理を制御する。たとえば、無線信号制御部１０１５は、無線信号処理部１００２によって送信される信号の周波数や電力などの制御を行う。
【０１６８】
図１０Ａ，図１０Ｂに示した基地局１１０において、無線リソースの第１範囲を報知する報知情報を送信する報知部は、アンテナ１００１、無線信号処理部１００２、報知情報生成部１０１２および送信信号作成部１０１４により実現することができる。また、第１端末１０１と第２端末１０２との間の端末間通信に無線リソースを割り当てる割当部は、リソース割当制御部１００５および基地局機能制御部１００８により実現することができる。また、割当部によって割り当てられた無線リソースを示す割当情報を第１端末１０１へ送信する送信部は、アンテナ１００１、無線信号処理部１００２、制御情報生成部１０１３および送信信号作成部１０１４により実現することができる。
【０１６９】
（基地局のハードウェア構成）
図１１Ａは、基地局のハードウェア構成の一例を示す図である。図１１Ｂは、図１１Ａに示した基地局のハードウェア構成における信号の流れの一例を示す図である。図１１Ａ，図１１Ｂにおいて、図１０Ａ，図１０Ｂに示した部分と同様の部分については同一の符号を付して説明を省略する。基地局１１０は、たとえば図１１Ａ，図１１Ｂに示すように、アンテナ１００１と、送受信号分離器１１０１と、受信ＲＦ回路１１０２と、受信ＢＢ回路１１０３と、セルラ無線基地局動作制御プロセッサ１１０４と、を備える。また、基地局１１０は、コアネットワークインタフェース１００９と、送信ＢＢ回路１１０５と、送信ＲＦ回路１１０６と、を備える。
【０１７０】
送受信号分離器１１０１は、アンテナ１００１から出力された信号を受信ＲＦ回路１１０２へ出力するとともに、送信ＲＦ回路１１０６から出力された信号をアンテナ１００１へ出力することにより、アンテナ１００１が送受信する各信号を分離する。
【０１７１】
受信ＲＦ回路１１０２は、送受信号分離器１１０１から出力された信号のＲＦ帯での受信処理を行い、ＲＦ帯での受信処理を行った信号を受信ＢＢ回路１１０３へ出力する。受信ＢＢ回路１１０３は、送受信号分離器１１０１から出力された信号のＢＢ（Ｂａｓｅ  Ｂａｎｄ：ベースバンド）帯での受信処理を行い、ＢＢ帯での受信処理を行った信号（受信信号）をセルラ無線基地局動作制御プロセッサ１１０４へ出力する。
【０１７２】
セルラ無線基地局動作制御プロセッサ１１０４は、基地局１１０の全体の制御を司るプロセッサである。たとえば、セルラ無線基地局動作制御プロセッサ１１０４は、制御信号を送信することにより、受信ＲＦ回路１１０２、受信ＢＢ回路１１０３、送信ＢＢ回路１１０５および送信ＲＦ回路１１０６をそれぞれ制御する。
【０１７３】
また、セルラ無線基地局動作制御プロセッサ１１０４は、受信ＢＢ回路１１０３から出力された受信データを、コアネットワークインタフェース１００９を介してコアネットワークへ送信する。また、セルラ無線基地局動作制御プロセッサ１１０４は、コアネットワークインタフェース１００９を介してコアネットワークから受信した信号のうちの基地局１１０が送信すべき信号（送信信号）を送信ＢＢ回路１１０５へ出力する。
【０１７４】
セルラ無線基地局動作制御プロセッサ１１０４は、たとえばＣＰＵ（Ｃｅｎｔｒａｌ  Ｐｒｏｃｅｓｓｉｎｇ  Ｕｎｉｔ：中央処理装置）やＤＳＰ（Ｄｉｇｉｔａｌ  Ｓｉｇｎａｌ  Ｐｒｏｃｅｓｓｏｒ）などのプロセッサによって実現することができる。
【０１７５】
送信ＢＢ回路１１０５は、セルラ無線基地局動作制御プロセッサ１１０４から出力された信号のＢＢ帯での送信処理を行い、ＢＢ帯での送信処理を行った信号を送信ＲＦ回路１１０６へ出力する。送信ＲＦ回路１１０６は、送信ＢＢ回路１１０５から出力された信号のＲＦ帯での送信処理を行い、ＲＦ帯での送信処理を行った信号を送受信号分離器１１０１へ出力する。
【０１７６】
図１０Ａ，図１０Ｂに示した無線信号処理部１００２は、たとえば受信ＲＦ回路１１０２、受信ＢＢ回路１１０３、送信ＢＢ回路１１０５および送信ＲＦ回路１１０６により実現することができる。図１０Ａ，図１０Ｂに示した受信信号分解部１００３、リソース割当要求解析部１００４、リソース割当制御部１００５およびユーザ受信データ解析部１００６は、たとえばセルラ無線基地局動作制御プロセッサ１１０４により実現することができる。
【０１７７】
図１０Ａ，図１０Ｂに示した制御信号解析部１００７、基地局機能制御部１００８、フレーム構成設定部１０１０およびデータ信号生成部１０１１は、たとえばセルラ無線基地局動作制御プロセッサ１１０４により実現することができる。図１０Ａ，図１０Ｂに示した報知情報生成部１０１２、制御情報生成部１０１３、送信信号作成部１０１４および無線信号制御部１０１５は、たとえばセルラ無線基地局動作制御プロセッサ１１０４により実現することができる。
【０１７８】
（端末の構成）
図１２Ａは、端末の構成の一例を示す図である。図１２Ｂは、図１２Ａに示した端末の構成における信号の流れの一例を示す図である。第１端末１０１および第２端末１０２のそれぞれは、たとえば図１２Ａ，図１２Ｂに示す端末１２００により実現することができる。端末１２００は、アンテナ１２０１と、無線信号処理部１２０２と、受信信号分解部１２０３と、ユーザ受信データ解析部１２０４と、報知情報解析部１２０５と、制御信号解析部１２０６と、端末機能制御部１２０７と、を備える。また、端末１２００は、端末制御上位プログラム実行部１２０８と、データ信号生成部１２０９と、制御情報生成部１２１０と、送信信号作成部１２１１と、無線信号制御部１２１２と、を備える。
【０１７９】
アンテナ１２０１は、端末１２００とは異なる通信装置から無線送信された信号を受信し、受信した信号を無線信号処理部１２０２へ出力する。また、アンテナ１２０１は、無線信号処理部１２０２から出力された信号を、端末１２００とは異なる通信装置へ無線送信する。端末１２００とは異なる通信装置は、たとえば他端末や基地局１１０である。
【０１８０】
無線信号処理部１２０２は、無線信号制御部１２１２からの制御に従って、アンテナ１２０１から出力された信号の受信処理を行う。無線信号処理部１２０２による受信処理には、たとえば、増幅、ＲＦ帯からベースバンド帯への周波数変換、アナログ信号からデジタル信号への変換などが含まれる。無線信号処理部１２０２は、受信処理を行った信号を受信信号分解部１２０３へ出力する。
【０１８１】
また、無線信号処理部１２０２は、無線信号制御部１２１２からの制御に従って、送信信号作成部１２１１から出力された信号の送信処理を行う。無線信号処理部１２０２による送信処理には、たとえば、デジタル信号からアナログ信号への変換、ベースバンド帯からＲＦ帯への周波数変換、増幅などが含まれる。無線信号処理部１２０２は、送信処理を行った信号をアンテナ１２０１へ出力する。
【０１８２】
受信信号分解部１２０３は、端末機能制御部１２０７からの制御に従って、無線信号処理部１２０２から出力された信号の分解処理を行う。たとえば、受信信号分解部１２０３は、端末機能制御部１２０７から通知されたＤＬのフレーム構成などに基づいて分解処理を行う。そして、受信信号分解部１２０３は、分解処理により得られたユーザデータをユーザ受信データ解析部１２０４へ出力する。また、受信信号分解部１２０３は、分解処理により得られた報知情報を報知情報解析部１２０５へ出力する。また、受信信号分解部１２０３は、分解処理により得られた制御信号を制御信号解析部１２０６へ出力する。
【０１８３】
ユーザ受信データ解析部１２０４は、受信信号分解部１２０３から出力された各信号からユーザデータを解析し、解析を行ったユーザデータを端末制御上位プログラム実行部１２０８へ出力する。ユーザデータには、たとえば、基地局１１０から送信されたユーザデータや、他端末から端末間通信により送信されたユーザデータが含まれる。
【０１８４】
報知情報解析部１２０５は、受信信号分解部１２０３から出力された各信号から報知情報を解析し、解析結果を端末機能制御部１２０７へ通知する。たとえば、報知情報解析部１２０５は、報知情報に含まれる第１無線リソース範囲情報を取得し、取得した第１無線リソース範囲情報が示す第１無線リソース範囲を端末機能制御部１２０７へ通知する。
【０１８５】
制御信号解析部１２０６は、受信信号分解部１２０３から出力された各信号から制御信号の解析を行い、解析結果を端末機能制御部１２０７へ通知する。たとえば、制御信号解析部１２０６は、制御信号に含まれる割当情報や制御情報を取得し、取得した割当情報や制御情報が示す無線リソースを端末機能制御部１２０７へ通知する。
【０１８６】
端末機能制御部１２０７は、報知情報解析部１２０５および制御信号解析部１２０６からの通知結果に基づいて、受信信号分解部１２０３、制御情報生成部１２１０、送信信号作成部１２１１および無線信号制御部１２１２の制御を行う。また、端末機能制御部１２０７による制御の処理は端末制御上位プログラム実行部１２０８によって制御される。端末機能制御部１２０７は、制御の処理結果を端末制御上位プログラム実行部１２０８へ通知する。
【０１８７】
端末制御上位プログラム実行部１２０８は、端末１２００における通信の上位層の処理を行う。たとえば、端末制御上位プログラム実行部１２０８は、ユーザ受信データ解析部１２０４から出力されたユーザデータに基づく処理を行う。また、端末制御上位プログラム実行部１２０８は、端末１２００が他の通信装置へ送信すべきユーザデータをデータ信号生成部１２０９へ出力する。
【０１８８】
データ信号生成部１２０９は、端末制御上位プログラム実行部１２０８から出力されたユーザデータを含むデータ信号を生成し、生成したデータ信号を送信信号作成部１２１１へ出力する。制御情報生成部１２１０は、端末機能制御部１２０７からの制御に従って、端末１２００が他の通信装置へ送信すべき制御情報を生成し、生成した制御情報を送信信号作成部１２１１へ出力する。制御情報生成部１２１０が生成する制御信号には、たとえば上述したリソース要求信号が含まれる。
【０１８９】
送信信号作成部１２１１は、端末機能制御部１２０７からの制御に従って、データ信号生成部１２０９から出力されたデータ信号と、制御情報生成部１２１０から出力された制御情報と、を含む、端末１２００が送信すべき信号を作成する。たとえば、送信信号作成部１２１１は、端末機能制御部１２０７から通知されたＵＬのフレーム構成などに基づいて信号を作成する。そして、送信信号作成部１２１１は、作成した信号を無線信号処理部１２０２へ出力する。
【０１９０】
無線信号制御部１２１２は、端末機能制御部１２０７からの制御に従って、無線信号処理部１２０２における受信処理を制御する。たとえば、無線信号制御部１２１２は、無線信号処理部１２０２によって受信される信号の周波数や増幅器のゲインなどの制御を行う。
【０１９１】
また、無線信号制御部１２１２は、無線信号処理部１２０２における、上述した特定の無線リソース範囲の受信動作を制御する。たとえば、無線信号制御部１２１２は、第１無線リソース範囲または第２無線リソース範囲の周波数成分のみを復調するように無線信号処理部１２０２を制御する。
【０１９２】
また、無線信号制御部１２１２は、端末機能制御部１２０７からの制御に従って、無線信号処理部１２０２における送信処理を制御する。たとえば、無線信号制御部１２１２は、無線信号処理部１２０２によって送信される信号の周波数や電力などの制御を行う。
【０１９３】
端末１２００を第１端末１０１に適用する場合に、基地局１１０からの各割当情報を受信する受信部は、たとえばアンテナ１２０１、無線信号処理部１２０２、受信信号分解部１２０３および制御信号解析部１２０６により実現することができる。また、第２端末１０２との間で信号の受信を行う通信部は、たとえばアンテナ１２０１、無線信号処理部１２０２、受信信号分解部１２０３、ユーザ受信データ解析部１２０４および制御信号解析部１２０６により実現することができる。また、第２端末１０２との間で信号の送信を行う通信部は、たとえばアンテナ１２０１、無線信号処理部１２０２、データ信号生成部１２０９、制御情報生成部１２１０および送信信号作成部１２１１により実現することができる。
【０１９４】
端末１２００を第２端末１０２に適用する場合に、基地局からの報知情報を受信する受信部は、たとえばアンテナ１２０１、無線信号処理部１２０２、受信信号分解部１２０３および報知情報解析部１２０５により実現することができる。また、第１端末１０１との間で信号の送信を行う通信部は、たとえばアンテナ１２０１、無線信号処理部１２０２、データ信号生成部１２０９、制御情報生成部１２１０および送信信号作成部１２１１により実現することができる。
【０１９５】
（端末のハードウェア構成）
図１３Ａは、端末のハードウェア構成の一例を示す図である。図１３Ｂは、図１３Ａに示した端末のハードウェア構成における信号の流れの一例を示す図である。図１３Ａ，図１３Ｂにおいて、図１２Ａ，図１２Ｂに示した部分と同様の部分については同一の符号を付して説明を省略する。図１２Ａ，図１２Ｂに示した端末１２００は、たとえば図１３Ａ，図１３Ｂに示すように、アンテナ１２０１と、送受信号分離器１３０１と、受信ＲＦ回路１３０２と、受信ＢＢ回路１３０３と、セルラ無線端末動作制御プロセッサ１３０４と、を備える。また、端末１２００は、端末動作全体制御親プロセッサ１３０５と、送信ＢＢ回路１３０６と、送信ＲＦ回路１３０７と、を備える。
【０１９６】
送受信号分離器１３０１は、アンテナ１２０１から出力された信号を受信ＲＦ回路１３０２へ出力するとともに、送信ＲＦ回路１３０７から出力された信号をアンテナ１２０１へ出力することにより、アンテナ１２０１が送受信する各信号を分離する。
【０１９７】
受信ＲＦ回路１３０２は、送受信号分離器１３０１から出力された信号のＲＦ帯での受信処理を行い、ＲＦ帯での受信処理を行った信号を受信ＢＢ回路１３０３へ出力する。受信ＢＢ回路１３０３は、送受信号分離器１３０１から出力された信号のＢＢ帯での受信処理を行い、ＢＢ帯での受信処理を行った信号（受信信号）をセルラ無線端末動作制御プロセッサ１３０４へ出力する。
【０１９８】
セルラ無線端末動作制御プロセッサ１３０４は、端末１２００による通信の制御を司るプロセッサである。たとえば、セルラ無線端末動作制御プロセッサ１３０４は、制御信号を送信することにより、受信ＲＦ回路１３０２、受信ＢＢ回路１３０３、送信ＢＢ回路１３０６および送信ＲＦ回路１３０７をそれぞれ制御する。
【０１９９】
また、セルラ無線端末動作制御プロセッサ１３０４は、受信ＢＢ回路１３０３から出力された受信データに基づく処理を行う。また、セルラ無線端末動作制御プロセッサ１３０４は、端末１２００が送信すべき信号（送信信号）を送信ＢＢ回路１３０６へ出力する。
【０２００】
端末動作全体制御親プロセッサ１３０５は、セルラ無線端末動作制御プロセッサ１３０４を制御する上位層（たとえばアプリケーション層）の処理を行うプロセッサである。セルラ無線端末動作制御プロセッサ１３０４および端末動作全体制御親プロセッサ１３０５は、たとえばＣＰＵやＤＳＰなどのプロセッサによって実現することができる。
【０２０１】
送信ＢＢ回路１３０６は、セルラ無線端末動作制御プロセッサ１３０４から出力された信号のＢＢ帯での送信処理を行い、ＢＢ帯での送信処理を行った信号を送信ＲＦ回路１３０７へ出力する。送信ＲＦ回路１３０７は、送信ＢＢ回路１３０６から出力された信号のＲＦ帯での送信処理を行い、ＲＦ帯での送信処理を行った信号を送受信号分離器１３０１へ出力する。
【０２０２】
図１２Ａ，図１２Ｂに示した無線信号処理部１２０２は、たとえば受信ＲＦ回路１３０２、受信ＢＢ回路１３０３、送信ＢＢ回路１３０６および送信ＲＦ回路１３０７により実現することができる。図１２Ａ，図１２Ｂした受信信号分解部１２０３、ユーザ受信データ解析部１２０４、報知情報解析部１２０５、制御信号解析部１２０６および端末機能制御部１２０７は、たとえばセルラ無線端末動作制御プロセッサ１３０４により実現することができる。
【０２０３】
図１２Ａ，図１２Ｂに示した端末制御上位プログラム実行部１２０８、データ信号生成部１２０９および制御情報生成部１２１０は、たとえばセルラ無線端末動作制御プロセッサ１３０４により実現することができる。また、図１２Ａ，図１２Ｂに示した送信信号作成部１２１１および無線信号制御部１２１２は、たとえばセルラ無線端末動作制御プロセッサ１３０４により実現することができる。
【０２０４】
このように、実施の形態によれば、第１端末１０１と第２端末１０２との間の端末間通信に第１無線リソース範囲および第２無線リソース範囲が設定される。そして、第１の場合は第１無線リソース範囲のみの無線リソースを端末間通信に割り当て、第２の場合は第１無線リソース範囲および第２無線リソースの各無線リソースを端末間通信に割り当てることができる。
【０２０５】
これにより、第１の場合は限定された第１範囲の中から無線リソースを指定することができる。また、第１，第２範囲の中から無線リソースを指定するのは第２の場合に限定することができる。このため、第１の場合および第２の場合の両方が生じる状況であれば、たとえば第１無線リソース範囲および第２無線リソース範囲の合計に相当する量の無線リソース範囲の中から常に無線リソースの割当を行う構成に比べて、割当結果を第１端末１０１へ通知する信号の情報量を少なくすることができる。
【０２０６】
たとえば、従来、セルラ無線通信システムにおいては、通信サービスが供給される地域が多数の区画（セル）に区切られ、セルごとに基地局が設置される。ユーザ端末は自端末が属するセルの基地局と通信を行う。区画ごとに設置されている各基地局は、セルラ無線通信システムのコアネットワークに接続されており、コアネットワークはインターネットや別のセルラ通信事業者が経営するセルラ無線通信システムのコアネットワークに接続されている。
【０２０７】
端末が直接通信を行うのはセルラ無線通信システムの基地局であるが、コアネットワークを通じてインターネットや別の基地局と通信をする別の端末、あるいは別のセルラ通信事業者と契約する別の端末との通信を行うことができる。セルラ無線通信システムでの端末と基地局との通信は、たとえば以下の手順で行われる。
【０２０８】
まず、端末が、基地局が常時送信している同期信号を受信して、基地局が送信する無線フレームのタイミングを得る。そして、端末は、基地局が送信する報知情報を受信して、そのセルラ無線通信システムで使用されている設定パラメータの情報を得る。
【０２０９】
つぎに、端末は、基地局に接続要求信号を送信する。端末からの接続要求信号を受け取った基地局は、端末の認証、位置登録、端末識別コードの交付など、接続状態を確立するために要する情報交換をするための無線リソースを確保し、その無線リソースを使って基地局と端末が情報交換を行って接続状態を確立する。
【０２１０】
つぎに、送信すべきデータが発生した端末は、基地局に上り帯域割り当て要求信号を送信する。基地局は、端末に対して上り無線リソースを割り当て、端末はその無線リソースを用いて基地局にデータを送信する。
【０２１１】
また、端末は、基地局からの下り制御信号を常時受信しており、自分宛の下りデータが送られてくる無線リソース情報を検知すると、その無線リソースで下りデータ受信動作を行い、基地局から送られてくるデータを受信する。
【０２１２】
セルラ無線通信システムが端末と基地局の間で通信を行うためのこれらの手順は３ＧＰＰ（３ｒｄ  Ｇｅｎｅｒａｔｉｏｎ  Ｐａｒｔｎｅｒｓｈｉｐ  Ｐｒｏｊｅｃｔ）などで詳細に決められている。
【０２１３】
しかしながら、これらの手順においては、端末同士が直接通信することが想定されていない。たとえば第１端末と第２端末が通信を行うとすると、まず、第１端末と、第１端末が属する基地局と、が通信を行い、コアネットワークを介して第２端末が属する基地局につながり、そこから第２端末に接続される。第１端末と第２端末が同じ基地局に属する場合でも、基地局内で両者を接続する機能がなく、いったんコアネットワークを経由してそこで接続してから再び同じ基地局を介して通信を行うことが一般的になっている。
【０２１４】
第１端末と第２端末が異なるセルラ通信事業者と契約している場合は、第１端末が契約するセルラ通信事業者のコアネットワーク、第２端末が契約するセルラ通信事業者のコアネットワークを順次経由した接続となる。
【０２１５】
近年、セルラ無線通信システムの端末同士に、基地局やコアネットワークを介さずに直接通信させる端末間通信が検討されている。この端末間通信は、災害などで基地局やコアネットワークが一時的に利用できなくなっている場合にも端末同士の通信を確保することを可能にする。また、この端末間通信は、自動販売機やゲーム機といった端末が直接通信を行うことができるにも関わらず基地局やコアネットワークを介した通信を行わざるを得ないことにより基地局やコアネットワークの処理負荷が増えることを軽減することができる。
【０２１６】
また、近接する端末同士がそれぞれの基地局と通信を行うよりも少ない送信電力で直接通信ができるとすると、端末が通信のために使用する電力を軽減することもできる。ここで、セルラ無線通信システムの端末同士が通信を行う場合でも、基地局と通信を行う場合に準じた制御が必要となる。
【０２１７】
第１に、端末が直接通信のために使用する無線リソースの情報を得なければならない。この情報がなければ端末はいつどこで送信をし、いつどこで受信をしてよいのかが定まらない。この情報は、端末の通信相手が必ず基地局であった通常のセルラ無線通信システムでは制御情報として基地局より与えられた。
【０２１８】
第２に、その無線リソースは基本的には基地局で管理されるものでなければ、端末間直接通信のために端末が送信する信号が従来の手法に従い行われる基地局と端末の間の通信に干渉を与えたり、逆に端末間通信が従来の基地局端末間通信に干渉を受けたりする。
【０２１９】
３ＧＰＰ  ＲＡＮ  ＷＧ１（たとえばＲ１−１４０７７１）においては、端末間のデータ通信に使われる無線リソースの情報を、ＳＡ  ｐｏｏｌ（ｓｃｈｅｄｕｌｅ  ａｓｓｉｇｎｍｅｎｔ  ｐｏｏｌ）と呼ばれる無線リソースを使って端末間通信を行う端末に通知する方法が検討されている。
【０２２０】
基地局は、端末から端末間データ通信に使用する無線リソースの要求があった場合に、割り当てる無線リソースをこのＳＡ  ｐｏｏｌ内の無線リソースを使って通知する。ＳＡ  ｐｏｏｌ自身に使われる無線リソースの情報は、基地局から報知情報として通知されるか、端末にあらかじめ設定しておくことが検討されている。
【０２２１】
端末はＳＡ  ｐｏｏｌ内の無線リソースにおいて受信動作をし、そこで端末間データ通信に使用する無線リソース情報を得て端末間データ通信を実行する。端末間通信を行わない場合には、ＳＡ  ｐｏｏｌ以外の無線リソースにおける受信動作を停止することができ、消費電力の低減を図ることができる。
【０２２２】
ここで、基地局が無線リソースを管理できる場合に、基地局が端末間通信に使用可能な無線リソースを端末に通知し、端末間通信を行う端末はその無線リソースを使って端末間通信を行うことが望ましい。これにより、端末間通信と、端末と基地局の間の通信と、の間の相互の干渉や、２つ以上の異なる端末間通信の間の干渉を抑制することができる。
【０２２３】
この場合に、端末間通信に使う無線リソース情報が基地局から端末間通信を行う端末に通知される。無線リソースの情報は、たとえば無線フレーム上の時間軸上の場所と周波数軸上の場所の組み合わせで指定される。時間軸上にＮシンボル、周波数軸上においてＭブロックで構成される無線フレームでは、無線リソース割り当て単位があるとすると、Ｎ×Ｍ通りの場所の中から指定することを要する。
【０２２４】
端末間通信を行う端末のうち、基地局に無線リソースを要求した端末へは、その応答として許可される無線リソース情報が通知されうる。一方、相手方の端末への無線リソース情報の通知は、基地局が相手方の端末にも通知する方法の他、基地局から無線リソース情報を得た端末が端末間通信により相手方の端末に通知する方法がある。
【０２２５】
いずれの方法にせよ、効率のよい通知方法が望まれる。通知する無線リソースが無線フレーム上のＮ×Ｍ通りの場所のいずれであっても通知できるように無線リソース情報伝達の方法を構成することは、フレーム構成上の柔軟性を確保するが、通知に必要な情報量が増大する場合がある。
【０２２６】
これに対して、上述した実施の形態によれば、端末間通信に要する無線リソース量が少ない場合は第１範囲のみの無線リソースを端末間通信に割り当てることができる。また、端末間通信に要するリソース量が多い場合は第１，第２範囲の各無線リソースを端末間通信に割り当てることができる。これにより、端末間通信に要する無線リソース量が少ない場合は限定された第１範囲の中から無線リソースを指定することができる。また、端末間通信に要する無線リソース量が多い場合に限って第１，第２範囲の中から無線リソースを指定することができる。このため、割当リソースを端末へ通知する信号の情報量を減らすことが可能になる。
【０２２７】
以上説明したように、無線通信方法、無線通信システム、基地局および端末によれば、無線リソースを通知する制御信号の情報量の削減を図ることができる。
【０２２８】
上述した実施の形態に関し、さらに以下の付記を開示する。
【０２２９】
（付記１）基地局が、無線リソースの第１範囲を報知する報知情報を送信し、
第１の場合に、
前記基地局が、第１端末と第２端末との間の端末間通信に割り当てた前記第１範囲の無線リソースを示す第１割当情報を前記第１端末へ送信し、
前記第１端末が、前記基地局によって送信された前記第１割当情報が示す無線リソースを用いて前記第２端末へ信号を送信し、
前記第２端末が、前記基地局によって送信された前記報知情報に基づいて前記第１端末からの前記信号を受信し、
前記第１の場合と異なる第２の場合に、
前記基地局が、前記端末間通信に割り当てた前記第１範囲の無線リソースおよび前記第１範囲と異なる第２範囲の無線リソースを示す第２割当情報を前記第１端末へ送信し、
前記第１端末が、前記基地局によって送信された前記第２割当情報が示す前記第１範囲の無線リソースを用いて、前記第２割当情報が示す前記第２範囲の無線リソースを示す制御情報を前記第２端末へ送信し、
前記第２端末が、前記基地局によって送信された前記報知情報に基づいて前記第１端末からの前記制御情報を受信し、受信した前記制御情報に基づいて、前記第２範囲の無線リソースを用いて前記第１端末からの信号の受信および前記第１端末への信号の送信の少なくとも一方を行う、
ことを特徴とする無線通信方法。
【０２３０】
（付記２）前記第１の場合は、前記端末間通信に割り当てるべき無線リソースの量が所定量以下の場合であり、前記第２の場合は、前記端末間通信に割り当てるべき無線リソースの量が前記所定量より多い場合であることを特徴とする付記１に記載の無線通信方法。
【０２３１】
（付記３）前記第１割当情報は、前記第１割当情報が、前記基地局が前記端末間通信に割り当てた無線リソースを示す情報であることを示す情報を含むことを特徴とする付記１または２に記載の無線通信方法。
【０２３２】
（付記４）前記第１範囲は、前記基地局のセルに割り当てられた無線リソース範囲の一部であることを特徴とする付記１〜３のいずれか一つに記載の無線通信方法。
【０２３３】
（付記５）前記第２範囲は、前記基地局のセルに割り当てられた無線リソース範囲の一部あるいは全部であって、前記第１範囲より広い範囲であることを特徴とする付記１〜４のいずれか一つに記載の無線通信方法。
【０２３４】
（付記６）前記第１割当情報は、前記基地局が前記端末間通信に割り当てた前記第１範囲の無線リソースの前記第１範囲における相対的な位置を示す情報であり、
前記第１端末は、前記第１の場合に、前記報知情報および前記第１割当情報に基づいて、前記基地局が前記端末間通信に割り当てた前記第１範囲の無線リソースを特定する、
ことを特徴とする付記１〜５のいずれか一つに記載の無線通信方法。
【０２３５】
（付記７）前記基地局は、前記第２範囲を報知する報知情報を送信し、
前記第２割当情報は、前記基地局が前記端末間通信に割り当てた前記第２範囲の無線リソースの前記第２範囲における相対的な位置を示す情報であり、
前記第１端末は、前記第２の場合に、前記第２範囲を報知する報知情報および前記第２割当情報に基づいて、前記基地局が前記端末間通信に割り当てた前記第２範囲の無線リソースを特定する、
ことを特徴とする付記１〜６のいずれか一つに記載の無線通信方法。
【０２３６】
（付記８）前記制御情報は、前記第２範囲の無線リソースの前記第２範囲における相対的な位置を示す情報であり、
前記第２端末は、前記第２の場合に、前記第２範囲を報知する報知情報および前記制御情報に基づいて前記第２範囲の無線リソースを特定する、
ことを特徴とする付記７に記載の無線通信方法。
【０２３７】
（付記９）前記第２範囲は、前記第１範囲に基づいて特定可能な範囲であり、
前記第１端末および前記第２端末は、前記第１範囲を報知する報知情報が示す前記第１範囲に基づいて前記第２範囲を特定する、
ことを特徴とする付記１〜８のいずれか一つに記載の無線通信方法。
【０２３８】
（付記１０）前記制御情報は、前記制御情報が、前記第２範囲の無線リソースを示す情報であることを示す情報を含むことを特徴とする付記１〜９のいずれか一つに記載の無線通信方法。
【０２３９】
（付記１１）前記第１の場合に、
前記第１端末は、前記第１範囲の無線リソースのうちの第１リソースを用いて、前記第１範囲の無線リソースのうちの前記第１リソースと異なる第２リソースを示す前記信号を前記第２端末へ送信し、
前記第２端末は、受信した前記信号が示す前記第２リソースを用いて前記第１端末へ信号を送信する、
ことを特徴とする付記１〜１０のいずれか一つに記載の無線通信方法。
【０２４０】
（付記１２）前記第２の場合に、
前記第１端末は、前記第１範囲の無線リソースを用いて、前記第２範囲の無線リソースのうちの第１リソースおよび前記第１リソースと異なる第２リソースを示す制御情報を前記第２端末へ送信し、前記第１リソースを用いて前記第２端末へ信号を送信し、
前記第２端末は、受信した前記制御情報が示す前記第１リソースに基づいて前記第１端末からの前記信号を受信し、受信した前記制御情報が示す前記第２リソースを用いて前記第１端末へ信号を送信する、
ことを特徴とする付記１〜１０のいずれか一つに記載の無線通信方法。
【０２４１】
（付記１３）無線リソースの第１範囲を報知する報知情報を送信する基地局と、
互いに端末間通信を行う第１端末および第２端末と、
を含む無線通信システムであって、
前記基地局は、第１の場合に、前記端末間通信に割り当てた前記第１範囲の無線リソースを示す第１割当情報を前記第１端末へ送信し、前記第１の場合と異なる第２の場合に、前記端末間通信に割り当てた前記第１範囲の無線リソースおよび前記第１範囲と異なる第２範囲の無線リソースを示す第２割当情報を前記第１端末へ送信し、
前記第１端末は、前記第１の場合に、前記基地局によって送信された前記第１割当情報が示す無線リソースを用いて前記第２端末へ信号を送信し、前記第２の場合に、前記基地局によって送信された前記第２割当情報が示す前記第１範囲の無線リソースを用いて、前記第２割当情報が示す前記第２範囲の無線リソースを示す制御情報を前記第２端末へ送信し、
前記第２端末は、前記第１の場合に、前記基地局によって送信された前記報知情報に基づいて前記第１端末からの前記信号を受信し、前記第２の場合に、前記基地局によって送信された前記報知情報に基づいて前記第１端末からの前記制御情報を受信し、受信した前記制御情報に基づいて前記第２範囲の無線リソースを用いて前記第１端末からの信号の受信および前記第１端末への信号の送信の少なくとも一方を行う、
ことを特徴とする無線通信システム。
【０２４２】
（付記１４）無線リソースの第１範囲を報知する報知情報を送信する報知部と、
第１の場合に、第１端末と第２端末との間の端末間通信に前記第１範囲の無線リソースを割り当て、前記第１の場合と異なる第２の場合に、前記端末間通信に前記第１範囲の無線リソースおよび前記第１範囲と異なる第２範囲の無線リソースを割り当てる割当部と、
前記割当部によって割り当てられた無線リソースを示す割当情報を前記第１端末へ送信する送信部と、
を備えることを特徴とする基地局。
【０２４３】
（付記１５）無線リソースの第１範囲を報知する報知情報を送信する基地局と通信可能な端末であって、
第１の場合に、前記基地局が自端末と他端末との間の端末間通信に割り当てた前記第１範囲の無線リソースを示す第１割当情報を前記基地局から受信し、前記第１の場合と異なる第２の場合に、前記基地局が前記端末間通信に割り当てた前記第１範囲の無線リソースおよび前記第１範囲と異なる第２範囲の無線リソースを示す第２割当情報を前記基地局から受信する受信部と、
前記第１の場合に、前記受信部によって受信された前記第１割当情報が示す無線リソースを用いて前記他端末へ信号を送信し、前記第２の場合に、前記受信部によって受信された前記第２割当情報が示す前記第１範囲の無線リソースを用いて、前記第２割当情報が示す前記第２範囲の無線リソースを示す制御情報を前記他端末へ送信し、前記第２範囲の無線リソースを用いて前記他端末への信号の送信および前記他端末からの信号の受信の少なくとも一方を行う通信部と、
を備えることを特徴とする端末。
【０２４４】
（付記１６）無線リソースの第１範囲を報知する報知情報を送信する基地局から前記報知情報を受信する受信部と、
第１の場合に、前記基地局が自端末と他端末との間の端末間通信に割り当てた前記第１範囲の無線リソースを用いて前記他端末が送信した信号を、前記受信部によって受信された前記報知情報に基づいて受信する通信部と、
を備え、前記通信部は、前記第１の場合と異なる第２の場合に、前記基地局が前記端末間通信に割り当てた前記第１範囲の無線リソースおよび前記第１範囲と異なる第２範囲の無線リソースのうちの前記第１範囲の無線リソースを用いて前記他端末が送信した制御情報であって前記第２範囲の無線リソースを示す制御情報を前記報知情報に基づいて受信し、受信した前記制御情報に基づいて、前記第２範囲の無線リソースを用いて前記他端末からの信号の受信および前記他端末への信号の送信の少なくとも一方を行う、
ことを特徴とする端末。
【符号の説明】
【０２４５】
１００  無線通信システム
１０１  第１端末
１０２  第２端末
１１０  基地局
１１１  セル
５００  無線フレーム
５０１  ＵＬ制御情報用リソース
５０２  ＵＬデータ用リソース
５０３  ＲＡＣＨ
５０４  第１無線リソース範囲
５０５  第２無線リソース範囲
６１０，６２０，６３０，６４０  メッセージ
６１１  ＳＩＢ識別子領域
６１２  無線リソース範囲情報識別子領域
６１３，６２４，６４１  シンボル領域
６１４，６２５，６４２  ＰＲＢ番号領域
６１５，６２６，６４３  ＰＲＢ数領域
６２１  リソース割当情報識別子領域
６２２，６２７，６４４  ＰＲＢビットマップ領域
６２３  追加無線リソース有無領域
６３１  送信元端末識別子領域
６３２  送信先端末識別子領域
６３３  追加無線リソース情報有無領域
６３４  ユーザデータ領域
６４５  Ｔ／Ｒテーブル領域
１００１，１２０１  アンテナ
１００２，１２０２  無線信号処理部
１００３，１２０３  受信信号分解部
１００４  リソース割当要求解析部
１００５  リソース割当制御部
１００６，１２０４  ユーザ受信データ解析部
１００７，１２０６  制御信号解析部
１００８  基地局機能制御部
１００９  コアネットワークインタフェース
１０１０  フレーム構成設定部
１０１１，１２０９  データ信号生成部
１０１２  報知情報生成部
１０１３，１２１０  制御情報生成部
１０１４，１２１１  送信信号作成部
１０１５，１２１２  無線信号制御部
１１０１，１３０１  送受信号分離器
１１０２，１３０２  受信ＲＦ回路
１１０３，１３０３  受信ＢＢ回路
１１０４  セルラ無線基地局動作制御プロセッサ
１１０５，１３０６  送信ＢＢ回路
１１０６，１３０７  送信ＲＦ回路
１２００  端末
１２０５  報知情報解析部
１２０７  端末機能制御部
１２０８  端末制御上位プログラム実行部
１３０４  セルラ無線端末動作制御プロセッサ
１３０５  端末動作全体制御親プロセッサ
【国際調査報告】
2016035150.tif 000026
2016035150.tif 000027
2016035150.tif 000028
2016035150.tif 000029